【事件の表示】
　特許第２７０６６４５号「医療計画支援システム並びに医療計画支援装置及び方法」の請求項１ないし２４に係る特許に対する特許異議の申立てについて、次のとおり決定する。
【結論】
　訂正を認める。
　特許第２７０６６４５号の請求項１ないし２４に係る特許を維持する。
【理由】
（手続の経緯）
　特許第２７０６６４５号の特許範囲の範囲の請求項１〜２４に係る発明は、平成７年１２月２７日に出願されたものであって、平成９年１０月９日に設定登録され、その後、特許異議の申し立てがなされ、取消理由通知がなされ、その指定期間内である平成１０年１２月２１日に訂正請求がなされ、それに対して訂正拒絶理由通知がなされ、訂正拒絶理由に対して平成１１年６月１０日に手続補正書が提出されたものである。
・訂正請求に対する補正の適否について、
　特許権者は訂正請求書の
・請求項１
　通信手段を介して結ばれる複数の医療計画支援装置を備えており、前記複数の医療計画支援装置のうち少なくとも一つの第１医療計画支援装置は
　複数の患者夫々に対する複数種類の既に実行された医療行為を示す医療行為データ及び計画した将来実行される医療行為を示す医療行為データを含む複数の医療行為データを各医療行為の実行にかかる少なくとも日付け毎に記憶する医療データ記憶手段と、
　前記複数の患者のうち任意の一人を示す患者識別データを前記通信手段を介して受信する第１受信手段と、
　該受信された患者識別データの示す患者についての医療行為データを前記医療データ記憶手段から選択する選択手段と、
　該選択された医療行為データを前記通信手段を介して送信する第１送信手段とを備えており、
　前記複数の医療計画支援装置のうち少なくとも一つの第２医療計画支援装置は前記患者識別データを入力するための入力手段と、
　該入力手段により入力された患者識別データを前記通信手段を介して前記第１受信手段に送信する第２送信手段と、
　前記第１送信手段から送信された医療行為データを前記通信手段を介して受信する第２受信手段と、
　該受信された医療行為データの示す医療行為を前記複数種類別に前記日付け毎に並べた表として画像出力するための出力データを、該表の枠組みを規定する所定のフォーマット情報及び前記受信された医療行為データに基づいて生成する出力データ生成手段と、
　該生成された出力データを画像出力する出力手段と
　を備えており、
　前記入力手段は、各患者、各日付け及び各種類についての前記医療行為データを入力可能に構成されており、
　前記第２送信手段は、前記入力手段により入力された医療行為データを前記通信手段を介して前記第１受信手段に更に送信し、
　前記第１受信手段は、前記送信された医療行為データを更に受信し、
　前記医療データ記憶手段は、前記受信された医療行為データを記憶し、
　前記出力手段は、前記出力データを表示する画面を有する表示手段を含み、
　前記入力手段は、前記画面の上に表示された出力データを追加、変更及び削除可能に構成されており、
　前記第２送信手段は、前記入力手段により追加、変更及び削除された出力データに対応する新たな医療行為データを前記通信手段を介して前記第１受信手段に送信し、
　前記医療データ記憶手段は、前記第１受信手段により受信された新たな医療行為データを用いて記憶内容を更新し、
　前記入力手段は、前記画面に表示された出力データの示す複数の日付けに含まれる任意の日及び複数種類に含まれる任意の種類のうち少なくとも一方を指定可能に構成されており、
　前記出力データ生成手段は、前記入力手段により指定された日及び種類のうち少なくとも一方にかかる医療行為データを前記表とは異なるフォーマットにより前記画面に表示するための出力データを、該異なるフォーマットに対応するフォーマット情報に基づいて生成し、
　前記入力手段は、前記画面に前記表として表示された複数の医療行為データのうち所望の医療行為データを指定可能に構成されており、
　前記出力データ生成手段は、夫々の前記医療行為データの示す医療行為と関連すると共に前記既に実行された医療行為についての結果を示す詳細医療データを含む複数の詳細医療データのうち前記入力手段により指定された医療行為データに関連する詳細医療データを前記表とは異なる所定のフォーマットで前記画面に表示するための出力データを、前記詳細医療データに基づいて生成することを特徴とする医療計画支援システム。
・請求項１３
　前記医療行為データには、前記医療行為データが示す医療行為が既に実行されたか否かを示す結果フラグが付けられており、
　前記出力データ生成手段は、前記結果フラグに基づいて既に実行された医療行為に対応する画像出力部分とまだ実行されていない医療行為に対応する画像出力部分とが異なる方法で出力されるように前記出力データを生成することを特徴とする請求項１から１２のいずれか一項に記載の医療計画支援システム。
・請求項２３
　複数の患者夫々に対する複数種類の既に実行された医療行為を示す医療行為データ及び計画した将来実行される医療行為を示す医療行為データを含む複数の医療行為データを各医療行為の実行にかかる少なくとも日付け毎に記憶する医療データ記憶手段と、前記複数の患者のうち任意の一人を示す患者識別データを通信手段を介して受信し、前記医療データ記憶手段に記憶するための医療行為データを前記通信手段を介して更に受信する第１受信手段と、該受信された患者識別データの示す患者についての医療行為データを前記医療データ記憶手段から選択する選択手段と、該選択された医療行為データを前記通信手段を介して送信する第１送信手段とを備えており、前記医療データ記憶手段は前記第１受信手段により受信される新たな医療行為データを用いて記憶内容を更新する医療計画支援センターに前記通信手段を介して結ばれる医療計画支援装置であつて、
　前記患者識別データ並びに各患者、各日付け及び各種類についての医療行為データを入力可能に構成された入力手段と、
　該入力手段により入力された患者識別データ及び医療行為データを前記通信手段を介して前記第１受信手段に送信する第２送信手段と、
　前記第１送信手段から送信された医療行為データを前記通信手段を介して受信する第２受信手段と、
　該受信された医療行為データの示す医療行為を前記複数種類別に前記日付け毎に並べた表として画像出力するための出力データを、該表の枠組みを規定する所定のフォーマット情報及び前記受信された医療行為データに基づいて生成する出力データ生成手段と、
　該生成された出力データを画像出力する出力手段とを備えており、
　前記出力手段は、前記出力データを表示する画面を有する表示手段を含み、
　前記入力手段は、前記画面の上に表示された出力データを追加、変更及び削除可能に構成されており、
　前記第２送信手段は、前記入力手段により追加変更及び削除された出力データに対応する前記新たな医療行為データを前記通信手段を介して前記第１受信手段に送信し、
　前記入力手段は、前記画面に表示された出力データの示す複数の日付けに含まれる任意の日及び複数種類に含まれる任意の種類のうち少なくとも一方を指定可能に構成されており、
　前記出力データ生成手段は、前記入力手段により指定された日及び種類のうち少なくとも一方にかかる医療行為データを前記表とは異なるフォーマットにより前記画面に表示するための出力データを、該異なるフォーマットに対応するフォーマット情報に基づいて生成することを特徴とする医療計画支援装置。
・請求項２４
　複数の患者夫々に対する複数種類の既に実行された医療行為を示す医療行為データ及び計画した将来実行される医療行為を示す医療行為データを含む複数の医療行為データを各医療行為の実行にかかる少なくとも日付け毎に記憶する医療データ記憶手段と、前記複数の患者のうち任意の一人を示す患者識別データを通信手段を介して受信し、前記医療データ記憶手段に記憶するための医療行為データを前記通信手段を介して更に受信する受信手段と、該受信された患者識別データの示す患者についての医療行為データを前記医療データ記憶手段から選択する選択手段と、該選択された医療行為データを前記通信手段を介して送信する送信手段とを備えており、前記医療データ記憶手段は前記受信手段により受信される新たな医療行為データを用いて記憶内容を更新する医療計画支援センターに前記通信手段を介して結ばれる医療計画支援装置における医療計画支援方法であって、
　前記患者識別データを入力するための入力手段により入力された患者識別データを前記通信手段を介して前記受信手段に送信するステップと、
　前記送信手段から送信された医療行為データを前記通信手段を介して受信するステップと、
該受信された医療行為データの示す医療行為を前記複数種類別に前記日付け毎に並べた表として出力手段により画像出力するための出力データを、該表の枠組みを規定する所定のフォーマット情報及び前記受信された医療行為データに基づいて生成するステップと、
　該生成された出力データを前記出力手段により画像出力するステップと、
前記入力手段により入力された各患者、各日付け及び各種類についての前記医療行為データを前記通信手段を介して前記受信手段に更に送信するステップと
　を備えており、
　前記画像出力するステップは、前記出力手段の備えた画面を有する表示手段により前記出力データを表示するステップを含み、
　前記医療行為データを送信するステップは、前記画面の上に表示され且つ前記入力手段により追加、変更及び削除された出力データに対応する前記新たな医療行為データを前記通信手段を介して前記受信手段に送信するステップを含み、
　前記出力データを生成するステップは、前記画面に表示された出力データの示す複数の日付けに含まれる任意の日及び複数種類に含まれる任意の種類のうち前記入力手段により指定された少なくとも一方にかかる医療行為データを前記表とは異なるフォーマットにより前記画面に表示するための出力データを、該異なるフォーマットに対応するフォーマット情報に基づいて生成するステップを含むことを特徴とする医療計画支援方法。
を
・請求項１
　通信手段を介して結ばれる複数の医療計画支援装置を備えており、前記複数の医療計画支援装置のうち少なくとも一つの第１医療計画支援装置は
　複数の患者夫々に対する複数種類の既に実行された医療行為を示す医療行為データ及び計画した将来実行される医療行為を示す医療行為データを含む複数の医療行為データを各医療行為の実行にかかる少なくとも日付け毎に記憶する医療データ記憶手段と、
　前記複数の患者のうち任意の一人を示す患者識別データを前記通信手段を介して受信する第１受信手段と、
　該受信された患者識別データの示す患者についての医療行為データを前記医療データ記憶手段から選択する選択手段と、
　該選択された医療行為データを前記通信手段を介して送信する第１送信手段とを備えており、
　前記複数の医療計画支援装置のうち少なくとも一つの第２医療計画支援装置は前記患者識別データを入力するための入力手段と、
　該入力手段により入力された患者識別データを前記通信手段を介して前記第１受信手段に送信する第２送信手段と、
　前記第１送信手段から送信された医療行為データを前記通信手段を介して受信する第２受信手段と、
　該受信された医療行為データの示す医療行為を前記複数種類別に前記日付け毎に並べた表として画像出力するための出力データを、該表の枠組みを規定する所定のフォーマット情報及び前記受信された医療行為データに基づいて生成する出力データ生成手段と、
　該生成された出力データを画像出力する出力手段と
　を備えており、
　前記入力手段は、各患者、各日付け及び各種類についての前記医療行為データを入力可能に構成されており、
　前記第２送信手段は、前記入力手段により入力された医療行為データを前記通信手段を介して前記第１受信手段に更に送信し、
　前記第１受信手段は、前記送信された医療行為データを更に受信し、
　前記医療データ記憶手段は、前記受信された医療行為データを記憶し、
　前記出力手段は、前記出力データを表示する画面を有する表示手段を含み、
　前記入力手段は、前記画面の上に表示された出力データを追加、変更及び削除可能に構成されており、
　前記第２送信手段は、前記入力手段により追加、変更及び削除された出力データに対応する新たな医療行為データを前記通信手段を介して前記第１受信手段に送信し、
　前記医療データ記憶手段は、前記第１受信手段により受信された新たな医療行為データを用いて記憶内容を更新し、
　前記出力データ生成手段は、前記医療行為データが示す医療行為が既に実行されたか否かを示す結果フラグに基づいて、既に実行された医療行為に対応する画像出力部分とまだ実行されていない医療行為に対応する画像出力部分とが異なる方法で出力されるように前記出力データを生成し、
　前記入力手段は、前記画面に表示された出力データの示す複数の日付けに含まれる任意の日及び複数種類に含まれる任意の種類のうち少なくとも一方を指定可能に構成されており、
　前記出力データ生成手段は、前記入力手段により指定された日及び種類のうち少なくとも一方にかかる医療行為データを前記表とは異なるフォーマットにより前記画面に表示するための出力データを、該異なるフォーマットに対応するフォーマット情報に基づいて生成し、
　前記入力手段は、前記画面に前記表として表示された複数の医療行為データのうち所望の医療行為データを指定可能に構成されており、
　前記出力データ生成手段は、夫々の前記医療行為データの示す医療行為と関連すると共に前記既に実行された医療行為についての結果を示す詳細医療データを含む複数の詳細医療データのうち前記入力手段により指定された医療行為データに関連する詳細医療データを前記表とは異なるフォーマットで前記画面に表示するための出力データを、前記詳細医療データに基づいて生成することを特徴とする医療計画支援システム。
・請求項１３
　前記医療行為データには、前記結果フラグが付けられていることを特徴とする請求項１から１２のいずれか一項に記載の医療計画支援システム。
・請求項２３
　複数の患者夫々に対する複数種類の既に実行された医療行為を示す医療行為データ及び計画した将来実行される医療行為を示す医療行為データを含む複数の医療行為データを各医療行為の実行にかかる少なくとも日付け毎に記憶する医療データ記憶手段と、前記複数の患者のうち任意の一人を示す患者識別データを通信手段を介して受信し、前記医療データ記憶手段に記憶するための医療行為データを前記通信手段を介して更に受信する第１受信手段と、該受信された患者識別データの示す患者についての医療行為データを前記医療データ記憶手段から選択する選択手段と、該選択された医療行為データを前記通信手段を介して送信する第１送信手段とを備えており、前記医療データ記憶手段は前記第１受信手段により受信される新たな医療行為データを用いて記憶内容を更新する医療計画支援センターに前記通信手段を介して結ばれる医療計画支援装置であつて、
　前記患者識別データ並びに各患者、各日付け及び各種類についての医療行為データを入力可能に構成された入力手段と、
　該入力手段により入力された患者識別データ及び医療行為データを前記通信手段を介して前記第１受信手段に送信する第２送信手段と、
　前記第１送信手段から送信された医療行為データを前記通信手段を介して受信する第２受信手段と、
　該受信された医療行為データの示す医療行為を前記複数種類別に前記日付け毎に並べた表として画像出力するための出力データを、該表の枠組みを規定する所定のフォーマット情報及び前記受信された医療行為データに基づいて生成する出力データ生成手段と、
　該生成された出力データを画像出力する出力手段とを備えており、
　前記出力手段は、前記出力データを表示する画面を有する表示手段を含み、
　前記入力手段は、前記画面の上に表示された出力データを追加、変更及び削除可能に構成されており、
　前記第２送信手段は、前記入力手段により追加、変更及び削除された出力データに対応する前記新たな医療行為データを前記通信手段を介して前記第１受信手段に送信し、
　前記出力データ生成手段は、前記医療行為データが示す医療行為が既に実行されたか否かを示す結果フラグに基づいて、既に実行された医療行為に対応する画像出力部分とまだ実行されていない医療行為に対応する画像出力部分とが異なる方法で出力されるように前記出力データを生成し、
　前記入力手段は、前記画面に表示された出力データの示す複数の日付けに含まれる任意の日及び複数種類に含まれる任意の種類のうち少なくとも一方を指定可能に構成されており、
　前記出力データ生成手段は、前記入力手段により指定された日及び種類のうち少なくとも一方にかかる医療行為データを前記表とは異なるフォーマットにより前記画面に表示するための出力データを、該異なるフォーマットに対応するフォーマット情報に基づいて生成することを特徴とする医療計画支援装置。
・請求項２４
　複数の患者夫々に対する複数種類の既に実行された医療行為を示す医療行為データ及び計画した将来実行される医療行為を示す医療行為データを含む複数の医療行為データを各医療行為の実行にかかる少なくとも日付け毎に記憶する医療データ記憶手段と、前記複数の患者のうち任意の一人を示す患者識別データを通信手段を介して受信し、前記医療データ記憶手段に記憶するための医療行為データを前記通信手段を介して更に受信する受信手段と、該受信された患者識別データの示す患者についての医療行為データを前記医療データ記憶手段から選択する選択手段と、該選択された医療行為データを前記通信手段を介して送信する送信手段とを備えており、前記医療データ記憶手段は前記受信手段により受信される新たな医療行為データを用いて記憶内容を更新する医療計画支援センターに前記通信手段を介して結ばれる医療計画支援装置における医療計画支援方法であって、
　前記患者識別データを入力するための入力手段により入力された患者識別データを前記通信手段を介して前記受信手段に送信するステップと、
　前記送信手段から送信された医療行為データを前記通信手段を介して受信するステップと、
該受信された医療行為データの示す医療行為を前記複数種類別に前記日付け毎に並べた表として出力手段により画像出力するための出力データを、該表の枠組みを規定する所定のフォーマット情報及び前記受信された医療行為データに基づいて生成するステップと、
　該生成された出力データを前記出力手段により画像出力するステップと、
前記入力手段により入力された各患者、各日付け及び各種類についての前記医療行為データを前記通信手段を介して前記受信手段に更に送信するステップと
　を備えており、
　前記画像出力するステップは、前記出力手段の備えた画面を有する表示手段により前記出力データを表示するステップを含み、
　前記医療行為データを送信するステップは、前記画面の上に表示され且つ前記入力手段により追加、変更及び削除された出力データに対応する前記新たな医療行為データを前記通信手段を介して前記受信手段に送信するステップを含み、
　前記出力データを生成するステップは、
　前記医療行為データが示す医療行為が既に実行されたか否かを示す結果フラグに基づいて、既に実行された医療行為に対応する画像出力部分とまだ実行されていない医療行為に対応する画像出力部分とが異なる方法で出力されるように前記出力データを生成しするステップと、前記画面に表示された出力データの示す複数の日付けに含まれる任意の日及び複数種類に含まれる任意の種類のうち前記入力手段により指定された少なくとも一方にかかる医療行為データを前記表とは異なるフォーマットにより前記画面に表示するための出力データを、該異なるフォーマットに対応するフォーマット情報に基づいて生成するステップとを含むことを特徴とする医療計画支援方法。
と補正し、
　さらに、発明の詳細な説明の項の上記請求項１，１３，２３及び２４の構成に対応する部分（段落【０００８】【０００９】【００３１】【００３２】【００５２】【００５３】を請求項１，１３，２３，２４における補正と同様の補正している。
　上記補正の内、請求項１、２３及び２４については、それぞれの請求項に係る発明の構成として、
　「複数の患者夫々に対する複数種類の既に実行された医療行為を示す医療行為データ及び計画した将来実行される医療行為を示す医療行為データを含む複数の医療行為データを各医療行為の実行にかかる少なくとも日付け毎に記憶する医療データを記憶すると共に、前記医療行為データが示す医療行為が既に実行されたか否かを示す結果フラグに基づいて、既に実行された医療行為に対応する画像出力部分とまだ実行されていない医療行為に対応する画像出力部分とが異なる方法で出力する」という構成を付加するものであるので特許請求の範囲の減縮に相当する。
　また、請求項１３についての補正は、請求項１の対する補正によって請求項１３に生じた明りょうでない記載の釈明に相当する。
　また、発明の詳細な説明の項の補正は、請求項１，１３，２３，及び２４の補正によって生じた発明の詳細な説明の項の明りょうでない記載の釈明に相当するものである。
　そして、これらの補正は新規事項を含むものでもないので、当該訂正明細書の補正は特許法第１３１条第２項の請求の要旨を変更するものにはあたらないので、採用する。
（訂正の適否についての判断）
　上記補正を含めた訂正事項は、下記のとおりである。
・訂正事項ａ
　特許請求の範囲の請求項１（明細書における第５〜６行目）、２３（明細書における第１〜２行目）及び２４（明細書における第１〜２行目）において「複数種類の既に実行された医療行為及び将来実行される医療行為のうちの一方を夫々示す医療行為データ」とあるのを夫々、特許請求の範囲の減縮及び不明瞭な記載の釈明を目的として、「複数種類の既に実行された医療行為を示す医療行為データ及び計画した将来実行される医療行為を示す医療行為データを含む複数の医療行為データ」と訂正する。
・訂正事項ｂ
　特許請求の範囲の請求項１（明細書における最終行）において「生成することを特徴とする医療計画支援システム。」とあるのを、特許請求の範囲の減縮を目的として、「生成し、前記入力手段は、前記画面に前記表として表示された複数の医療行為データのうち所望の医療行為データを指定可能に構成されており、
　前記出力データ生成手段は、夫々の前記医療行為データの示す医療行為と関連すると共に前記既に実行された医療行為についての結果を示す詳細医療データを含む複数の詳細医療データのうち前記入力手段により指定された医療行為データに関連する詳細医療データを前記表とは異なるフォーマットで前記画面に表示するための出力データを、前記詳細医療データに基づいて生成することを特徴とする医療計画支援システム。」と訂正する。
・訂正事項ｃ
　特許請求の範囲の請求項１１（明細書における第１〜４行目）において「治療、処置、注射、検査、対診、評価、投薬、食事、活動制限、観察，リハビリテーション、コーディネーション、入退院、患者家族の教育、医師の記録及び看護の記録のうちの少なくともー種類」とあるのを、特許請求の範囲の減縮を目的として、「治療、処置、注射、検査、対診、評価、投薬、食事、活動制限、観察、リハビリテーション、コーディネーション、入退院及び患者家族の教育のうちの少なくとも一種類並びに医師の記録及び看護の記録」と訂正する。
・訂正事項ｄ
　特許請求の範囲の請求項２１を、不明瞭な記載の釈明を目的として、「前記医療データ記憶手段は、前記詳細医療データを夫々の前記医療行為データと対応付けて記憶し、
　前記選択手段は、前記受信された患者識別データの示す患者についての詳細医療データを前記医療行為データと共に選択し、
　前記第１送信手段は、前記選択された詳細医療データを前記医療行為データと共に前記通信手段を介して送信し、
　前記第２受信手段は、前記第１送信手段から送信された詳細医療データを前記医療行為データと共に前記通信手段を介して受信し、
　前記出力データ生成手段は、前記入力手段により指定された医療行為データに関連する詳細医療データを表示するための出力データを、前記受信された詳細医療データに基づいて生成することを特徴とする請求項１から２０のいずれか１項に記載の医療計画支援システム。」と訂正する。
・訂正事項ｅ
　明細書の段落番号【０００８】（明細書における第５〜６行目）、【０００９】（明細書における第４〜５行目）、【００５２】（明細書における第２〜３行目）及び【００５３】（明細書における第３〜５行目）において「複数種類の既に実行された医療行為及び将来実行される医療行為のうちの一方を夫々示す医療行為データ」とあるのを夫々、不明瞭な記載の釈明を目的として、「複数種類の既に実行された医療行為を示す医療行為データ及び計画した将来実行される医療行為を示す医療行為データを含む複数の医療行為データ」と訂正する。
・訂正事項ｆ
明細書の段落番号【０００８】（明細書における終わりから第２〜１行目）において「生成することを特徴とする。」とあるのを、不明瞭な記載の釈明を目的として、「生成し、前記入力手段は、前記画面に前記表として表示された複数の医療行為データのうち所望の医療行為データを指定可能に構成されており、前記出力データ生成手段は、夫々の前記医療行為データの示す医療行為と関連すると共に前記既に実行された医療行為についての結果を示す詳細医療データを含む複数の詳細医療データのうち前記入力手段により指定された医療行為データに関連する詳細医療データを前記表とは異なるフォーマットで前記画面に表示するための出力データを、前記詳細医療データに基づいて生成することを特徴とする。」と訂正する。
・訂正事項ｇ
　明細書の段落番号【０００９】（明細書における第８〜９行目）において「即ち、医療行為データは、既に実行された医療行為及び将来実行される医療行為のうち少なくとも一方を示す。」とあるのを不明瞭な記載の釈明を目的として、「即ち、複数の医療行為データは、既に実行された医療行為を、示す医療行為データ及び計画した将来実行される医療行為を示す医療行為データの両方を含む。」と訂正する。
・訂正事項ｈ
　明細書の段落番号【０００９】の最後に、不明瞭な記載の釈明を目的として、次の文章を挿入する。「更にまた、入力手段を介して、画面に表として表示された複数の医療行為データのうち所望の医療行為データが指定されると、出力データ生成手段により、既に実行された医療行為についての結果を示す詳細医療データを含む複数の詳細医療データのうち、該指定された医療行為データに関連する詳細医療データを該表とは異なるフォーマットで画面に表示するための出力データが、詳細医療データに基づいて生成される。この結果、出力手段により、該表とは異なる詳細医療データを用いたりスト、グラフ、チャート等が出力される。このようにすれば、表に示された医療行為を見ながら適宜、その医療行為についての結果を示す詳細医療データを臨機応変に指定し引き出せる。」
・訂正事項ｉ
　明細書の段落番号【００２７】（明細書における第４〜７行目）及び【００２８】（明細書における第１〜４行目）において「治療、処置、注射、検査、対診、評価、投薬、食事、活動制限、観察、リハビリテーション、コーディネーション、入退院、患者家族の教育、医師の記録及び看護の記録のうちの少なくとも一種類」とあるのを夫々、不明瞭な記載の釈明を目的として、「治療、処置、注射、検査、対診、評価、投薬、食事、活動制限、観察、リハビリテーンョン、コーディネーション、入退院及び患者家族の教育のうちの少なくとも一種類並びに医師の記録及び看護の記録」と訂正する。
・訂正事項ｊ
　明細書の段落番号【００４７】（明細書における第２〜最終行目）において「前記医療データ記憶手段は、夫々の前記医療行為データの示す医療行為と関連する詳細医療データを夫々の前記医療行為データと対応付けて記憶し、前記選択手段は、前記受信された患者識別データの示す患者についての詳細医療データを前記医療行為データと共に選択し、前記第１送信手段は、前記選択された詳細医療データを前記医療行為データと共に前記通信手段を介して送信し、前記第２受信手段は、前記第１送信手段から送信された詳細医療データを前記医療行為データと共に前記通信手段を介して受信し、前記入力手段は、前記出力手段により表として出力された各医療行為データのうち所望の医療行為データを指定可能に構成されており、前記出力データ生成手段は、前記入力手段により指定された医療行為データに関連する詳細医療データを前記表とは異なる所定のフォーマットで画像出力するための出力データを、前記詳細医療データに基づいて更に生成し、前記出力手段は、該生成された出力データを画像出力することを特徴とする。」とあるのを、不明瞭な記載の釈明を目的として、「前記医療データ記憶手段は、前記詳細医療データを夫々の前記医療行為データと対応付けて記憶し、前記選択手段は、前記受信された患者識別データの示す患者についての詳細医療データを前記医療行為データと共に選択し、前記第１送信手段は、前記選択された詳細医療データを前記医療行為データと共に前記通信手段を介して送信し、前記第２受信手段は、前記第１送信手段から送信された詳細医療データを前記医療行為データと共に前記通信手段を介して受信し、前記出力データ生成手段は、前記入力手段により指定された医療行為データに関連する詳細医療データを表示するための出力データを、前記受信された詳細医療データに基づいて生成することを特徴とする。」と訂正する。
・訂正事項ｋ
　明細書の段落番号【００４８】（明細書における第７〜１１行目）において「この際、医師、看護婦等の操作者の操作により入力手段を介して、出力手段により表として出力された各医療行為データのうち所望の医療行為データが指定されると、出力データ生成手段により、該指定された医療行為データに関連する詳細医療データを前記表とは異なる所定のフォーマットで画像出力するための出力データが更に生成される。」とあるのを、不明瞭な記載の釈明を目的として、「この際、医師、看護婦等の操作者の操作により入力手段を介して、所望の医療行為データが指定されると、出力データ生成手段により、該指定された医療行為データに関連する詳細医療データを表示するための出力データが更に生成される。」と訂正する。
・訂正事項ｌ
　明細書の段落番号【００４９】の最後の文章「更に、請求項４に記載された医療計画支援システムにおいて、表示手段の画面に表示され入力手段により指定された表中の日や種類にかかる詳細医療データを用いて、出力データ生成手段がリスト、グラフ、チャート等の画像出力をするための出力データを生成するようにすれば、表に示された医療行為を見ながら適宜、その医療行為に関連する詳細医療データを臨機応変に指定し引き出せる。」を、不明瞭な記載の釈明を目的として削除する。
・訂正事項ｍ
　明細書の段落番号【００５３】（明細書における第１〜２行目）において「請求項２３に記載の医療計画支援装置によれば、上述の請求項１に記載した第２医療計画支援装置と同様に作用する。」とあるのを、不明瞭な記載の釈明を目的として、「請求項２３に記載の医療計画支援装置によれば、入力手段により指定された医療行為データに関連する詳細医療データを表示する作用を除き、上述の請求項１に記載した第２医療計画支援装置と同様に作用する。」と訂正する。
・訂正事項ｎ
　明細書の段落番号【０１０４】（明細書における第２行目）の「医療行為データの示す医療行為を」を、不明瞭な記載の釈明を目的として、「既に実行された医療行為を示す医療行為データ及び計画した将来実行される医療行為を示す医療行為データを含む複数の医療行為データ」と訂正する。
・訂正事項ｏ
　明細書の段落番号【０１０４】の最後に、不明瞭な記載の釈明を目的として次の文章を挿入する。「更にまた、医師、看護婦等の操作者が、表に示された既に実行された所望の医療行為を入力手段を介して指定すれば、この医療行為についての結果を示す詳細医療データが、表とは別の画像出により又は表の上に開かれたウインドウ画像出力等により、例えば、リスト、グラフチャート等で画像出力されるので、限られた画面スペースで多種多様な情報を扱う上で、大変便利である。」
・訂正事項ｐ
　明細書の段落番号【０１１３】の最後に、不明瞭な記載の釈明を目的として次の文章を挿入する。「特に、従来は別々の台帳等に記録されていた医師の記録と看護婦の記録とが同一表上に表示されるので、医療計画を立てつつ医師と看護婦との意志の疎通と連係作業が極めて良好に図られるという効果も得られる。」
・訂正事項ｑ
　明細書の段落番号【０１２３】（明細書における第１〜５行目）において「医師、看護婦等の操作者が、表に示された医療行為のうち所望のものを入力手段を介して指定するだけで、この所望の医療行為に関連する詳細医療データが、表とは別の画像出力により又は表の上に開かれたウインドウ画像出力により、画像出力されるので、限られた画面スペースで多種多様な情報を扱う上で、大変便利である。」とあるのを、不明瞭な記載の釈明を目的として、「医療行為データと共に、医療データ記憶手段により記憶され、選択手段により選択され、第１送信手段により送信され、第２受信手段により受信された詳細医療データが、表とは別の画像出力により又は表の上に開かれたウインドウ画像出力等により画像出力されるので、限られた画面スペースで多種多様な情報を扱う上で、大変便利である。」と訂正する。
・訂正事項ｒ
　明細書の段落番号【０１２５】（明細書における第１〜２行目）において「上述の請求項１に記載した第２医療計画支援装置と同様の効果が得られる。」を、不明瞭な記載の釈明を目的として「入力手段により指定された医療行為データに関連する詳細医療データを表示することによる効果を除き、上述の請求項１に記載した第２医療計画支援装置と同様の効果が得られる。」と訂正する。
・訂正事項ｓ
　特許請求の範囲の請求項１（明細書における第４７〜５３行目）において、「前記医療データ記憶手段は、前記第１受信手段により受信された新たな医療行為データを用いて記憶内容を更新し、
　前記入力手段は、前記画面に表示された出力データの示す複数の日付けに含まれる任意の日及び複数種類に含まれる任意の種類のうち少なくとも一方を指定可能に構成されており、」とあるのを、特許請求の範囲の滅縮を目的として、「前記医療データ記憶手段は、前記第１受信手段により受信された新たな医療行為データを用いて記憶内容を更新し、
　前記出力データ生成手段は、前記医療行為データが示す医療行為が既に実行されたか否かを示す結果フラグに基づいて、既に実行された医療行為に対応する画像出力部分とまだ実行されていない医療行為に対応する画像出力部分とが異なる方法で出力されるように前記出力データを生成し、
　前記入力手段は、前記画面に表示された出力データの示す複数の日付けに含まれる任意の日及び複数種類に含まれる任意の種類のうち少なくとも一方を指定可能に構成されており、」と訂正する。
・訂正事項ｔ
　特許請求の範囲の請求項１３において、「前記医療行為データには、…ことを特徴とする」を、不明瞭な記載の釈明を目的として、「前記医療行為データには、前記結果フラグが付けられていることを特徴とする」と訂正する。
・訂正事項ｕ
　特許請求の範囲の請求項２３（明細書における第３６〜４４行目）において、「前記第２送信手段は、前記入力手段により追加、変更及び削除された出力データに対応する前記新たな医療行為データを前記通信手段を介して前記第１受信手段に送信し、
　前記入力手段は、前記画面に表示された出力データの示す複数の日付けに含まれる任意の日及び複数種類に含まれる任意の種類のうち少なくとも一方を指定可能に構成されており、」とあるのを、特許請求の範囲の減縮を目的として、「前記第２送信手段は、前記入力手段により追加、変更及び削除された出力データに対応する前記新たな医療行為データを前記通信手段を介して前記第１受信手段に送信し、
　前記出力データ生成手段は、前記医療行為データが示す医療行為が既に実行されたか否かを示す結果フラグに基づいて、既に実行された医療行為に対応する画像出力部分とまだ実行されていない医療行為に対応する画像出力部分とが異なる方法で出力されるように前記出力データを生成し、
　前記入力手段は、前記画面に表示された出力データの示す複数の日付けに含まれる任意の日及び複数種類に含まれる任意の種類のうち少なくとも一方を指定可能に構成されており、」と訂正する。
・訂正事項ｖ
　特許請求の範囲の請求項２４（明細書における第４１〜４８行目）において、「前記出力データを生成するステップは、…生成するステップを含む」とあるのを、特許請求の範囲の減縮を目的として、「前記出力データを生成するステップは、前記医療行為データが示す医療行為が既に実行されたか否かを示す結果フラグに基づいて、既に実行された医療行為に対応する画像出力部分とまだ実行されていない医療行為に対応する画像出力部分とが異なる方法で出力されるように前記出力データを生成するステップと、前記画面に表示された出力データの示す複数の日付けに含まれる任意の日及び複数種類に含まれる任意の種類のうち前記入力手段により指定された少なくとも一方にかかる医療行為データを前記表とは異なるフォーマットにより前記画面に表示するための出力データを、該異なるフォーマットに対応するフォーマット情報に基づいて生成するステップとを含む」と訂正する。
・訂正事項Ｗ
　明細書の段落番号【０００８】（明細書における終わりから第１１〜６行目）において「前記医療データ記憶手段は、前記第１受信手段により受信された新たな医療行為データを用いて記憶内容を更新し、前記入力手段は、前記画面に表示された出力データの示す複数の日付けに含まれる任意の日及び複数種類に含まれる任意の種類のうち少なくとも一方を指定可能に構成されており、」とあるのを、不明瞭な記載の釈明を目的として、「前記医療データ記憶手段は、前記第１受信手段により受信された新たな医療行為データを用いて記憶内容を更新し、前記出力データ生成手段は、前記医療行為データが示す医療行為が既に実行されたか否かを示す結果フラグに基づいて、既に実行された医療行為に対応する画像出力部分とまだ実行されていない医療行為に対応する画像出力部分とが異なる方法で出力されるように前記出力データを生成し、前記入力手段は、前記画面に表示された出力データの示す複数の日付けに含まれる任意の日及び複数種類に含まれる任意の種類のうち少なくとも一方を指定可能に構成されており、」と訂正する。
・訂正事項×
　明細書の段落番号【０００９】の最後に、不明瞭な記載の釈明を目的として次の文章を挿入する。「更に、出力データ生成手段により、結果フラグに基づいて、既に実行された医療行為に対応する画像出力部分とまだ実行されていない医療行為に対応する画像出力部分とが、異なる方法で出力されるように出力データが生成される。この結果、出力手段により、各医療行為が実行されたか否かが一目瞭然の表が画像出力される。」
・訂正事項ｙ
　明細書の段落番号【００３１】（明細書における第２〜７行目）において「前記医療行為データには、…ことを特徴とする。」とあるのを、不明瞭な記載の釈明を目的として、「前記医療行為データには、前記結果フラグが付けられていることを特徴とする。」と訂正する。
・訂正事項Ｚ
　明細書の段落番号【００３２】（明細書における第２〜７行目）において「出力データ生成手段により、…画像出力される。」を、不明瞭な記載の釈明を目的として、「出力データ生成手段により、医療行為データに付けられた結果フラグに基づいて既に実行された医療行為に対応する画像出力部分とまだ実行されていない医療行為に対応する画像出力部分とが異なる方法で出力されるように出力データが生成される。」と訂正する。
・訂正事項α
　明細書の段落番号【００５２】（明細書における終わりから第１２〜６行目）において「前記第２送信手段は、前記入力手段により追加、変更及び削除された出力データに対応する前記新たな医療行為データを前記通信手段を介して前記第１受信手段に送信し、前記入力手段は、前記画面に表示された出力データの示す複数の日付けに含まれる任意の日及び複数種類に含まれる任意の種類のうち少なくとも一方を指定可能に構成されており、」とあるのを、不明瞭な記載の釈明を目的として、「前記第２送信手段は、前記入力手段により追加、変更及び削除された出力データに対応する前記新たな医療行為データを前記通信手段を介して前記第１受信手段に送信し、前記出力データ生成手段は、前記医療行為データが示す医療行為が既に実行されたか否かを示す結果フラグに基づいて、既に実行された医療行為に対応する画像出力部分とまだ実行されていない医療行為に対応する画像出力部分とが異なる方法で出力されるように前記出力データを生成し、前記入力手段は、前記画面に表示された出力データの示す複数の日付けに含まれる任意の日及び複数種類に含まれる任意の種類のうち少なくとも一方を指定可能に構成されており、」と訂正する。
・訂正事項β
　明細書の段落番号【００５３】（明細書原本における終わりから第９〜２行目）において「前記出力データを生成するステップは、…生成するステップを含む」とあるのを、不明瞭な記載の釈明を目的として、「前記出力データを生成するステップは、前記医療行為データが示す医療行為が既に実行されたか否かを示す結果フラグに基づいて、既に実行された医療行為に対応する画像出力部分とまだ実行されていない医療行為に対応する画像出力部分とが異なる方法で出力されるように前記出力データを生成するステップと、前記画面に表示された出力データの示す複数の日付けに含まれる任意の日及び複数種類に含まれる任意の種類のうち前記入力手段により指定された少なくとも一方にかかる医療行為データを前記表とは異なるフォーマットにより前記画面に表示するための出力データを、該異なるフォーマットに対応するフォーマット情報に基づいて生成するステップとを含む」と訂正する。
（訂正の目的の適否・新規事項の有無及び拡張・変更の存否）
・訂正事項ａは、訂正前の請求項１の、
「複数種類の既に実行された医療行為及び将来実行される医療行為のうちの一方を夫々示す医療行為データ」を「複数種類の既に実行された医療行為を示す医療行為データ及び計画した将来実行される医療行為を示す医療行為データを含む複数の医療行為データ」と訂正するものであって、不明瞭な記載の釈明および特許請求の範囲の減縮に相当する。
・訂正事項ｂは、請求項１の「生成することを特徴とする医療計画支援システム。」を「生成し、前記入力手段は、前記画面に前記表として表示された複数の医療行為データのうち所望の医療行為データを指定可能に構成されており、前記出力データ生成手段は、夫々の前記医療行為データの示す医療行為と関連すると共に前記既に実行された医療行為についての結果を示す詳細医療データを含む複数の詳細医療データのうち前記入力手段により指定された医療行為データに関連する詳細医療データを前記表とは異なる所定のフォーマットで前記画面に表示するための出力データを、前記詳細医療データに基づいて生成することを特徴とする医療計画支援システム。」と訂正するものであって、特許請求の範囲の減縮に相当する。
・訂正事項ｃは、特許請求の範囲の請求項１１において「治療、処置、注射、検査、対診、評価、投薬、食事、活動制限、観察、リハビリテーンョン、コーディネーション、入退院、患者家族の教育、医師の記録及び看護の記録のうちの少なくとも一種類」を「治療、処置、注射、検査、対診、評価、投薬、食事、活動制限、観察、リハビリテーション、コーディネーション、入退院及び患者家族の教育のうちの少なくとも一種類並びに医師の記録及び看護の記録」と訂正するものであって、特許請求の範囲の減縮に相当する。
・訂正事項ｓは、特許請求の範囲の請求項１における「前記医療データ記憶手段は、前記第１受信手段により受信された新たな医療行為データを用いて記憶内容を更新し、前記入力手段は、前記画面に表示された出力データの示す複数の日付けに含まれる任意の日及び複数種類に含まれる任意の種類のうち少なくとも一方を指定可能に構成されており、」を「前記医療データ記憶手段は、前記第１受信手段により受信された新たな医療行為データを用いて記憶内容を更新し、
　前記出力データ生成手段は、前記医療行為データが示す医療行為が既に実行されたか否かを示す結果フラグに基づいて、既に実行された医療行為に対応する画像出力部分とまだ実行されていない医療行為に対応する画像出力部分とが異なる方法で出力されるように前記出力データを生成し、
　前記入力手段は、前記画面に表示された出力データの示す複数の日付けに含まれる任意の日及び複数種類に含まれる任意の種類のうち少なくとも一方を指定可能に構成されており、」と訂正するものであって、医療行為が既に実行されたか否かを示す結果フラグに基づいて画像出力を生成するとするという構成を付加するものであるので、特許請求の範囲の滅縮に相当する。
・訂正事項ｔは特許請求の範囲の請求項１３における、「前記医療行為データには、…ことを特徴とする」を、「前記医療行為データには、前記結果フラグが付けられていることを特徴とする」と訂正するものであるが、この訂正は、請求項１の訂正によって、請求項１３に生じた不明りょうな記載を釈明するものである。
・訂正事項ｕは特許請求の範囲の請求項２３における「前記第２，送信手段は、前記入力手段により追加、変更及び削除された出力データに対応する前記新たな医療行為データを前記通信手段を介して前記第１受信手段に送信し、
　前記入力手段は、前記画面に表示された出力データの示す複数の日付けに含まれる任意の日及び複数種類に含まれる任意の種類のうち少なくとも一方を指定可能に構成されており、」を、「前記第２送信手段は、前記入力手段により追加、変更及び削除された出力データに対応する前記新たな医療行為データを前記通信手段を介して前記第１受信手段に送信し、
　前記出力データ生成手段は、前記医療行為データが示す医療行為が既に実行されたか否かを示す結果フラグに基づいて、既に実行された医療行為に対応する画像出力部分とまだ実行されていない医療行為に対応する画像出力部分とが異なる方法で出力されるように前記出力データを生成し、
　前記入力手段は、前記画面に表示された出力データの示す複数の日付けに含まれる任意の日及び複数種類に含まれる任意の種類のうち少なくとも一方を指定可能に構成されており、」と訂正するものであって、出力データ生成手段が、医療行為データが示す医療行為が既に実行されたか否かを示す結果フラグに基づいて、既に実行された医療行為に対応する画像出力部分とまだ実行されていない医療行為に対応する画像出力部分とが異なる方法で出力するという構成を付加するものであるので、特許請求の範囲の滅縮に相当する。
・訂正事項ｖは特許請求の範囲の請求項２４における「前記出力データを生成するステップは、…生成するステップを含む」を「前記出力データを生成するステップは、前記医療行為データが示す医療行為が既に実行されたか否かを示す結果フラグに基づいて、既に実行された医療行為に対応する画像出力部分とまだ実行されていない医療行為に対応する画像出力部分とが異なる方法で出力されるように前記出力データを生成するステップと、前記画面に表示された出力データの示す複数の日付けに含まれる任意の日及び複数種類に含まれる任意の種類のうち前記入力手段により指定された少なくとも一方にかかる医療行為データを前記表とは異なるフォーマットにより前記画面に表示するための出力データを、該異なるフォーマットに対応するフォーマット情報に基づいて生成するステップとを含む」と訂正するものであって、出力データを生成するステップとして、医療行為データが示す医療行為が既に実行されたか否かを示す結果フラグに基づいて、既に実行された医療行為に対応する画像出力部分とまだ実行されていない医療行為に対応する画像出力部分とが異なる方法で出力するという構成を付加するものであるので、特許請求の範囲の滅縮に相当する。
・訂正事項ｄ〜ｒ及び、ｗ〜βは、特許請求の範囲を縮減したことに伴って生じた明細書の発明の詳細説明中の不明りょうな記載を訂正するものであって、不明りょうな記載の釈明に相当する。
　また、訂正事項ａ〜βは、新規事項の追加でもなく、特許請求の範囲の拡張または変更にも該当しない。
（独立特許要件の判断）
　訂正明細書の請求項１〜２４に係る発明は以下の通りである。
・請求項１
　通信手段を介して結ばれる複数の医療計画支援装置を備えており、前記複数の医療計画支援装置のうち少なくとも一つの第１医療計画支援装置は
　複数の患者夫々に対する複数種類の既に実行された医療行為を示す医療行為データ及び計画した将来実行される医療行為を示す医療行為データを含む複数の医療行為データを各医療行為の実行にかかる少なくとも日付け毎に記憶する医療データ記憶手段と、
　前記複数の患者のうち任意の一人を示す患者識別データを前記通信手段を介して受信する第１受信手段と、
　該受信された患者識別データの示す患者についての医療行為データを前記医療データ記憶手段から選択する選択手段と、
　該選択された医療行為データを前記通信手段を介して送信する第１送信手段とを備えており、
　前記複数の医療計画支援装置のうち少なくとも一つの第２医療計画支援装置は前記患者識別データを入力するための入力手段と、
　該入力手段により入力された患者識別データを前記通信手段を介して前記第１受信手段に送信する第２送信手段と、
　前記第１送信手段から送信された医療行為データを前記通信手段を介して受信する第２受信手段と、
　該受信された医療行為データの示す医療行為を前記複数種類別に前記日付け毎に並べた表として画像出力するための出力データを、該表の枠組みを規定する所定のフォーマット情報及び前記受信された医療行為データに基づいて生成する出力データ生成手段と、
　該生成された出力データを画像出力する出力手段と
　を備えており、
　前記入力手段は、各患者、各日付け及び各種類についての前記医療行為データを．入力可能に構成されており、
　前記第２送信手段は、前記入力手段により入力された医療行為データを前記通信手段を介して前記第１受信手段に更に送信し、
　前記第１受信手段は、前記送信された医療行為データを更に受信し、
　前記医療データ記憶手段は、前記受信された医療行為データを記憶し、
　前記出力手段は、前記出力データを表示する画面を有する表示手段を含み、
　前記入力手段は、前記画面の上に表示された出力データを追加、変更及び削除可能に構成されており、
　前記第２送信手段は、前記入力手段により追加、変更及び削除された出力データに対応する新たな医療行為データを前記通信手段を介して前記第１受信手段に送信し、
　前記医療データ記憶手段は、前記第１受信手段により受信された新たな医療行為データを用いて記憶内容を更新し、
　前記出力データ生成手段は、前記医療行為データが示す医療行為が既に実行されたか否かを示す結果フラグに基づいて、既に実行された医療行為に対応する画像出力部分とまだ実行されていない医療行為に対応する画像出力部分とが異なる方法で出力されるように前記出力データを生成し、
　前記入力手段は、前記画面に表示された出力データの示す複数の日付けに含まれる任意の日及び複数種類に含まれる任意の種類のうち少なくとも一方を指定可能に構成されており、
　前記出力データ生成手段は、前記入力手段により指定された日及び種類のうち少なくとも一方にかかる医療行為データを前記表とは異なるフォーマットにより前記画面に表示するための出力データを、該異なるフォーマットに対応するフォーマット情報に基づいて生成し、
　前記入力手段は、前記画面に前記表として表示された複数の医療行為データのうち所望の医療行為データを指定可能に構成されており、
　前記出力データ生成手段は、夫々の前記医療行為データの示す医療行為と関連すると共に前記既に実行された医療行為についての結果を示す詳細医療データを含む複数の詳細医療データのうち前記入力手段により指定された医療行為データに関連する詳細医療データを前記表とは異なるフォーマットで前記画面に表示するための出力データを、前記詳細医療データに基づいて生成することを特徴とする医療計画支援システム。
・請求項２
　前記第２医療計画支援装置は、前記表の枠組みを規定するフォーマット情報を含む複数の画像出力用のフォーマットを規定するフォーマット情報を記憶するフォーマット記憶手段を更に備えており、
　前記入力手段は、該複数のフォーマットのうち一つを指定可能に構成されており、
　前記出力データ生成手段は、前記入力手段により指定されたフォーマットにより前記医療行為データを画像出力するための出力データを、前記指定されたフォーマットに対応するフォーマット情報に基づいて生成することを特徴とする請求項１に記載の医療計画支援システム。
・請求項３
　前記入力手段は、前記画面の上にフォーマット選択メニューとして表示される前記複数のフォーマットのうち一つを指定可能に構成されていることを特徴とする請求項２に記載の医療計画支援システム。
・請求項４
　前記入力手段は、キーボード、テンキースイッチ、マウス、トラックボール、入力ペン及び入力タブレットのうちの少なくとも一つを含む入力操作装置を備えたことを特徴とする請求項１から３のいずれか一項に記載の医療計画支援システム。
・請求項５
　前記入力手段は、前記出力手段により出力される一つの表に含まれるべき日数を指定可能に構成されており、
　前記出力データ生成手段は、前記表の各枠を埋める出力データの少なくとも一部をフォントから構成すると共に、該フォントのサイズを前記入力手段により指定された日数に応じて定まる前記表を構成する各枠のサイズに見合ったサイズとするように構成されたことを特徴とする請求項１から４のいずれか一項に記載の医療計画支援システム。
・請求項６
　前記入力手段は、前記患者識別データと共に作者識別用の操作者識別データを入力可能に構成されており、
　前記第２送信手段は、前記入力手段により入力された操作者識別データを前記患者識別データと共に送信し、
　前記第１受信手段は、前記送信された操作者識別データを前記患者識別データと共に受信し、
　前記選択手段は、前記受信された患者識別データの示す患者について前記受信された操作者識別データの示す操作者に対し参照可能として予め設定された種類の医療行為を示す医療行為データのみを前記医療データ記憶手段から選択することを特徴とする請求項１から５のいずれか一項に記載の医療計画支援システム。
・請求項７
　前記入力手段は、前記医療行為データと共に操作者識別用の操作者識別データを入力可能に構成されており、
　前記第２送信手段は、前記入力手段により入力された操作者識別データを前記医療行為データと共に送信し、
　前記第１受信手段は、前記送信された操作者識別データを前記医療行為データと共に受信し、前記医療データ記憶手段は、前記受信された操作者識別データの示す操作者に対し入力可能として予め設定された種類の医療行為を示す前記受信された医療行為データのみを記憶することを特徴とする請求項１から６のいずれか一項に記載の医療計画支援システム。
　請求項８
　前記入力手段は、前記患者識別データが記録された記録媒体から前記患者識別データを読み取る読み取り装置を備えたことを特徴とする請求項１から７のいずれか一項に記載の医療計画支援システム。
・請求項９
　前記入力手段は、前記医療行為データが記録された記録媒体から前記医療行為データを読み取る読み取り装置を備えた装置を備えたことを特徴とする請求項１から８のいずれか一項に記載の医療計画支援システム。
・請求項１０
　前記表は、前記日付け毎に区分された列と前記複数種類別に区分された行とからなることを特徴とする請求項１から９のいずれか一項に記載の医療計画支援システム。
・請求項１１
　前記複数種類の医療行為は、治療、処置、注射、検査、対診、評価、投薬、食事、活動制限、観察、リハビリテーション、コーディネーション、入退院及び患者家族の教育のうちの少なくとも一種類並びに医師の記録及び看護の記録を含むことを特徴とする請求項１から１０のいずれか一項に記載の医療計画支援システム。
・請求項１２
　前記第２医療計画支援装置は、日をカウントするカウント手段を更に備えており、
　前記出力データ生成手段は該カウントされた日に基づいて本日と一致する日にかかる画像出力部分が他の画像出力部分と異なる方法で出力されるように前記表示データを生成することを特徴とする請求項１から１１のいずれか一項に記載の医療計画支援システム。
・請求項１３
　前記医療行為データには、前記結果フラグが付けられていることを特徴とする請求項１から１２のいずれか一項に記載の医療計画支援システム。
・請求項１４
　前記第２医療計画支援装置のうち少なくとも一つは．前記第２受信手段により受信された医療行為データを用いて診療簿を画像出力するための出力データを生成可能に構成された出力データ生成手段を備えた診療用装置であることを特徴とする請求項１から１３のいずれか一項に記載の医療計画支援システム。
・請求項１５
　前記第２医療計画支援装置のうち少なくとも一つは、前記第２受信手段により受信された医療行為データを用いて医療会計用の演算を行うと共に該演算結果に基づいて医療会計簿を画像出力するための出力データを生成可能に構成された出力データ生成手段を備えた会計用装置であることを特徴とする請求項１から１４のいずれか一項に記載の医療計画支援システム。
・請求項１６
　前記第２医療計画支援装置のうち少なくとも一つは、前記第２受信手段により受信された医療行為データを用いて薬剤リストを画像出力するための出力データを生成可能に構成された出力データ生成手段を備えた薬剤用装置であることを特徴とする請求項１から１５のいずれか一項に記載の医療計画支援システム。
・請求項１７
　前記医療データ記憶手段は、少なくとも一部の医療行為データについては前記日付けと共に時刻毎に記憶し、
　前記出力データ生成手段は、前記少なくとも一部の医療行為データに対しては、前記表の各枠の中で更に各医療行為を時刻毎に並べて画像出力するための出力データを、前記時間毎の医療行為データに基づいて生成することを特徴とする請求項１から１６のいずれか一項に記載の医療計画支援システム。
・請求項１８
　前記医療データ記憶手段は、少なくとも一部の医療行為データについては前記日付けと共に時刻毎に記憶し、
　前記出力データ生成手段は、前記少なくとも一部の医療行為データに対しては、前記日付け毎に並べる代わりに、前記医療行為データを所定時間単位にまとめて該所定時間毎に並べた表として画像出力するための出力データを、前記時間毎の医療行為データに基づいて生成することを特徴とする請求項１から１６のいずれか一項に記載の医療計画支援システム。
・請求項１９
　前記出力データ生成手段は、少なくとも一部の医療行為データについては前記日付け毎に並べる代わりに、前記医療行為データを連続した複数日単位にまとめて該複数日毎に並べた表形式のフォーマットにより画像出力するための出力データを生成することを特徴とする請求項１から１６のいずれか一項に記載の医療計画支援システム。
・請求項２０
　前記１医療計画支援装置は、前記入力手段、前記出力データ生成手段及び前記出力手段を更に備え、前記第１送信手段及び第１受信手段は、前記第２送信手段及び第２受信手段としても夫々機能し、
　前記第２医療計画支援装置は、前記医療データ記憶手段及び前記選択手段を更に備え、前記第２送信手段及び第２受信手段は、前記第１送信手段及び第１受信手段としても夫々機能し、
　前記第１及び第２医療計画支援装置は相互に同一な構成を有することを特徴とする請求項１から請求項１９のいずれか一項に記載の医療計画支援システム。
・請求項２１
　前記医療データ記憶手段は、前記詳細医療データを夫々の前記医療行為データと対応付けて記憶し、
　前記選択手段は、前記受信された患者識別データの示す患者についての詳細医療データを前記医療行為データと共に選択し、
　前記第１送信手段は、前記選択された詳細医療データを前記医療行為データと共に前記通信手段を介して送信し、
　前記第２受信手段は、前記第１送信手段から送信された詳細医療データを前記医療行為データと共に前記通信手段を介して受信し、
　前記出力データ生成手段は、前記入力手段により指定された医療行為データに関連する詳細医療データを表示するための出力データを、前記受信された詳細医療データに基づいて生成することを特徴とする請求項１から２０のいずれか一項に記載の医療計画支援システム。
・請求項２２
　前記詳細医療データは、複数の日付けについて夫々記録された所定の医療行為に関連する数値データを含み、
　前記出力データ生成手段は、出力画像の一部分に前記表を画像出力すると共に
　前記数値データを前記出力画像の他の部分に前記表の日付けの並びに対応した軸を持つグラフとして画像出力するための出力データを前記数値データに基づいて更に生成し、
　前記出力手段は、該生成された出力データを画像出力することを特徴とする請求項２１に記載の医療計画支援システム。
・請求項２３
　複数の患者夫々に対する複数種類の既に実行された医療行為を示す医療行為データ及び計画した将来実行される医療行為を示す医療行為データを含む複数の医療行為データを各医療行為の実行にかかる少なくとも日付け毎に記憶する医療データ記憶手段と、前記複数の患者のうち任意の一人を示す患者識別データを通信手段を介して受信し、前記医療データ記憶手段に記憶するための医療行為データを前記通信手段を介して更に受信する第１受信手段と、該受信された患者識別データの示す患者についての医療行為データを前記医療データ記憶手段から選択する選択手段と、該選択された医療行為データを前記通信手段を介して送信する第１送信手段とを備えており、前記医療データ記憶手段は前記第１受信手段により受信される新たな医療行為データを用いて記憶内容を更新する医療計画支援センターに前記通信手段を介して結ばれる医療計画支援装置であつて、
　前記患者識別データ並びに各患者、各日付け及び各種類についての医療行為データを入力可能に構成された入力手段と、
　該入力手段により入力された患者識別データ及び医療行為データを前記通信手段を介して前記第１受信手段に送信する第２送信手段と、
　前記第１送信手段から送信された医療行為データを前記通信手段を介して受信する第２受信手段と、
　該受信された医療行為データの示す医療行為を前記複数種類別に前記日付け毎に並べた表として画像出力するための出力データを、該表の枠組みを規定する所定のフォーマット情報及び前記受信された医療行為データに基づいて生成する出
力データ生成手段と、
　該生成された出力データを画像出力する出力手段とを備えており、
　前記出力手段は、前記出力データを表示する画面を有する表示手段を含み、
　前記入力手段は、前記画面の上に表示された出力データを追加、変更及び削除可能に構成されており、
　前記第２送信手段は、前記入力手段により追加、変更及び削除された出力データに対応する前記新たな医療行為データを前記通信手段を介して前記第１受信手段に送信し、
　前記出力データ生成手段は、前記医療行為データが示す医療行為が既に実行されたか否かを示す結果フラグに基づいて、既に実行された医療行為に対応する画像出力部分とまだ実行されていない医療行為に対応する画像出力部分とが異なる方法で出力されるように前記出力データを生成し、
　前記入力手段は、前記画面に表示された出力データの示す複数の日付けに含まれる任意の日及び複数種類に含まれる任意の種類のうち少なくとも一方を指定可能に構成されており、
　前記出力データ生成手段は、前記入力手段により指定された日及び種類のうち少なくとも一方にかかる医療行為データを前記表とは異なるフォーマットにより前記画面に表示するための出力データを、該異なるフォーマットに対応するフォーマット情報に基づいて生成することを特徴とする医療計画支援装置。
・請求項２４
　複数の患者夫々に対する複数種類の既に実行された医療行為を示す医療行為データ及び計画した将来実行される医療行為を示す医療行為データを含む複数の医療行為データを各医療行為の実行にかかる少なくとも日付け毎に記憶する医療データ記憶手段と、前記複数の患者のうち任意の一人を示す患者識別データを通信手段を介して受信し、前記医療データ記憶手段に記憶するための医療行為データを前記通信手段を介して更に受信する受信手段と、該受信された患者識別データの示す患者についての医療行為データを前記医療データ記憶手段から選択する選択手段と、該選択された医療行為データを前記通信手段を介して送信する送信手段とを備えており、前記医療データ記憶手段は前記受信手段により受信される新たな医療行為データを用いて記憶内容を更新する医療計画支援センターに前記通信手段を介して結ばれる医療計画支援装置における医療計画支援方法であって、
　前記患者識別データを入力するための入力手段により入力された患者識別データを前記通信手段を介して前記受信手段に送信するステップと、
　前記送信手段から送信された医療行為データを前記通信手段を介して受信するステップと、
該受信された医療行為データの示す医療行為を前記複数種類別に前記日付け毎に並べた表として出力手段により画像出力するための出力データを、該表の枠組みを規定する所定のフォーマット情報及び前記受信された医療行為データに基づいて生成するステップと、
　該生成された出力データを前記出力手段により画像出力するステップと、
前記入力手段により入力された各患者、各日付け及び各種類についての前記医療行為データを前記通信手段を介して前記受信手段に更に送信するステップと
　を備えており、
　前記画像出力するステップは、前記出力手段の備えた画面を有する表示手段により前記出力データを表示するステップを含み、
　前記医療行為データを送信するステップは、前記画面の上に表示され且つ前記入力手段により追加、変更及び削除された出力データに対応する前記新たな医療行為データを前記通信手段を介して前記受信手段に送信するステップを含み、
　前記出力データを生成するステップは、
　前記医療行為データが示す医療行為が既に実行されたか否かを示す結果フラグに基づいて、既に実行された医療行為に対応する画像出力部分とまだ実行されていない医療行為に対応する画像出力部分とが異なる方法で出力されるように前記出力データを生成しするステップと、前記画面に表示された出力データの示す複数の日付けに含まれる任意の日及び複数種類に含まれる任意の種類のうち前記入力手段により指定された少なくとも一方にかかる医療行為データを前記表とは異なるフォーマットにより前記画面に表示するための出力データを、該異なるフォーマットに対応するフォーマット情報に基づいて生成するステップとを含むことを特徴とする医療計画支援方法。
　であり、これに対して、当審が通知した取消理由で引用した、特開昭６２−２６９５３４号公報（以下、引用例１という），特開昭６３−１６５９６４号公報（以下、引用例２という），特開平７−２４９０８５号公報（以下、引用例３という），特開平７−２４９０８６号公報（以下、引用例４という），特開平６−２５９４５４号公報（以下、引用例５という）及び米国特許第５０７２３８３号明細書（以下、引用例６という）には以下の発明が記載されている。
・引用例１には、
　病院の相互的に接続された診療所と各部門とで用いられる各種医療行為データを管理する医療情報システムに関するものであって、経歴（記録）、医療データおよび患者データの秘密保持に必要な特定の診療所および部門のステーション条件にしたがって、経歴（記録）および医療データをシステムに入力し、これを全ての診療所および部門で利用できるようにしたもの、が記載されている。
・引用例２には、
　病院などで用いられる検査データのデータの検索装置に関するものであって、検査データに関する属性を検査時期と検査項目のマトリクスにして表示し、上記マトリクス上の指定された位置に対応する検査データを検索出力するようにして検索を容易にできるようにしたもの、が記載されている。
・引用例３には、
　医療機関用診療支援システムに関するものであって、医師による薬剤オーダー指示や点滴オーダー指示などを容易に行えるようにするものであって、各種情報を登録し、必要に応じてこれを参照することによって医師に対する情報の種類を多くして、診療時間の短縮および診療の質の向上を図るもの、が記載されている。
・引用例４には、
　医療機関用診療支援システムに関するものであって、診療日付を見なくとも、画面表示された内容の日付を認識させるために、ＣＲＴ装置上に表示される各薬剤オーダーのうち、過去の薬剤オーダーの背景色を淡い黄色にし、今回の薬剤オーダーの背景色を淡いブルーにして、ＣＲＴ装置を見ている医師などに画面表示されている薬剤オーダーがいつの時点の薬剤オーダーかが一目で認識できるようにして、診療時の入力時間を短縮すると共に、診療の質を向上させるもの、が記載されている。
・引用例５には、
　医療総合情報システムに関するものであって、医療の現場に設けられたディスプレイ付きの端末装置に、オーダーを入力するウインドウ上にマウス或いはキーボードによって操作される患者データのカテゴリー別の画面アイテムが設けられて、簡単に他のウインドウを開くことができるようにして操作性を向上したもの、が記載されている。
・引用例６には、
　サーバーを構成するホストコンピュータと病院の各部署に設置されるコンピュータ端末とを備える病院の自動情報処理システムに関するものであって、ホストコンピュータが、個々の患者に対する医療に関するデータを日付毎に記憶して、コンピュータ端末との間で個々の患者のデータのやり取りが行え、コンピュータ端末の画面上に表された表上において、各種のデータの追加、変更、削除を行うことにより、ホストコンピュータのデータを更新でき、また、医療に関するデータが種々の表形式で表されるようになっている。そして、医師や看護婦の書いたオーダー（指示）が医師や看護婦のサインによって有効になって、時間順に配列された作業リストを自動的に作成すると共に、このリストの情報を別の書式にコピーできるもの、が記載されている。
そこで、本件請求項１に係る発明と上記引用例１〜６に記載の発明とを対比すると、本件請求項１に係る発明の構成要素であるところの、
　複数の患者夫々に対する複数種類の既に実行された医療行為を示す医療行為データ及び計画した将来実行される医療行為を示す医療行為データを含む複数の医療行為データを各医療行為の実行にかかる少なくとも日付け毎に記憶する医療データを記憶すると共に、前記医療行為データが示す医療行為が既に実行されたか否かを示す結果フラグに基づいて、既に実行された医療行為に対応する画像出力部分とまだ実行されていない医療行為に対応する画像出力部分とが異なる方法で出力するという構成は記載されておらず、またそのことを示唆する記載もなされていない。
　そして、本件請求項１に係る発明は上記構成を有することによって、将来実行する医療行為の計画が容易に立てられるという本件請求項１に係る発明特有の作用・効果を奏するものである。
　したがって、訂正明細書の請求項１に係る発明は特許出願の際に独立して特許を受けることができるものである。
　また、本件請求項２〜２２に係る発明は、本件請求項１に記載の構成を全て有しているので、上記と同様の理由で特許出願の際に独立して特許を受けることができるものである。
　また、本件請求項２３及び２４に係る発明についても、上記本件請求項１に係る発明に対する判断と同様の理由で、特許出願の際に独立して特許を受けることができるものである。
（むすび）
　以上のとおりであるから、上記訂正は、特許法第１２０条の４第２項及び第３項で準用する第１２６条第２ー４項の規定に適合するので、当該訂正を認める。
（特許異議申立についての判断）
（申立の理由の概要ー１）
　特許異議申立人株式会社日本光電メディネットは、甲第１号証「山形市立病院済生館での総合医療情報システム」，甲第２号証（特開平７−１９４５５９号公報号公報），甲第３号証（米国特許明細書第５０７２３８３号），甲第４号証（携帯型看護情報ターミナルを活用した看護情報システム），甲第５号証（分散型病院情報システムの構築），甲第６号証（第一種共通テキスト（１０）情報セキュリティとシステム監査），甲第７号証（日系パソコン１２−４１９９５），甲第８号証（テクニカルデータブック），甲第９号証（情報処理大辞典６７８頁），甲第１０号証（特開平６−１１０９４７号公報号公報），甲第１１号証（富山医薬大病院情報システムの設計概念），甲第１２号証（重症患者監視システムと看護記録），甲第１３号証（第二種共通テキスト（７）通信ネットワーク），甲第１４号証（ベッドサイドＰＯＳ端末を利用した患者情報管理システム），甲第１５号証（特開平５−１４３６２０号公報）および甲第１６号証（特開平７−８５３６６号公報）を挙げて、本件請求項１〜２４の発明は、甲第１〜１６号証に記載の発明と同一である、もしくは、甲第１から１６号証に記載の発明に基づいて当業者が容易に発明をすることができたものであるから、特許法第２９条第１項第３号もしくは、同法第２９条第２項の規定に該当し、同法第１１３条第１項第２号の規定により、その登録は取り消されるべきである旨主張している。
（当審の判断ー１）
・各号証の内容ー１
　甲第１号証には、総合医療情報システムに関するものとして、
「ホスト（Ｍ７７０／８）主記憶９６ＭＢ）医事会計のＨＯＰＥ／Ｘとオーダーシステム（処方レントゲン、生理検査、内視鏡。リハビリを含む）処理する」「オーダ端末はＦＭＲ７０で、トリプルアイを使用したＭＳ−ＤＯＳであり、マウスとキーボードの両方が使用可能である、各科外来とカンファランスルームにオーダ用に配置され、薬局三台、レントゲンニ台、生理検査室二台、検査室一台、医事課１１台、各病棟に三台の計８５台である。光ケーブルのＦＳリンクと同軸ケーブルのＤＳリンクでホストのＦＡＣＯＭと接続されている。」「図１がカレンダー画面で、カルテのイメージで指示歴が伝票単位に参照できて、ここで指示内容の確認や変更と追加が可能である。」及び「セット画面は、特にレントゲン指示で必須であり、画面で検査項目を選択すると、予め設定された内容が基本画面に一気に展開され（図２）さらにこの画面で指示の変更や追加が可能である。」
　という記載がなされている。
　甲第２号証には、オンライン医療診断支援システムに関するものとして、
「図１は、本発明のリアルタイム医療診断支援システムのハードウエア構成を示す。図１において、本システムはＩＤカード番号読取り／データ転送装置４〜７、ＬＡＮインタフェース８〜１１、ＩＤカード発行装置１２、ホストコンピュータ１３、診断部ターミナルコンピュータ部３０、出力ターミナルコンピュータ４０、通信部５０、及び受付処理装置６０、問診・手入力検査機器入力装置７０から構成されている。」（段落【００１４】）、「ＩＤカード発行後、またはＩＤ情報の読取り日後に、問診によるデータが入力される。この操作により、ＩＤ情報と問診情報とが対ｔなってサーバーに保存される。」（段落【００４０】）、「図４〜６はドクターステーション部の機能を実現するためのソフトウエア構成を示す。図４において、検者選択機能部では検査データ機能部に対してＩＤカードをＩＤカード読取り装置にて読み取って入力し、またはキーボードからＩＤを入力し、あるいは検査の進行に見合って検査一覧から入力する。検査データ機能部では、入力されたＩＤ情報に基づいてサーバー、ＭＯディスク、ＣＤ−ＲＯＭから検査データを取得し、診断機能部にデータを転送する。」（段落【００２８】）、「図７はペリフェラルステーションのソフトウエア構成を示す。検者選択機能は、ドクターステーション部にある検者選択機能と同一であり、ＩＤカードやＩＤ入力等により検者が特定されるとそのＩＤ情報に基づいて出力処理、入力処理、およびＩＳＤＮ処理の各機能が動作する。出力処理機能部では検査データ機能によりサーバーから検査データや診断結果データを取り込み、該データをプリントアウトおよび／または保存するための処理を行って出力デバイスに出力する。」（段落【００３５】）、及び「問診処理は、図５に示すようにメニュー画面表示機能、画面表示機能、および診断機能を備えている。すなわち、表示されたメニュー画面から検査項目を選択すると、当該検査項目に関連した画像が表示され、また数値で表される検査項目に対して検査値と標準値がそれぞれ表示される。」（段落【００２９】）が記載されている。
　甲第３号証には、
「病院内情報システムにおいて、表示手段とデータ入力手段を有する複数の端末を有するデータ処理システムを有する。患者情報は端末を介してシステムに入力され、システム内で階層的に管理され、」「このシステムにより、医師または看護婦の指示から入力されるデータから自動的に発生する経時的なタスクリストが表示される。タスクはシステムユーザーにより直接システム・フォーム上で図表化することもでき、タスクリストとそれに関連するフォームが自動的に更新される」（ＡＢＳＴＲＡＣＴ部分）、「Ｆｉｇ．２には、ローカルエリアネットワーク（ＬＡＮ）に接続された複数のワークステーションまたは端末２，２２，３２，３４，８５を有する分配型コンピュータシステムが示されている。」（Ｃｏｌ．５Ｌｉｎｅ．５８〜６４）、「ファイル・サーバー６４とディスク記憶装置がＬＡｎ１に接続されていること」（Ｃｏｌ．６，Ｌｉｎｅ．２８〜３２）、「患者覧情報スクリーンは、病院または診療所の例えば２ＮＴＵ，９ＮＢＵＲＮ，ＭＩＣＵ，９ＮＩＣＵ，ＣＣＵなど種々の病室をリストする領域７０により構成され」「スクリーン領域７４は、対応する患者を表示している。スクリーン領域７６は、対応する患者Ｉ．Ｄを示している。スクリーン領域７８はいずれの患者にも関連する追加情報を記録するために使用される。ユーザーは患者を患者氏名または患者Ｉ．Ｄ番号（もしスクリーンに表示されているのならば）または部屋／ベッド番号（もしそのような部屋／ベッドが使用されていないものとして表示されているならば）を指し示してクリックすることにより選択してもよい。」（Ｃｏｌ．７，Ｌｉｎｅ３６〜５４）、「これはフォローシート・セクションにおける医療管理記録フォームを示すＦＩＧ．９からわかることである。領域２７２〜２７５は、上述したタスクリスト図表化行為により、この形式で更新されている。」（Ｃｏｌ．１２，Ｌｉｎｅ５４〜５８）、「スクリーンの部分１５２には、フローシート、オーダーズ、ナーシング・ケア・プラン（ＮＣＰ）、評価、検査、呼吸治療（Ｒ．Ｔ）そしてカーデックスなど、種々のリストが含まれる。」とセクション１５２において「オーダズ・セクションが選択される」とフォーム１５４には、「オーダー・シートとオーダーシストリが表示され選択できるようになっていること」（Ｃｏｌ．８，Ｌｉｎｅ３５〜４７及びＦＩＧ．５）、「Ｆｉｇ．８Ａを参照すると、ユーザーはカーソル矢印２００を所望の項目に動かし、指示装置５（Ｆｉｇ．２を参照）により選択することにより、９：００のバリウム投与を選択する。そして、Ｆｉｇ．８Ａに示されるように、領域２５６は強調され、”チャート”ソフトキー２５８がディスプレイの下側部分に表れる。次に彼または彼女が図表作成の用意ができたことを表示するため、ユーザーは”チャート”ソフトキー２５８を選択する。Ｆｉｇ．８Ｂに示すように、これによりフローシート・セクションの医療管理記録フォーム（Ｆｉｇ．６に示される）の上に薬物投与に関連し特にバリウム・オーダに関する行２５２のポップアップ・ウインドウ２５９が開く。ポップアップ・ウインドウ２５９（Ｆｉｇ．８Ｂ）に表示された情報はフローシートとセクション（Ｆｉｇ．６）の医療管理記録フォームの行２５２に表れたものと一致する。」（Ｃｏｌ．１１，Ｌｉｎｅ６７〜Ｃｏｌ．１２，Ｌｉｎｅ１６；ＦＩＧ．８Ａー８Ｃ）、「更にＦｉｇ．８Ａにおいて、そして、看護婦は、適切な介入あるいは手続きを表示するポップアップ・ウインドウの中の領域を選択することにより、直接ポップアップ・ウインドウ２５９｛図５｝の上に図表化する。そして看護婦は、カーソル２００を”実時刻”領域２６０へ動かし、指示装置５にあるボタンを押し下げることにより、薬物投与された正確な時刻を文章化することもできる。領域２６０は強調され看護婦は必要であれば、適切なキーボード入力をすることにより、デフォールト時刻を変更することもできる。また、看護婦は表示された服用量やサイトを確認し、必要であれば変更し、望む場合はコメントを入力することもできる。そして、″ＯＫ”ソフトキー２７８を選択することにより入力を有効にすることもできる。」（Ｃｏｌ．１２，Ｌｉｎｅ２４〜Ｌｉｎｅ．３７）
が記載されている。
　甲第４号証には、看護型看護情報ターミナルに関して、
「看護情報管理ステーションは、ナースステーションに置き、申し送りやカンファレンスで複数の人が参照できるようにカラー液晶ディスプレイ｛２０５｝のワークステーションを採用する。この端末では、形態端末で入力された情報に加え、病院システムに入力されている情報（検査データ・薬歴）と、その他の看護情報をチャートとして表示する（図２参照）。」と記載され、図２には、９４年１０月２６日〜１１月８日まで日付毎に、尿量、尿比重などの医療データを表の枠組に表示されている。
　甲第５号証には、滋賀医大の病院内における分散型情報システム（ＭＭＬ）について、主にホストおよびパソコンにより構成され、ホストはデータベースの一元管理を行い、パソコンにその情報をダウンロードさせて利用する分散型システムを採用して、ホストの負担を軽減しレスポンスを安定させてものであって、
「これは、パソコンとホストが独立した二つのコンピュータとして機能し、それぞれの業務を行う中で必要に応じて互いのデータの送受信をしながれ業務を遂行する方式です。パソコン側にはマスターからサポートプログラム・画面展開等の（処理）機能まで持ち、できるだけホストヘのアクセスを減らし、パソコン独自処理ができるよう工夫されています。」（４５頁１６〜２４行）、「特に、パソコンにはＭＳ−ＷＩＮＤＯＷＳ３．０（以下、ＷＩＮＤＯＷＳ）を採用して、ｉｉｉで困難であったウインドウ枚数の制限や特殊なカラー表示などの部分がサポートされるようになりました。」（４７頁１〜６行）と記載され、パソコンの画面が図２，図３，図４のように複数のフォーマットで画面表示されることが記載されている。また、「給食オーダーシステムでは、ウインドウ内に食事歴（内容）が一週間日付に対して、朝・昼・夕というようにカレンダー状に表示されています（図４参照）」（４８頁１〜４行及び図４）が記載されている。
　甲第６号証には、システム管理における情報セキュリティ管理に関して、
「通信回線やチャネルを介するコンピュータシステムヘのアクセスにおける論理的アクセスコントロールについて、操作者・グループユーザＩＤパスワードなどの入力による操作者の「認識」を条件として、特定の操作者・グループに対して、予め設定されたオブジェクト（ファイル、ディレクトリなどの）にのみアクセスを許し、あるいはアクセスを許されたオブジェクトに対し、オブジェクト個々に、読取りのみ可能とするか、入力・更新まで可能とするかというアクセス権限の制限によるシステム管理方法」が記載されている。
　甲第７号証には、
「パソコン上で使用するシステム手帳のソフトウエア（ＲＯＴＵＳ　ＯＲＧＡＮＩＺＥＲ）が記載されており、３５９頁図１には、「システム手帳の見開きの状態を示し、システム手帳の本日・１２月４日（左中央カレンダーで表示されている）の文字が、他の日付と異なり、青色で強調されている。」ものが記載されている。
　甲第８号証には、
「アクティブ画面内の描画領域（Ｖｉｅｗ　Ｐｏｒｔ：ビューポート）を指定」して、「ビューポート内の塗りつぶし、外枠の描画を行う」機能が記載されている。
　甲第９号証には、フラグ（ｆｌａｇ）の説明として、「演算したデータについての状態や結果を補足するために付け加えらてた識別用のビットあるいはキャラクタ」「条件付け分岐命令では、これらのフラグが示す状態を判定してプログラムの実行経路を変更する。」という記載がなされている。
　甲第１０号証には、患者の医事データや画像データを検索する医療データ検索システムに関し、
「患者の氏名、疾病婦名などのカルテに記載する事項を登録する医事データと、患者を撮影した画像を登録する画像データとを備え、患者を撮影した画像を画像データを当該患者ＩＤに対応づけてリンクして登録すると共に、画面上から疾病名などが入力されたことに対応して、医事データに当該患者ＩＤに対応づけてリンクして登録するように構成すること」及び「必要に応じて、ビジュアルに画面上に表示し、医師が迅速かつ過去の情報を考慮した診断を可能とする」ことが記載されている。
　甲第１１号証には、富山医薬大病院における病院内システムについて、医師オーダシステムと部門システムとから成り（図１，表１）、三つのトークンリングＬＡＮ｛２｝をそれぞれブリッジ結合したシステムにおいて、
「薬剤名とその投与量を順次入力して最後に用法、日数等の入力で一処方が完成するというものである。複数処方ではこの手順を繰り返すことになる。患者一人分の処方入力が終了すると調剤日、投与開始日、投与終了日等の確認画面に展開し、その確認入力で処方箋が薬剤部に出力される。同時に薬歴、会計情報としてデータベースに取り込まれるわけである。」という記載がなされている。
　甲第１２号証には、佐賀医科大学医学部付属病院内における重症患者監視システムについて、
「各手術室、集中治療室のバイタルサインデータは、集中監視室に設置したデータ管理システムに取り込まれ、さらに各ベッドサイドのワークステーションに送られ、麻酔記録及び熱型表に自動的に取り込まれ表示される。また、データ管理システムは当院診療支援システム（ホストコンピュータ）に接続され、患者番号により診療支援システムのデータを本システムでも利用できる。」と記載されており、また、図６には、「表中段には、患者の体内に摂取され、排出される量を示す”ＩＮ　Ｔｏｔａｌ・ＯＵＴ　Ｔｏｔａｌ・Ｂｌａｎｃｅ”が上段の”ＶＩＴＡＬＳＩＧＮＳ”の表の時間軸と合わされて自動計算表示され、この時間軸は２４時間分を所定の時間間隔ごとに表示されており、したがって、”ＩＮ　Ｔｏｔａｌ・ＯＵＴ　Ｔｏｔａｌ・Ｂｌａｎｃｅ”が時刻ごとに記憶され、表に所定時間間隔ごとに表示されている。
　甲第１３号証には、ピアツーピア型ＬＡＮについて、
「すべてのマシンが対等な立場でクライアントやサーバになることができ」「相互接続された通信機器どうしは、対等な立場に立って、それぞれの情報処理を依頼できる」ことが記載されている。
　甲第１４号証には、患者データの情報管理用ホストコンピュータと携帯するＰＯＳ端末により構成される患者情報管理システムについて、
「ＰＯＳ端末により得られた患者毎にバイタルサインの集計（図５）には、その上側に医療行為データである数値データが、８月２日〜８月８日の一週間分が日付毎に枠組みされて折線グラフ（トレンド・グラフ）として表示されている。さらに、図５の下側の表が、上側の日付の欄から矢印で結ばれているため、日付を指定すると、下側の図面が、上側のフォーマットとは異なるフォーマットで表示されることが示され、その下側の表は、計測時刻（６：００、１０：００、１１：００、１２：００）と数値データの種類（体温、血圧、心拍、呼吸）の表となっており、この表への数値の入力に際し、同表右側の選択ボタンにあるように、「修正」、「確認」、「閉じる」」ことができることが示されている。
　甲第１５号証には、ＩＣカードを利用した薬歴管理システムとして、
「患者用ＩＣカード１と、ＩＣカードリーダ／ライタ１２を備え、パソコン１１を操作して、患者用ＩＣカード１に記録・蓄積された薬歴情報や検診歴情報、臨床検査情報、病歴情報などを読み取るもの」が記載されている。
　甲第１６号証には、ＰＯＳ端末装置に関するものとして、
「入力された商品の売り上げ登録処理を行うＰＯＳ端末装置において、商品キーに対応して少なくとも商品名と価格を記憶するテーブルと、商品キーの入力を行う手段と、ビットマップによる表示が可能な表示手段と、前記入力手段により入力された商品キーを基に前記テーブルを検索して、商品売り上げ登録処理を行う処理手段と、前記テーブルから検索された商品名を、前記表示装置の予め定められた表示範囲に合わせて表示文字の大きさを可変して表示する表示制御手段を備えることを特徴とするＰＯＳ端末装置。」が記載されている。
・対比及び判断
・請求項１の発明に対して、
　そこで、本件請求項１の発明と上記甲第１〜１６号証に記載の発明とを対比すると、上記甲第１〜１６号証には、本件請求項１に係る発明の構成要素であるところの、
「複数の患者夫々に対する複数種類の既に実行された医療行為を示す医療行為データ及び計画した将来実行される医療行為を示す医療行為データを含む複数の医療行為データを各医療行為の実行にかかる少なくとも日付け毎に記憶する医療データを記憶すると共に、前記医療行為データが示す医療行為が既に実行されたか否かを示す結果フラグに基づいて、既に実行された医療行為に対応する画像出力部分とまだ実行されていない医療行為に対応する画像出力部分とが異なる方法で出力するという構成は記載されておらず、またそのことを示唆する記載もなされていない。
　そして、本件請求項１に係る発明は上記構成を有することによって、将来実行する医療行為の計画が容易に立てられるという本件請求項１に係る発明特有の作用・効果を奏するものである。
　したがって、本件請求項１に係る発明は上記甲第１号〜１６号証に記載の発明と同一とはいえない、また、上記甲第１〜１６号証に記載の発明に基づいて当業者が容易に発明をすることができたものとはいえない。
　また、本件請求項２〜２２に係る発明は、本件請求項１に記載の構成を全て有しているので、上記と同様の理由で甲第１〜１６号証に記載の発明と同一であるとはいえない。また、甲第１〜１６号証に記載の発明に基づいて当業者が容易に発明をすることができたものとはいえない。
　また、本件請求項２３及び２４に係る発明についても、上記本件請求項１に係る発明に対する判断と同様の理由で、甲第１〜１６号証に記載の発明と同一とはいえない、また、甲第１〜１６号証に記載の発明に基づいて当業者が容易に発明をすることができたものとはいえない。
（申立の理由の概要ー２）
　特許異議申立人三浦俊郎は、本件特許の各発明は、所定の事項を紙やホワイトボード等へ記載するという出願当時に通常の病院で行っていたことを単にコンピュータを用いて行ったという人為的取り決めを変更したに過ぎず、自然法則を利用した技術的思想の創作では無いから特許法第２条の「発明」に該当しないので、特許法第２９条柱書の規定により特許を受けることができない旨主張している。（主張ー１という）
　また、甲第１号証（特開平６−２１８０１１号公報），甲第２号証（ＨＯＰＥ／ＥＧＭＡＩＮ解説書第２版），甲第３号証（ＮＳＳ１１００カタログ），甲第４号証（特開平２８２１２９号公報），甲第５号証（第５回看護情報システム研究会講演集（第１００〜１０５頁），甲第６号証（第１３回医療情報学連合大会論文集（第６２１〜６２２頁），甲第７号証（健康福祉統合型社会システムの都市型モデルに関する調査研究報告書）を挙げて、本件請求項１〜２４の発明は、甲第１〜７号証に記載の発明に基づいて当業者が容易に発明をすることができたものであるから、特許法第２９条第２項の規定に該当し、同法第１１３条第１項第２号の規定により、その登録は取り消されるべきである旨主張している。
（主張ー２という）
（当審の判断ー２）
　主張１に対して、
　異議申立人は、本件特許が発明に該当しない理由として、本件の目的である所の「医師個人の裁量や技能によらずに、適切な医療計画を客観的に且つ効率的に立てることができる」であるが、個人のノウハウを複数の人で共有するために、そのノウハウを明文化することは一般的な周知の事項である。特に医療の分野においては、カルテを中心とした多々の記録手法によってノウハウを明文化しており、医師個人の裁量や技能によらず適切な医療計画を立てることが可能になっている。例えば、カーデックスと呼ばれる記録様式は、個人のノウハウを共有するために日本およびアメリカの病院で普及しており、ノウハウを共有化することは当然の事として実行されている。さらに、カーデックスと呼ばれる記録様式は、医療の分野の種々の職種に合わせて効率よく計画や作業を行えるように様々な様式があり、客観的に且つ効率的に医療計画を立てるために適宜選択して利用されている。さらに、かみやホワイトボードを用いたとしても、程度の差はあれ、病院の全スタッフが同じ表を見ることが可能であるし、患者についての各種の情報を同一の表に示すのはまさにカーデックスそのものであり、紙で行っていたことを表現しているにすぎない。また、各医療行為の担当スタッフが継続的に紙やホワイトボードに記入しても、全スタッフの連携プレーが可能であるし、医療行為の蓄積も当然である。よって本件発明は、紙やホワイトボードに手書きしていたことを、単にコンピュータを用いて記入するという人為的な取り決めを変更したに過ぎず、自然法則を利用した技術的思想の創作には該当しない。旨主張しているが、本件請求項１に係る発明は、
「通信手段を介して結ばれる複数の医療計画支援装置を備えており、前記複数の医療計画支援装置のうち少なくとも一つの第１医療計画支援装置は
　複数の患者夫々に対する複数種類の既に実行された医療行為を示す医療行為データ及び計画した将来実行される医療行為を示す医療行為データを含む複数の医療行為データを各医療行為の実行にかかる少なくとも日付け毎に記憶する医療データ記憶手段と、
　前記複数の患者のうち任意の一人を示す患者識別データを前記通信手段を介して受信する第１受信手段と、
　該受信された患者識別データの示す患者についての医療行為データを前記医療データ記憶手段から選択する選択手段と、
　該選択された医療行為データを前記通信手段を介して送信する第１送信手段とを備えており、
　前記複数の医療計画支援装置のうち少なくとも一つの第２医療計画支援装置は前記患者識別データを入力するための入力手段と、
　該入力手段により入力された患者識別データを前記通信手段を介して前記第１受信手段に送信する第２送信手段と、
　前記第１送信手段から送信された医療行為データを前記通信手段を介して受信する第２受信手段と、
　該受信された医療行為データの示す医療行為を前記複数種類別に前記日付け毎に並べた表として画像出力するための出力データを、該表の枠組みを規定する所定のフォーマット情報及び前記受信された医療行為データに基づいて生成する出力データ生成手段と、
　該生成された出力データを画像出力する出力手段と
　を備えており、
　前記入力手段は、各患者、各日付け及び各種類についての前記医療行為データを．入力可能に構成されており、
　前記第２送信手段は、前記入力手段により入力された医療行為データを前記通信手段を介して前記第１受信手段に更に送信し、
　前記第１受信手段は、前記送信された医療行為データを更に受信し、
　前記医療データ記憶手段は、前記受信された医療行為データを記憶し、
　前記出力手段は、前記出力データを表示する画面を有する表示手段を含み、
　前記入力手段は、前記画面の上に表示された出力データを追加、変更及び削除可能に構成されており、
　前記第２送信手段は、前記入力手段により追加、変更及び削除された出力データに対応する新たな医療行為データを前記通信手段を介して前記第１受信手段に送信し、
　前記医療データ記憶手段は、前記第１受信手段により受信された新たな医療行為データを用いて記憶内容を更新し、
　前記出力データ生成手段は、前記医療行為データが示す医療行為が既に実行されたか否かを示す結果フラグに基づいて、既に実行された医療行為に対応する画像出力部分とまだ実行されていない医療行為に対応する画像出力部分とが異なる方法で出力されるように前記出力データを生成し、
　前記入力手段は、前記画面に表示された出力データの示す複数の日付けに含まれる任意の日及び複数種類に含まれる任意の種類のうち少なくとも一方を指定可能に構成されており、
　前記出力データ生成手段は、前記入力手段により指定された日及び種類のうち少なくとも一方にかかる医療行為データを前記表とは異なるフォーマットにより前記画面に表示するための出力データを、該異なるフォーマットに対応するフォーマット情報に基づいて生成し、
　前記入力手段は、前記画面に前記表として表示された複数の医療行為データのうち所望の医療行為データを指定可能に構成されており、
　前記出力データ生成手段は、夫々の前記医療行為データの示す医療行為と関連すると共に前記既に実行された医療行為についての結果を示す詳細医療データを含む複数の詳細医療データのうち前記入力手段により指定された医療行為データに関連する詳細医療データを前記表とは異なるフォーマットで前記画面に表示するための出力データを、前記詳細医療データに基づいて生成することを特徴とする医療計画支援システム。」であって、医療計画支援システムとして、「通信手段を介して結ばれる複数の医療計画支援装置」を備えておりさらに、「第１医療計画支援装置」は「医療データ記憶手段」と、「第１受信手段」と、「選択手段」と、「第１送信手段」とを備えており、
「第２医療計画支援装置」は「入力手段」と、「第２送信手段」と、「第２受信手段」と、「出力データ生成手段」と、「画像出力する出力手段」とを備えていて、
　前記入力手段は、各患者、各日付け及び各種類についての前記医療行為データを入力可能に構成されており、
　前記第２送信手段は、前記入力手段により入力された医療行為データを前記通信手段を介して前記第１受信手段に更に送信し、
　前記第１受信手段は、前記送信された医療行為データを更に受信し、
　前記医療データ記憶手段は、前記受信された医療行為データを記憶し、
　前記出力手段は、前記出力データを表示する画面を有する表示手段を含み、
　前記入力手段は、前記画面の上に表示された出力データを追加、変更及び削除可能に構成されており、
　前記第２送信手段は、前記入力手段により追加、変更及び削除された出力データに対応する新たな医療行為データを前記通信手段を介して前記第１受信手段に送信し、
　前記医療データ記憶手段は、前記第１受信手段により受信された新たな医療行為データを用いて記憶内容を更新し、
　前記出力データ生成手段は、前記医療行為データが示す医療行為が既に実行されたか否かを示す結果フラグに基づいて、既に実行された医療行為に対応する画像出力部分とまだ実行されていない医療行為に対応する画像出力部分とが異なる方法で出力されるように前記出力データを生成し、
　前記入力手段は、前記画面に表示された出力データの示す複数の日付けに含まれる任意の日及び複数種類に含まれる任意の種類のうち少なくとも一方を指定可能に構成されており、
　前記出力データ生成手段は、前記入力手段により指定された日及び種類のうち少なくとも一方にかかる医療行為データを前記表とは異なるフォーマットにより前記画面に表示するための出力データを、該異なるフォーマットに対応するフォーマット情報に基づいて生成し、
　前記入力手段は、前記画面に前記表として表示された複数の医療行為データのうち所望の医療行為データを指定可能に構成されており、
　前記出力データ生成手段は、夫々の前記医療行為データの示す医療行為と関連すると共に前記既に実行された医療行為についての結果を示す詳細医療データを含む複数の詳細医療データのうち前記入力手段により指定された医療行為データに関連する詳細医療データを前記表とは異なるフォーマットで前記画面に表示するための出力データを、前記詳細医療データに基づいて生成することを特徴とするものであるので、本件請求項１に係る発明は、単にコンピュータを用いて処理することのみに特徴がある自然法則を利用した技術的思想の創作でないという異議申立人の主張は採用できない。
　また、本件請求項２〜２２に係る発明は、上記請求項１に係る発明の構成を全て備えており、また、本件請求項２３に係る発明は本件請求項１に係る発明と実質的に等価な構成を有しているので、上記請求項１に係る発明についての理由と同様な理由で異議申立人が主張する、単にコンピュータを用いて処理することのみに特徴がある自然法則を利用した技術的思想の創作でないという異議申立人の主張は採用できな
　また、本件請求項２４に係る発明は、カテゴリとしては「方法」の発明であるが、請求項１に記載の発明と実質的に等価な構成を有しているので、上記請求項１に係る発明についての理由と同様な理由で異議申立人が主張する、単にコンピュータを用いて処理することのみに特徴がある自然法則を利用した技術的思想の創作でないという異議申立人の主張は採用できな
　主張ー２に対して、
・各号証の内容ー２
　甲第１号証には、患者のためのケアの統合計画を発生しかつ実施する方法に関して、図２には、通信手段を介して結ばれる複数のワークステーション２，２２，３２，３４，８５およびファイルサーバ６２と、ディスク記憶装置６４とが記載されており、
「ファイルサーバ６２はワークステーション２，２２，３２，３４，８５によってディスク記憶装置６４に書き込みかつディスク記憶装置６４から情報を読み出すために制御されたアクセスを提供する」（段落【００３４】）、「すべての観察、オーダ、パラメータの読み、治療計画、および監視される患者に関する他の患者情報の適切な法的記録を維持することができる」（段落【００３６】）と記載され、図７には、ＪＡＣＫＳＯＮ．ＤＯＮＡＬＤ　Ｍ．の１／７の既に実行された医療行為（図中右上に現在の時間１／７の９：１０が表記されていることから、９：１０以前の行為がそれにあたる）および将来実行される医療行為（同様に９：１０以降の医療行為がそれにあたる）の双方および、医療行為を複数種類別（看護婦が行う医療行為の種類であるＴＡＳＫＬＩＳＴ）で日付（１／７）毎に並べた表として出力する例が記載されている。また、「患者情報を画面に表示し、患者を選択し、選択した患者の情報を表示する一連の動作」（段落【００４２】〜【００４６】）、「患者に対して１／５〜１／８まで２ｍｇの精神安定剤のバリアムを投与するオーダを入力する詳細な手順が」（段落【００５３】〜【００５７】）、「医療管理記録フォームに対し情報の適切な入力により直接、あるいは図８の（ａ）から（ｃ）までを参照して以下に説明するように、ＴＡＳＫ　ＬＩＳＴフォームヘのウインドウを通して記録することができる。もし看護人が直接医療管理記録フォームにテャート化する場合は、ＴＡＳＫ　ＬＩＳＴフォームを含め、対応するフォームは自動的に更新される。」（段落【００７１】）が記載されている。
　甲第２号証には、病院管理システム／汎用オーダシステムに関して、通信手段を介して結ばれるホストコンピュータ、パソコン、医事サブシステム、検査サブシステム、給食サブシステム、基本部門処理システム、統合データベースからなるシステムが記載されている。また、オーダカレンダ画面には任意の一人（富士通二郎）の医療行為データを表示した画面の記載がある。（図２．２４）また、「オーダカレンダからオーダ種別や日付あるいは伝票名称を選択することにより指示歴機能を呼び出すことができる」（第５２頁）も記載されている。
　甲第３号証には、ＩＣＵ−ＣＣＵでのデータ整理・記録作業を支援するシステムに関して、第８頁の構成図には、通信手段を介して結ばれるデータ収集部、複数のベッドサイドワークステーション及び複数のワークステーションが接続されたシステムが記載されており、「ベッドサイドモニタで測定した、心拍数・血圧値当の連続データおよび心拍出量の不定期データをオンラインで収拾する」「輸液、薬剤、処置、看護、観察等の情報はマウス等の簡単な操作で入力できます。メニューの構成、項目の内容は各施設毎に変更できます。」（第３頁）という記載がなされている。また、第４頁には、任意の一人（光電太郎）の医療行為データを表示した画面が記載されており、「未確認のデータはオンラインデータで表示、最新データを常に確認できる仕様です。また、オンラインデータと確認データの両方を切り換えて表示することもできます。」とい記載がなされている。
　甲第４号証には、スケジュール管理システムに関して、スケジュールの表示形式（マンスリー表示、ウイークリー表示、デイリー表示等）が示されており、現在の日時を網掛けして表示予定が過去であるか未来であるかを一目で分かるようにするものが記載されている。
　甲第５号証には、オンラインシステムにおけるカーデックスの作成に関して、図５及び図６には当日予定及び週間予定という複数のカーデックスの例が示されており、画面を切り換えて表示することが記載されている。
　甲第６号証には、山形市立病院済生館で導入した分散型医療情報システムに関するものであって、図１のカレンダ画面には、処方、検査、放射線生理、注射、移動、給食の項目が一週間の表として記載されている。
　甲第７号証には、健康福祉統合型社会システムの都市型モデルに関するものであって、各病院・診療所でＩＣカードヘの入力を行い、また、ＩＣカードからデータベースヘの入力を行うことが記載されている。
・対比及び判断ー２
・請求項１の発明に対して、
　そこで、本件請求項１の発明と上記甲第１〜７号証に記載の発明とを対比すると、上記甲第１〜７号証には、本件請求項１に係る発明の構成要素であるところの、
「複数の患者夫々に対する複数種類の既に実行された医療行為を示す医療行為データ及び計画した将来実行される医療行為を示す医療行為データを含む複数の医療行為データを各医療行為の実行にかかる少なくとも日付け毎に記憶する医療データを記憶すると共に、前記医療行為データが示す医療行為が既に実行されたか否かを示す結果フラグに基づいて、既に実行された医療行為に対応する画像出力部分とまだ実行されていない医療行為に対応する画像出力部分とが異なる方法で出力する」という構成は記載されておらず、またそのことを示唆する記載もなされていない。
　そして、本件請求項１に係る発明は上記構成を有することによって、将来実行する医療行為の計画が容易に立てられるという本件請求項１に係る発明特有の作用・効果を奏するものである。
　したがって、本件請求項１に係る発明は上記甲第１〜７号証に記載の発明に基づいて当業者が容易に発明をすることができたものとはいえない。
　また、本件請求項２〜２２に係る発明は、本件請求項１に記載の構成を全て有しているので、上記と同様の理由で甲第１〜７号証に記載の発明に基づいて当業者が容易に発明をすることができたものとはいえない。
　また、本件請求項２３及び２４に係る発明についても、上記本件請求項１に係る発明に対する判断と同様の理由で、甲第１〜７号証に記載の発明に基づいて当業者が容易に発明をすることができたものとはいえない。
（申立の理由の概要ー３）
　特許異議申立人池田繁次は、
甲第１号証（特開昭６２−２６９５３４号公報），甲第２号証（特開昭６３−１６５９６４号公報），甲第３号証（特開平７−２４９０８５号公報），甲第４号証（特開平７−２４９０８６号公報），甲第５号証（特開平６−２５９４５４号公報）を挙げて、本件請求項１〜２４の発明は、甲第１〜５号証に記載の発明に基づいて当業者が容易に発明をすることができたものであるから、特許法第２９条第２項の規定に該当し、同法第１１３条第１項第２号の規定により、その登録は取り消されるべきである旨主張している。
（当審の判断ー３）
・各号証の内容ー３
　甲第１〜５号証は取消理由で通知した引用例１〜５と同じである。
・対比及び判断ー３
・請求項１の発明に対して、
　そこで、本件請求項１の発明と上記甲第１〜５号証に記載の発明とを対比すると、上記甲第１〜５号証には、本件請求項１に係る発明の構成要素であるところの、
「複数の患者夫々に対する複数種類の既に実行された医療行為を示す医療行為データ及び計画した将来実行される医療行為を示す医療行為データを含む複数の医療行為データを各医療行為の実行にかかる少なくとも日付け毎に記憶する医療データを記憶すると共に、前記医療行為データが示す医療行為が既に実行されたか否かを示す結果フラグに基づいて、既に実行された医療行為に対応する画像出力部分とまだ実行されていない医療行為に対応する画像出力部分とが異なる方法で出力する」という構成は記載されておらず、またそのことを示唆する記載もなされていない。
　そして、本件請求項１に係る発明は上記構成を有することによって、将来実行する医療行為の計画が容易に立てられるという本件請求項１に係る発明特有の作用・効果を奏するものである。
　したがって、本件請求項１に係る発明は上記甲第１〜５号証に記載の発明に基づいて当業者が容易に発明をすることができたものとはいえない。
　また、本件請求項２〜２２に係る発明は、本件請求項１に記載の構成を全て有しているので、上記と同様の理由で甲第１〜５号証に記載の発明に基づいて当業者が容易に発明をすることができたものとはいえない。
　また、本件請求項２３及び２４に係る発明についても、上記本件請求項１に係る発明に対する判断と同様の理由で、甲第１〜５号証に記載の発明に基づいて当業者が容易に発明をすることができたものとはいえない。
（申立の理由の概要ー４）
　特許異議申立人半谷　仁は、
　甲第１号証（特開平６−２５９４５４号公報），甲第２号証（特開平６ー３２７６３６号公報），甲第３号証（特許第２５４１９５４号昭和６３年７月９日に特開昭６３−１６５９６３号として公開），甲第４号証（看護支援システム「ケアパルシステム、カタログＮｏ．９５０６、株式会社ケアコム（９５．６発行）），甲第５号証（テルモ看護支援システム「ナースネット」テノレモ株式会社（９５．９．３０発行））、甲第６号証（病院総合情報システム「ＨＡＰＰＹオーダシステム」カタログ、株式会社東芝９５．６発行））を挙げて、本件請求項１〜２４の発明は、甲第１〜６号証に記載の発明に基づいて当業者が容易に発明をすることができたものであるから、特許法第２９条第２項の規定に該当し、同法第１１３条第１項第２号の規定により、その登録は取り消されるべきである旨主張している。
（当審の判断ー４）
・各号証の内容ー４
　甲第１号証は取消理由で通知した引用例５と同じである。
　甲第２号証には、医療データ管理システムに関するものであって、「そこでこの発明の目的とするところは、受診データを記録する際に、その受診データを元にして、受診歴を作成するに必要な情報を盛り込んだファイル名を自動生成してそのファイル名で記録すると共に、ファイル名を集計するだけで受診歴が作成できるようにし、詳細を見たいファイルを簡単に引き出すことができ、ファイル数が増えても操作性が損なわれないと共に、必要な情報を容易に得ることができるようにした医療管理システムを提供することにある。」という記載がなされている。
　甲第３号証には、検査データ処理装置における処理方法に関するものであって、「検査された検査データを最適な方法で表示できる検査データ処理装置における処理方法を提供することを目的とするものである。」という記載がなされている。
　甲第４号証には、医療行為データを時刻毎に記憶するもので、温度が時刻毎にグラフとして表示されているものが記載されている。
　甲第５号証には、メニュー画面に複数のフォマットの内の１つを指定可能に構成されている点。及び、メニュー画面と体温表示画面とで各枠内の文字サイズがそれぞれ異なるように表示されている点が記載されている。
　甲第６号証には、医療行為を所定時間単位にまとめて所定時間毎に並べて画像出力して表示するものが記載されている。
・対比及び判断ー４
・請求項１の発明に対して、
　そこで、本件請求項１の発明と上記甲第１〜６号証に記載の発明とを対比すると、上記甲第１〜６号証には、本件請求項１に係る発明の構成要素であるところの、
「複数の患者夫々に対する複数種類の既に実行された医療行為を示す医療行為データ及び計画した将来実行される医療行為を示す医療行為データを含む複数の医療行為データを各医療行為の実行にかかる少なくとも日付け毎に記憶する医療データを記憶すると共に、前記医療行為データが示す医療行為が既に実行されたか否かを示す結果フラグに基づいて、既に実行された医療行為に対応する画像出力部分とまだ実行されていない医療行為に対応する画像出力部分とが異なる方法で出力する」という構成は記載されておらず、またそのことを示唆する記載もなされていない。
　そして、本件請求項１に係る発明は上記構成を有することによって、将来実行する医療行為の計画が容易に立てられるという本件請求項１に係る発明特有の作用・効果を奏するものである。
　したがって、本件請求項１に係る発明は上記甲第１〜６号証に記載の発明に基づいて当業者が容易に発明をすることができたものとはいえない。
　また、本件請求項２〜２２に係る発明は、本件請求項１に記載の構成を全て有しているので、上記と同様の理由で甲第１〜６号証に記載の発明に基づいて当業者が容易に発明をすることができたものとはいえない。
　また、本件請求項２３及び２４に係る発明についても、上記本件請求項１に係る発明に対する判断と同様の理由で、甲第１〜６号証に記載の発明に基づいて当業者が容易に発明をすることができたものとはいえない。
（申立の理由の概要ー５）
　特許異議申立人西田　穣は、
　甲第１号証（米国特許第５０７２３８３号明細書）を挙げて、本件請求項１〜２４の発明は、甲第１号証に記載の発明と同一である、もしくは、甲第１号証に記載の発明に基づいて当業者が容易に発明をすることができたものであるから、特許法第２９条第２項の規定に該当し、同法第１１３条第１項第２号の規定により、その登録は取り消されるべきである旨主張している。
（当審の判断ー５）
・各号証の内容ー５
　甲第１号証は取消理由で通知した引用例６と同じである。
・対比及び判断ー５
・請求項１の発明に対して、
　そこで、本件請求項１の発明と上記甲第１号証に記載の発明とを対比すると、上記甲第１号証には、本件請求項１に係る発明の構成要素であるところの、
「複数の患者夫々に対する複数種類の既に実行された医療行為を示す医療行為データ及び計画した将来実行される医療行為を示す医療行為データを含む複数の医療行為データを各医療行為の実行にかかる少なくとも日付け毎に記憶する医療データを記憶すると共に、前記医療行為データが示す医療行為が既に実行されたか否かを示す結果フラグに基づいて、既に実行された医療行為に対応する画像出力部分とまだ実行されていない医療行為に対応する画像出力部分とが異なる方法で出力する」という構成は記載されておらず、またそのことを示唆する記載もなされていない。
　そして、本件請求項１に係る発明は上記構成を有することによって、将来実行する医療行為の計画が容易に立てられるという本件請求項１に係る発明特有の作用・効果を奏するものである。
　したがって、訂正明細書の請求項１に係る発明は上記甲第１号号証に記載の発明と同一とはいえない、また、上記甲第１号証に記載の発明に基づいて当業者が容易に発明をすることができたものとはいえない。
い。
　また、本件請求項２〜２２に係る発明は、本件請求項１に記載の構成を全て有しているので、上記と同様の理由で甲第１号証に記載の発明と同一であるとはいえない、また、甲第１号証に記載の発明に基づいて当業者が容易に発明をすることができたものともいえない。
　また、本件請求項２３及び２４に係る発明についても、上記本件請求項１に係る発明に対する判断と同様の理由で、甲第１号証に記載の発明と同一であるとはいえない、また、甲第１号証に記載の発明に基づいて当業者が容易に発明をすることができたものとはいえない。
　また、他に本件請求項１〜２４に係る特許を取り消すべき理由を発見しない。
　よって、結論のとおり決定する。
【異議決定日】
平成１１年６月１５日（１９９９．６．１５）
【訂正の要旨】
訂正の要旨
▲１▼　訂正事項ａ
　特許請求の範囲の請求項１（明細書における第５〜６行目）、２３（明細書原本における第１〜２行目）及び２４（明細書原本における第１〜２行目）において「複数種類の既に実行された医療行為及び将来実行される医療行為のうちの一方を夫々示す医療行為データ」とあるのを夫々、特許請求の範囲の減縮及び不明瞭な記載の釈明を目的として、「複数種類の既に実行された医療行為
を示す医療行為データ及び計画した将来実行される医療行為を示す医療行為心データを含む複数の
▲２▼　訂正事項ｂ
　特許請求の範囲の請求項１（明細書における最終行目）において「生成することを特徴とする医療計画支援システム。」とあるのを、特許請求の範囲の減縮を目的として、「生成
し、
　前記入力手段は、前記画面に前記表として表示された複数の医療行為データのうち所望の医療行為データを指定可能に構成されており、
　前記出力データ生成手段は、夫々の前記医療行為データの示す医療行為と関連すると共に前記既に実行された医療行為についての結果を示す詳細医療データを含む複数の詳細医療データのうち前記入力手段により指定された医療行為データに関連する詳細医療データを前記表とは異なるフォーマットで前記画面に表示するための出力データを、前記詳細医療データに基づいて生成
▲３▼　訂正事項ｃ
　特許請求の範囲の請求項１１（明細書における第１〜４行目）において「治療、処置、注射、検査、対診、評価、投薬、食事、活動制限、観察、リハビリテーション、コーディネーション、入退院、患者家族の教育、医師の記録及び看護の記録のうちの少なくとも一種類」とあるのを、特許請求の範囲の減縮を目的として、「治療、処置、注射、検査、対診、評価、投薬、食事、活動制限、観察、リハビリテーション、コーディネーション、入退院
及び患者家族の教育のうちの
並びに医師の記録及び看護の記録
▲４▼　訂正事項ｄ
　特許請求の範囲の請求項２１を、不明瞭な記載の釈明を目的として、「前記医療データ記憶手段は、
前記
　前記選択手段は、前記受信された患者識別データの示す患者についての詳細医療データを前記医療行為データと共に選択し、
　前記第１送信手段は、前記選択された詳細医療データを前記医療行為データと共に前記通信手段を介して送信し、
　前記第２受信手段は、前記第１送信手段から送信された詳細医療データを前記医療行為データと共に前記通信手段を介して受信
し、
　前記
表示
受信された
生成する
▲５▼　訂正事項ｅ
　明細書の段落番号［０００８］（明細書における第５〜６行目）、［０００９］（明細書原本における第４〜５行目）、［００５２］（明細書原本における第２〜３行目）及び［００５３］（明細書原本における第３〜５行目）において「複数種類の既に実行された医療行為及び将来実行される医療行為のうちの一方を夫々示す医療行為データ」とあるのを夫々、不明瞭な記載の釈明を目的として、「複数種類の既に実行された医療行為
を示す医療行為データ及び計画した将来実行される医療行為を示す医療行為データを含む複数の
▲６▼　訂正事項ｆ
　明細書の段落番号［０００８］（明細書における終わりから第２〜１行目）において「生成することを特徴とする。」とあるのを、不明瞭な記載の釈明を目的として、「生成
し、前記入力手段は、前記画面に前記表として表示された複数の医療行為データのうち所望の医療行為データを指定可能に構成されており、前記出力データ生成手段は、夫々の前記医療行為データの示す医療行為と関連すると共に前記既に実行された医療行為についての結果を示す詳細医療データを含む複数の詳細医療データのうち前記入力手段により指定された医療行為データに関連する詳細医療データを前記表とは異なるフォーマットで前記画面に表示するための出力データを、前記詳細医療データに基づいて生成
▲７▼　訂正事項ｇ
　明細書の段落番号［０００９］（明細書における第８〜９行目）において「即ち、医療行為データは、既に実行された医療行為及び将来実行される医療行為のうち少なくとも一方を示す。」とあるのを、不明瞭な記載の釈明を目的として、「即ち、
複数の
を示す医療行為データ及び計画した将来実行される医療行為を示す医療行為データの両方を含む
▲８▼　訂正事項ｈ
　明細書の段落番号［０００９］の最後に、不明瞭な記載の釈明を目的として、次の文章を挿入する。「
更にまた、入力手段を介して、画面に表として表示された複数の医療行為データのうち所望の医療行為データが指定されると、出力データ生成手段により、既に実行された医療行為についての結果を示す詳細医療データを含む複数の詳細医療データのうち、該指定された医療行為データに関連する詳細医療データを該表とは異なるフォーマットで画面に表示するための出力データが、詳細医療データに基づいて生成される。この結果、出力手段により、該表とは異なる詳細医療データを用いたりスト、グラフ、チャート等が出力される。このようにすれば、表に示された医療行為を見ながら適宜、その医療行為についての結果を示す詳細医療データを臨機応変に指定し引き出せる。
▲９▼　訂正事項ｉ
　明細書の段落番号［００２７］（明細書における第４〜７行目）及び［００２８］（明細書原本における第１〜４行目）において「治療、処置、注射、検査、対診、評価、投薬、食事、活動制限、観察、リハビリテーション、コーディネーション、入退院、患者家族の教育、医師の記録及び看護の記録のうちの少なくとも一種類」とあるのを夫々、不明瞭な記載の釈明を目的として、「治療、処置、注射、検査、対診、評価、投薬、食事、活動制限、観察、リハビリテーション、コーディネーション、入退院
及び患者家族の教育のうちの
並びに医師の記録及び看護の記録
▲１０▼　訂正事項ｊ
　明細書の段落番号［００４７］（明細書における第２〜最終行目）において「前記医療データ記憶手段は、夫々の前記医療行為データの示す医療行為と関連する詳細医療データを夫々の前記医療行為データと対応付けて記憶し、前記選択手段は、前記受信された患者識別データの示す患者についての詳細医療データを前記医療行為データと共に選択し、前記第１送信手段は、前記選択された詳細医療データを前記医療行為データと共に前記通信手段を介して送信し、前記第２受信手段は、前記第１送信手段から送信された詳細医療データを前記医療行為データと共に前記通信手段を介して受信し、前記入力手段は、前記出力手段により表として出力された各医療行為データのうち所望の医療行為データを指定可能に構成されており、前記出力データ生成手段は、前記入力手段により指定された医療行為データに関連する詳細医療データを前記表とは異なる所定のフォーマットで画像出力するための出力データを、前記詳細医療データに基づいて更に生成し、前記出力手段は、該生成された出力データを画像出力することを特徴とする。」とあるのを、不明瞭な記載の釈明を目的として、「前記医療データ記憶手段は、
前記
し、前記
表示
受信された
生成する
▲１１▼　訂正事項ｋ
　明細書の段落番号［００４８］（明細書における第７〜１１行目）において「この際、医師、看護婦等の操作者の操作により入力手段を介して、出力手段により表として出力された各医療行為データのうち所望の医療行為データが指定されると、出力データ生成手段により、該指定された医療行為データに関連する詳細医療データを前記表とは異なる所定のフォーマットで画像出力するための出力データが更に生成される。」とあるのを、不明瞭な記載の釈明を目的として、「この際、医師、看護婦等の操作者の操作により入力手段を介して、
所望の
表示
▲１２▼　訂正事項ｌ
　明細書の段落番号［００４９］の最後の文章「更に、請求項４に記載された医療計画支援システムにおいて、表示手段の画面に表示され入力手段により指定された表中の日や種類にかかる詳細医療データを用いて、出力データ生成手段がリスト、グラフ、チャート等の画像出力をするための出力データを生成するようにすれば、表に示された医療行為を見ながら適宜、その医療行為に関連する詳細医療データを臨機応変に指定し引き出せる。」を、不明瞭な記載の釈明を目的として削除する。
▲１３▼　訂正事項ｍ
　明細書の段落番号［００５３］（明細書における第１〜２行目）において「請求項２３に記載の医療計画支援装置によれば、上述の請求項１に記載した第２医療計画支援装置と同様に作用する。」とあるのを、不明瞭な記載の釈明を目的として、「請求項２３に記載の医療計画支援装置によれば、
入力手段により指定された医療行為データに関連する詳細医療データを表示する作用を除き、
▲１４▼　訂正事項ｎ
　明細書の段落番号［０１０４］（明細書における第２行目）の「医療行為データの示す医療行為を」を、不明瞭な記載の釈明を目的として、「
既に実行された医療行為を示す医療行為データ及び計画した将来実行される医療行為を示す医療行為データを含む複数の
▲１５▼　訂正事項ｏ
　明細書の段落番号［０１０４］の最後に、不明瞭な記載の釈明を目的として次の文章を挿入する。
「
更にまた、医師、看護婦等の操作者が、表に示された既に実行された所望の医療行為を入力手段を介して指定すれば、この医療行為についての結果を示す詳細医療データが、表とは別の画像出力により又は表の上に開かれたウインドウ画像出力等により、例えば、リスト、グラフチャート等で画像出力されるので、限られた画面スペースで多種多様な情報を扱う上で、大変便利である。
▲１６▼　訂正事項ｐ
　明細書の段落番号［０１１３］の最後に、不明瞭な記載の釈明を目的として次の文章を挿入する。
「
特に、従来は別々の台帳等に記録されていた医師の記録と看護婦の記録とが同一表上に表示されるので、医療計画を立てつつ医師と看護婦との意志の疎通と連係作業が極めて良好に図られるという効果も得られる。
▲１７▼　訂正事項ｑ
　明細書の段落番号［０１２３］（明細書における第１〜５行目）において「医師、看護婦等の操作者が、表に示された医療行為のうち所望のものを入力手段を介して指定するだけで、この所望の医療行為に関連する詳細医療データが、表とは別の画像出力により又は表の上に開かれたウインドウ画像出力により、画像出力されるので、限られた画面スペースで多種多様な情報を扱う上で、大変便利である。」とあるのを、不明瞭な記載の釈明を目的として、「
医療行為データと共に、医療データ記憶手段により記憶され、選択手段により選択され、第１送信手段により送信され、第２受信手段により受信された詳細医療データが、表とは別の画像出力により又は表の上に開かれたウインドウ画像出力等により画像出力されるので、限られた画面スペースで多種多様な情報を扱う上で、大変便利である。
▲１８▼　訂正事項ｒ
　明細書の段落番号［０１２５］（明細書における第１〜２行目）において「上述の請求項１に記載した第２医療計画支援装置と同様の効果が得られる。」を、不明瞭な記載の釈明を目的として「
入力手段により指定された医療行為データに関連する詳細医療データを表示することによる効果を除き、
▲１９▼　訂正事項ｓ
　特許請求の範囲の請求項１（明細書における第４７〜５３行目）において、「前記医療データ記憶手段は、前記第１受信手段により受信された新たな医療行為データを用いて記憶内容を更新し、
　前記入力手段は、前記画面に表示された出力データの示す複数の日付けに含まれる任意の日及び複数種類に含まれる任意の種類のうち少なくとも一方を指定可能に構成されており、」とあるのを、特許請求の範囲の減縮を目的として、「前記医療データ記憶手段は、前記第１受信手段により受信された新たな医療行為データを用いて記憶内容を更新し、
　前記出力データ生成手段は、前記医療行為データが示す医療行為が既に実行されたか否かを示す結果フラグに基づいて、既に実行された医療行為に対応する画像出力部分とまだ実行されていない医療行為に対応する画像出力部分とが異なる方法で出力されるように前記出力データを生成し、
　前記入力手段は、前記画面に表示された出力データの示す複数の日付けに含まれる任意の日及び複数種類に含まれる任意の種類のうち少なくとも一方を指定可能に構成されており、」と訂正する。
▲２０▼　訂正事項ｔ
　特許請求の範囲の請求項１３において、「前記医療行為データには、…ことを特徴とする」を、不明瞭な記載の釈明を目的として、「前記医療行為データには、
前記
いる
▲２１▼　訂正事項ｕ
　特許請求の範囲の請求項２３（明細書における第３６〜４４行目）において、「前記第２送信手段は、前記入力手段により追加、変更及び削除された出力データに対応する前記新たな医療行為データを前記通信手段を介して前記第１受信手段に送信し、
　前記入力手段は、前記画面に表示された出力データの示す複数の日付けに含まれる任意の日及び複数種類に含まれる任意の種類のうち少なくとも一方を指定可能に構成されており、」とあるのを、特許請求の範囲の減縮を目的として、「前記第２送信手段は、前記入力手段により追加、変更及び削除された出力データに対応する前記新たな医療行為データを前記通信手段を介して前記第１受信手段に送信し、
　前記出力データ生成手段は、前記医療行為データが示す医療行為が既に実行されたか否かを示す結果フラグに基づいて、既に実行された医療行為に対応する画像出力部分とまだ実行されていない医療行為に対応する画像出力部分とが異なる方法で出力されるように前記出力データを生成し、
　前記入力手段は、前記画面に表示された出力データの示す複数の日付けに含まれる任意の日及び複数種類に含まれる任意の種類のうち少なくとも一方を指定可能に構成されており、」と訂正する。
▲２２▼　訂正事項ｖ
　特許請求の範囲の請求項２４（明細書における第４１〜４８行目）において、「前記出力データを生成するステップは、…生成するステップを含む」とあるのを、特許請求の範囲の減縮を目的として、「前記出力データを生成するステップは、
前記医療行為データが示す医療行為が既に実行されたか否かを示す結果フラグに基づいて、既に実行された医療行為に対応する画像出力部分とまだ実行されていない医療行為に対応する画像出力部分とが異なる方法で出力されるように前記出力データを生成するステップと、
と
▲２３▼　訂正事項ｗ
　明細書の段落番号［０００８］（明細書における終わりから第１１〜６行目）において「前記医療データ記憶手段は、前記第１受信手段により受信された新たな医療行為データを用いて記憶内容を更新し、前記入力手段は、前記画面に表示された出力データの示す複数の日付けに含まれる任意の日及び複数種類に含まれる任意の種類のうち少なくとも一方を指定可能に構成されており、」とあるのを、不明瞭な記載の釈明を目的として、「前記医療データ記憶手段は、前記第１受信手段により受信された新たな医療行為データを用いて記憶内容を更新し、
前記出力データ生成手段は、前記医療行為データが示す医療行為が既に実行されたか否かを示す結果フラグに基づいて、既に実行された医療行為に対応する画像出力部分とまだ実行されていない医療行為に対応する画像出力部分とが異なる方法で出力されるように前記出力データを生成し、
▲２４▼　訂正事項ｘ
　明細書の段落番号［０００９］の最後に、不明瞭な記載の釈明を目的として次の文章を挿入する。
「
更に、出力デ一夕生成手段により、結果フラグに基づいて、既に実行された医療行為に対応する画像出力部分とまだ実行されていない医療行為に対応する画像出力部分とが、異なる方法で出力されるように出力データが生成される。この結果、出力手段により、各医療行為が実行されたか否かが一目瞭然の表が画像出力される。
▲２５▼　訂正事項ｙ
　明細書の段落番号［００３１］（明細書原本における第２〜７行目）において「前記医療行為データには、…ことを特徴とする。」とあるのを、不明瞭な記載の釈明を目的として、「前記医療行為データには、
前記
いる
▲２６▼　訂正事項ｚ
　明細書の段落番号［００３２］（明細書における第２〜７行目）において「出力データ生成手段により、…画像出力される。」を、不明瞭な記載の釈明を目的として、「出力データ生成手段により、
医療行為データに付けられた
る。
▲２７▼　訂正事項α
　明細書の段落番号［００５２］（明細書における終わりから第１２〜６行目）において「前記第２送信手段は、前記入力手段により追加、変更及び削除された出力データに対応する前記新たな医療行為データを前記通信手段を介して前記第１受信手段に送信し、前記入力手段は、前記画面に表示された出力データの示す複数の日付けに含まれる任意の日及び複数種類に含まれる任意の種類のうち少なくとも一方を指定可能に構成されており、」とあるのを、不明瞭な記載の釈明を目的として、「前記第２送信手段は、前記入力手段により追加、変更及び削除された出力データに対応する前記新たな医療行為データを前記通信手段を介して前記第１受信手段に送信し、
前記出力データ生成手段は、前記医療行為データが示す医療行為が既に実行されたか否かを示す結果フラグに基づいて、既に実行された医療行為に対応する画像出力部分とまだ実行されていない医療行為に対応する画像出力部分とが異なる方法で出力されるように前記出力データを生成し、
▲２８▼　訂正事項β
　明細書の段落番号［００５３］（明細書における終わりから第９〜２行目）において「前記出力データを生成するステップは、…生成するステップを含む」とあるのを、不明瞭な記載の釈明を目的として、「前記出力データを生成するステップは、
前記医療行為データが示す医療行為が既に実行されたか否かを示す結果フラグに基づいて、既に実行された医療行為に対応する画像出力部分とまだ実行されていない医療行為に対応する画像出力部分とが異なる方法で出力されるように前記出力データを生成するステップと、
と
（５４）【発明の名称】
医療計画支援システム並びに医療計画支援装置及び方法
（５７）【特許請求の範囲】
　【請求項１】　通信手段を介して結ばれる複数の医療計画支援装置を備えており、
　前記複数の医療計画支援装置のうち少なくとも一つの第１医療計画支援装置は、
　複数の患者夫々に対する複数種類の既に実行された医療行為
を示す医療行為データ及び計画した将来実行される医療行為を示す医療行為データを含む複数の
　前記複数の患者のうち任意の一人を示す患者識別データを前記通信手段を介して受信する第１受信手段と、
　該受信された患者識別データの示す患者についての医療行為データを前記医療データ記憶手段から選択する選択手段と、
　該選択された医療行為データを前記通信手段を介して送信する第１送信手段と
　を備えており、
　前記複数の医療計画支援装置のうち少なくとも一つの第２医療計画支援装置は、
　前記患者識別データを入力するための入力手段と、
　該入力手段により入力された患者識別データを前記通信手段を介して前記第１受信手段に送信する第２送信手段と、
　前記第１送信手段から送信された医療行為データを前記通信手段を介して受信する第２受信手段と、
　該受信された医療行為データの示す医療行為を前記複数種類別に前記日付け毎に並べた表として画像出力するための出力データを、該表の枠組みを規定する所定のフォーマット情報及び前記受信された医療行為データに基づいて生成する出力データ生成手段と、
　該生成された出力データを画像出力する出力手段と
　を備えており、
　前記入力手段は、各患者、各日付け及び各種類についての前記医療行為データを入力可能に構成されており、
　前記第２送信手段は、前記入力手段により入力された医療行為データを前記通信手段を介して前記第１受信手段に更に送信し、
　前記第１受信手段は、前記送信された医療行為データを更に受信し、
　前記医療データ記憶手段は、前記受信された医療行為データを記憶し、
　前記出力手段は、前記出力データを表示する画面を有する表示手段を含み、
　前記入力手段は、前記画面の上に表示された出力データを追加、変更及び削除可能に構成されており、
　前記第２送信手段は、前記入力手段により追加、変更及び削除された出力デーに対応する新たな医療行為データを前記通信手段を介して前記第１受信手段に送信し、
　前記医療データ記憶手段は、前記第１受信手段により受信された新たな医療行為データを用いて記憶内容を更新し、
　前記出力データ生成手段は、前記医療行為データが示す医療行為が既に実行されたか否かを示す結果フラグに基づいて、既に実行された医療行為に対応する画像出力部分とまだ実行されていない医療行為に対応する画像出力部分とが異なる方法で出力されるように前記出力データを生成し、
　前記入力手段は、前記画面に表示された出力データの示す複数の日付けに含まれる任意の日及び複数種類に含まれる任意の種類のうち少なくとも一方を指定可能に構成されており、
　前記出力データ生成手段は、前記入力手段により指定された日及び種類のうち少なくとも一方にかかる医療行為データを前記表とは異なるフォーマットにより前記画面に表示するための出力デ一夕を、該異なるフォーマットに対応するフォーマット情報に基づいて生成
し、
　前記入力手段は、前記画面に前記表として表示された複数の医療行為データのうち所望の医療行為データを指定可能に構成されており、
　前記出力データ生成手段は、夫々の前記医療行為データの示す医療行為と関連すると共に前記既に実行された医療行為についての結果を示す詳細医療データを含む複数の詳細医療データのうち前記入力手段により指定された医療行為データに関連する詳細医療データを前記表とは異なるフォーマットで前記画面に表示するための出力データを、前記詳細医療データに基づいて生成
　【請求項２】　前記第２医療計画支援装置は、前記表の枠組みを規定するフォーマット情報を含む複数の画像出力用のフォーマットを規定するフォーマット情報を記憶するフォーマット記憶手段を更に備えており、
　前記入力手段は、該複数のフォーマットのうち一つを指定可能に構成されており、
　前記出力データ生成手段は、前記入力手段により指定されたフォーマットにより前記医療行為データを画像出力するための出力データを、前記指定されたフォーマットに対応するフォーマット情報に基づいて生成することを特徴とする請求項１に記載の医療計画支援システム。
　【請求項３】　前記入力手段は、前記画面の上にフォーマット選択メニューとして表示される前記複数のフォーマットのうち一つを指定可能に構成されていることを特徴とする請求項２に記載の医療計画支援システム。
　【請求項４】　前記入力手段は、キーボード、テンキースイッチ、マウス、トラックボール、入力ペン及び入力タブレットのうちの少なくとも一つを含む入力操作装置を備えたことを特徴とする請求項１から３のいずれか一項に記載の医療計画支援システム。
　【請求項５】　前記入力手段は、前記出力手段により出力される一つの表に含まれるべき日数を指定可能に構成されており、
　前記出力データ生成手段は、前記表の各枠を埋める出力データの少なくとも一部をフォントから構成すると共に、該フォントのサイズを前記入力手段により指定された日数に応じて定まる前記表を構成する各枠のサイズに見合ったサイズとするように構成されたことを特徴とする請求項１から４のいずれか一項に記載の医療計画支援システム。
　【請求項６】　前記入力手段は、前記患者識別データと共に操作者識別用の操作者識別データを入力可能に構成されており、
　前記第２送信手段は、前記入力手段により入力された操作者識別データを前記患者識別データと共に送信し、
　前記第１受信手段は、前記送信された操作者識別データを前記患者識別データと共に受信し、
　前記選択手段は、前記受信された患者識別データの示す患者について前記受信された操作者識別データの示す操作者に対し参照可能として予め設定された種類の医療行為を示す医療行為データのみを前記医療データ記憶手段から選択することを特徴とする請求項１から５のいずれか一項に記載の医療計画支援システム。
　【請求項７】　前記入力手段は、前記医療行為データと共に操作者識別用の操作者識別データを入力可能に構成されており、
　前記第２送信手段は、前記入力手段により入力された操作者識別データを前記医療行為データと共に送信し、
　前記第１受信手段は、前記送信された操作者識別データを前記医療行為データと共に受信し、
　前記医療データ記憶手段は、前記受信された操作者識別データの示す操作者に対し入力可能として予め設定された種類の医療行為を示す前記受信された医療行為データのみを記憶することを特徴とする請求項１から６のいずれか一項に記載の医療計画支援システム。
　【請求項８】　前記入力手段は、前記患者識別データが記録された記録媒体から前記患者識別データを読み取る読み取り装置を備えたことを特徴とする請求項１から７のいずれか一項に記載の医療計画支援システム。
　【請求項９】　前記入力手段は、前記医療行為データが記録された記録媒体から前記医療行為データを読み取る読み取り装置を備えた装置を備えたことを特徴とする請求項１から８のいずれか一項に記載の医療計画支援システム。
　【請求項１０】　前記表は、前記日付け毎に区分された列と前記複数種類別に区分された行とからなることを特徴とする請求項１から９のいずれか一項に記載の医療計画支援システム。
　【請求項１１】　前記複数種類の医療行為は、治療、処置、注射、検査、対診、評価、投薬、食事、活動制限、観察、リハビリテーション、コーディネーション、入退院
及び患者家族の教育のうちの
並びに医師の記録及び看護の記録
　【請求項１２】　前記第２医療計画支援装置は、日をカウントするカウント手段を更に備えており、
　前記出力データ生成手段は該カウントされた日に基づいて本日と一致する日にかかる画像出力部分が他の画像出力部分と異なる方法で出力されるように前記表示データを生成することを特徴とする請求項１から１１のいずれか一項に記載の医療計画支援システム。
　【請求項１３】　前記医療行為データには、
前記
いる
　【請求項１４】　前記第２医療計画支援装置のうち少なくとも一つは、前記第２受信手段により受信された医療行為データを用いて診療簿を画像出力するための出力データを生成可能に構成された出力データ生成手段を備えた診療用装置であることを特徴とする請求項１から１３のいずれか一項に記載の医療計画支援システム。
　【請求項１５】　前記第２医療計画支援装置のうち少なくとも一つは、前記第２受信手段により受信された医療行為データを用いて医療会計用の演算を行うと共に該演算結果に基づいて医療会計簿を画像出力するための出力データを生成可能に構成された出力データ生成手段を備えた会計用装置であることを特徴とする請求項１から１４のいずれか一項に記載の医療計画支援システム。
　【請求項１６】　前記第２医療計画支援装置のうち少なくとも一つは、前記第２受信手段により受信された医療行為データを用いて薬剤リストを画像出力するための出力データを生成可能に構成された出力データ生成手段を備えた薬剤用装置であることを特徴とする請求項１から１５のいずれか一項に記載の医療計画支援システム。
　【請求項１７】　前記医療データ記憶手段は、少なくとも一部の医療行為データついては前記日付けと共に時刻毎に記憶し、
　前記出力データ生成手段は、前記少なくとも一部の医療行為データに対しては、前記表の各枠の中で更に各医療行為を時刻毎に並べて画像出力するための出力データを、前記時間毎の医療行為データに基づいて生成することを特徴とする請求項１から１６のいずれか一項に記載の医療計画支援システム。
　【請求項１８】　前記医療データ記憶手段は、少なくとも一部の医療行為データについては前記日付けと共に時刻毎に記憶し、
　前記出力データ生成手段は、前記少なくとも一部の医療行為データに対しては、前記日付け毎に並べる代わりに、前記医療行為データを所定時間単位にまとめて該所定時間毎に並べた表として画像出力するための出力データを、前記時間毎の医療行為データに基づいて生成することを特徴とする請求項１から１６のいずれか一項に記載の医療計画支援システム。
　【請求項１９】　前記出力データ生成手段は、少なくとも一部の医療行為データについては前記日付け毎に並べる代わりに、前記医療行為データを連続した複数日単位にまとめて該複数日毎に並べた表形式のフォーマットにより画像出力するための出力データを生成することを特徴とする請求項１から１６のいずれか一項に記載の医療計画支援システム。
　【請求項２０】　前記１医療計画支援装置は、前記入力手段、前記出力データ生成手段及び前記出力手段を更に備え、前記第１送信手段及び第１受信手段は、前記第２送信手段及び第２受信手段としても夫々機能し、
　前記第２医療計画支援装置は、前記医療データ記憶手段及び前記選択手段を更に備え、前記第２送信手段及び第２受信手段は、前記第１送信手段及び第１受信手段としても夫々機能し、
　前記第１及び第２医療計画支援装置は相互に同一な構成を有することを特徴とする請求項１から請求項１９のいずれか一項に記載の医療計画支援システム。
　【請求項２１】　前記医療データ記憶手段は、
前記
　前記選択手段は、前記受信された患者識別データの示す患者についての詳細医療データを前記医療行為データと共に選択し、
　前記第１送信手段は、前記選択された詳細医療データを前記医療行為データと共に前記通信手段を介して送信し、
　前記第２受信手段は、前記第１送信手段から送信された詳細医療データを前記医療行為データと共に前記通信手段を介して受信
し、
　前記
表示
受信された
生成する
　【請求項２２】　前記詳細医療データは、複数の日付けについて夫々記録された所定の医療行為に関連する数値データを含み、
　前記出力データ生成手段は、出力画像の一部分に前記表を画像出力すると共に前記数値データを前記出力画像の他の部分に前記表の日付けの並びに対応した軸を持つグラフとして画像出力するための出力データを前記数値データに基づいて更に生成し、
　前記出力手段は、該生成された出力データを画像出力することを特徴とする請求項２１に記載の医療計画支援システム。
　【請求項２３】　複数の患者夫々に対する複数種類の既に実行された医療行為
を示す医療行為データ及び計画した将来実行される医療行為を示す医療行為データを含む複数の
　前記患者識別データ並びに各患者、各日付け及び各種類についての医療行為データを入力可能に構成された入力手段と、
　該入力手段により入力された患者識別データ及び医療行為データを前記通信手段を介して前記第１受信手段に送信する第２送信手段と、
　前記第１送信手段から送信された医療行為データを前記通信手段を介して受信する第２受信手段と、
　該受信された医療行為データの示す医療行為を前記複数種類別に前記日付け毎に並べた表として画像出力するための出力データを、該表の枠組みを規定する所定のフォーマット情報及び前記受信された医療行為データに基づいて生成する出力データ生成手段と、
　該生成された出力データを画像出力する出力手段と
を備えており、
　前記出力手段は、前記出力データを表示する画面を有する表示手段を含み、
　前記入力手段は、前記画面の上に表示された出力データを追加、変更及び削除可能に構成されており、
　前記第２送信手段は、前記入力手段により追加、変更及び削除された出力データに対応する前記新たな医療行為データを前記通信手段を介して前記第１受信手段に送信し、
　前記出力データ生成手段は、前記医療行為データが示す医療行為が既に実行されたか否かを示す結果フラグに基づいて、既に実行された医療行為に対応する画像出力部分とまだ実行されていない医療行為に対応する画像出力部分とが異なる方法で出力されるように前記出力データを生成し、
　前記入力手段は、前記画面に表示された出力データの示す複数の日付けに含まれる任意の日及び複数種類に含まれる任意の種類のうち少なくとも一方を指定可能に構成されており、
　前記出力データ生成手段は、前記入力手段により指定された日及び種類のうち少なくとも一方にかかる医療行為データを前記表とは異なるフォーマットにより前記画面に表示するための出力デ一夕を、該異なるフォーマットに対応するフォーマット情報に基づいて生成することを特徴とする医療計画支援装置。
　【請求項２４】　複数の患者夫々に対する複数種類の既に実行された医療行為
を示す医療行為データ及び計画した将来実行される医療行為を示す医療行為データを含む複数の
　前記患者識別データを入力するための入力手段により入力された患者識別データを前記通信手段を介して前記受信手段に送信するステップと、
　前記送信手段から送信された医療行為データを前記通信手段を介して受信するステップと、
　該受信された医療行為データの示す医療行為を前記複数種類別に前記日付け毎に並べた表として出力手段により画像出力するための出力データを、該表の枠組みを規定する所定のフォーマット情報及び前記受信された医療行為データに基づいて生成するステップと、
　該生成された出力データを前記出力手段により画像出力するステップと、
　前記入力手段により入力された各患者、各日付け及び各種類についての前記医療行為データを前記通信手段を介して前記受信手段に更に送信するステップと
　を備えており、
　前記画像出力するステップは、前記出力手段の備えた画面を有する表示手段により前記出力データを表示するステップを含み、
　前記医療行為データを送信するステップは、前記画面の上に表示され且つ前記入力手段により追加、変更及び削除された出力データに対応する前記新たな医療行為データを前記通信手段を介して前記受信手段に送信するステップを含み、
　前記出力データを生成するステップは、
前記医療行為データが示す医療行為が既に実行されたか否かを示す結果フラグに基づいて、既に実行された医療行為に対応する画像出力部分とまだ実行されていない医療行為に対応する画像出力部分とが異なる方法で出力されるように前記出力データを生成するステップと、
と
【発明の詳細な説明】
　【０００１】
　【発明の属する技術分野】
　本発明は、医療情報を管理、処理、入出力等する技術分野に属し、特に、医師、看護婦、薬剤師、医療事務員、患者等の医療に関係する人々がより適切な医療計画を立てられるように支援する新規な医療計画支援システムの技術分野に属する。
　【０００２】
　【従来の技術】
　従来は、検査、診療、入院手配、手術、薬剤投与等の医療行為についての医療計画は、各医師等がその経験と感に基づいて頭の中でまとて立てることにより行われている。従って、有能な医師等がじっくりと考えることにより適切な医療計画を立てることが可能となる。
　【０００３】
　一方、電算機を用いて医療情報を処理するシステムとして、例えば、診療行為、調剤行為、保険の種別等を入力として迅速に診療報酬を計算し、請求書を発行する医療事務用計算機が知られている。また、近年におけるコンピュータ通信技術の発展の下で、絵紙の伝票をコンピュータ用のデータに置き換えて瞬時に各部門の端末装置に情報を送って薬の手配、会計等の作業開始を早めるオーダーシステムも提案されている。更にまた、インターネットやニフティなどのパソコン通信を利用して医療情報を通信する試みもなされている。
　【０００４】
　【発明が解決しようとする課題】
　医療計画は人命に係わる大変重要なものなので、医師個人の裁量や技能によらずにある程度標準化され且つ質の高いものであることが望ましい。
　【０００５】
　しかしながら、前述した従来の各医師等が立てる医療計画では、例えば「処方は何日に行って検査は何日に行って…」という形で頭の中にまとめる作業が必要であり、基本的に日程や医療行為に関する計画表というような役割を果たし得ない。そして何より、このような従来の医療計画は、各医師等の裁量や技能に多分に依存しているため、近時における医療技術の複雑高度化の下では、特に多種多様な病気を持つ数多くの患者を相手に多種多用の医療行為を施そうとする場合に、客観的に見て最良の治療プロセスを計画することは不可能に近い。この結果、医師の判断の誤りにより非効率的な治療を行ったり、最良の治療プロセスを行えば治癒される筈の病気が治癒されずに終わったりするという問題点があった。更に、このような医療計画は、医療行為の種類に応じて医師、看護婦、薬剤師、医療技師、患者本人、患者の家族等の全て医療関係者により参照されるべき情報を含んでいたり、あるいは一部の医療関係者以外には見せてはならない情報を含んでいたり、また各項目毎に、医師のみ又は特定の医師のみ、看護婦のみ若しくは予約係のみといった具合に限定された者のみが計画を立てることが認められていたり、医療計画の立て方、参照の仕方、変更の仕方等を支障なく行うためには多大な労力を要していた。
　【０００６】
　一方、前述した医療事務用計算機やオーダーシステムによれば、事務負担や患者の待ち時間は軽減されるものの、医療自体の質の向上には殆ど役立たない。また、前述したパソコン通信を利用した医療情報の通信技術によれば、紙に書いた医療情報と同等の情報を通信ネットワークを利用して高速にやり取りする域を出ておらず、他のパソコン仲間である医師から特定の治療方法をその場凌ぎ的に迅速に聞き出せる点で医療の質向上には役だっているものの、適切な治療プロセスを計画するためには殆ど役に立っていない。
　【０００７】
　本発明は上述した問題点に鑑みなされたものであり、適切な医療計画を客観的に且つ効率的に立てることができる新規な医療計画支援システム、医療計画支援装置及び方法を提供することを課題とする。
　【０００８】
　【課題を解決するための手段】
　請求項１に記載の医療計画支援システムは上記課題を解決するために、通信手段を介して結ばれる複数の医療計画支援装置を備えている。前記複数の医療計画支援装置のうち少なくとも一つの第１医療計画支援装置は、複数の患者夫々に対する複数種類の既に実行された医療行為
を示す医療行為データ及び計画した将来実行される医療行為を示す医療行為データを含む複数の
前記出力データ生成手段は、前記医療行為データが示す医療行為が既に実行されたか否かを示す結果フラグに基づいて、既に実行された医療行為に対応する画像出力部分とまだ実行されていない医療行為に対応する画像出力部分とが異なる方法で出力されるように前記出力データを生成し、
し、前記入力手段は、前記画面に前記表として表示された複数の医療行為データのうち所望の医療行為データを指定可能に構成されており、前記出力データ生成手段は、夫々の前記医療行為データの示す医療行為と関連すると共に前記既に実行された医療行為についての結果を示す詳細医療データを含む複数の詳細医療データのうち前記入力手段により指定された医療行為データに関連する詳細医療データを前記表とは異なるフォーマットで前記画面に表示するための出力データを、前記詳細医療データに基づいて生成
　【０００９】
　請求項１に記載の医療計画支援システムによれば、複数の医療計画支援装置は、コネクタケーブル、電話回線、専用回線等の通信手段を介して結ばれている。第１医療計画支援装置に備えられた医療データ記憶手段により、複数の患者夫々に対する複数種類の既に実行された医療行為
を示す医療行為データ及び計画した将来実行される医療行為を示す医療行為データを含む複数の
複数の
を示す医療行為データ及び計画した将来実行される医療行為を示す医療行為データの両方を含む
更にまた、入力手段を介して、画面に表として表示された複数の医療行為データのうち所望の医療行為データが指定されると、出力データ生成手段により、既に実行された医療行為についての結果を示す詳細医療データを含む複数の詳細医療データのうち、該指定された医療行為データに関連する詳細医療データを該表とは異なるフォーマットで画面に表示するための出力データが、詳細医療データに基づいて生成される。この結果、出力手段により、該表とは異なる詳細医療データを用いたリスト、グラフ、チャート等が出力される。このようにすれば、表に示された医療行為を見ながら適宜、その医療行為についての結果を示す詳細医療データを臨機応変に指定し引き出せる。更に、出力データ生成手段により、結果フラグに基づいて、既に実行された医療行為に対応する画像出力部分とまだ実行されていない医療行為に対応する画像出力部分とが、異なる方法で出力されるように出力データが生成される。この結果、出力手段により、各医療行為が実行されたか否かが一目瞭然の表が画像出力される。
　【００１０】
　請求項２に記載された医療計画支援システムは、上述した請求項１に記載の医療計画支援システムにおいて、前記第２医療計画支援装置は、前記表の枠組みを規定するフォーマット情報を含む複数の画像出力用のフォーマットを規定するフォーマット情報を記憶するフォーマット記憶手段を更に備えており、前記入力手段は、該複数のフォーマットのうち一つを指定可能に構成されており、前記出力データ生成手段は、前記入力手段により指定されたフォーマットにより前記医療行為データを画像出力するための出力データを生成することを特徴とする。
　【００１１】
　請求項２に記載の医療計画支援システムによれば、第２医療計画支援装置は、表の枠組みを規定するフォーマット情報を含む複数の画像出力用のフォーマットを規定するフォーマット情報を記憶するフォーマット記憶手段を更に備えており、医師、看護婦等の操作者の操作により入力手段を介して、フォーマット記憶手段に記憶された複数の画像出力用のフォーマットのうち一つが指定されると、出力データ生成手段により、該指定されたフォーマットにより医療行為データを画像出力するための出力データが生成される。この結果、出力手段により、該指定されたフォーマットにより表が画像出力される。
　【００１２】
　請求項３に記載された医療計画支援システムは、上述した請求項２に記載の医療計画支援システムにおいて、前記入力手段は、前記画面の上にフォーマット選択メニューとして表示される前記複数のフォーマットのうち一つを指定可能に構成されていることを特徴とする。
　【００１３】
　請求項３に記載の医療計画支援システムによれば、複数のフォーマットは表示手段の画面上にフォーマット選択メニューとして表示され、医師、看護婦等の操作者の入力手段を介してのメニュー選択により、所望のフォーマットが指定される。
　【００１４】
　請求項４に記載された医療計画支援システムは、上述した請求項１から３に記載の医療計画支援システムにおいて、前記入力手段は、キーボード、テンキースイッチ、マウス、トラックボール、入力ペン及び入力タブレットのうちの少なくとも一つを含む入力操作装置を備えたことを特徴とする。
　【００１５】
　請求項４に記載の医療計画支援システムによれば、医療行為データは、キーボード、テンキースイッチ、マウス、トラックボール、入力ペン、入力タブレット等の入力操作装置により入力される。
　【００１６】
　請求項５に記載された医療計画支援システムは、上述した請求項１から４に記載の医療計画支援システムにおいて、前記入力手段は、前記出力手段により出力される一つの表に含まれるべき日数を指定可能に構成されており、前記出力データ生成手段は、前記表の各枠を埋める出力データの少なくとも一部をフォントから構成すると共に、該フォントのサイズを前記入力手段により指定された日数に応じて定まる前記表を構成する各枠に見合ったサイズとするように構成されたことを特徴とする。
　【００１７】
　請求項５に記載の医療計画支援システムによれば、医師、看護婦等の操作者の操作により入力手段を介して、出力手段により出力される一つの表に含まれるべき日数が指定されると、表の各枠を埋める出力データの少なくとも一部をフォントから構成する出力データ生成手段により、該フォントのサイズが、該指定された日数に応じて定まる表を構成する各枠に見合ったサイズとされる。この結果、出力手段により、該表の各枠の大きさに相応しいサイズのフォントが表中に画像出力される。
　【００１８】
　請求項６に記載の医療計画支援システムは、上述した請求項１から５に記載の医療計画支援システムにおいて、前記入力手段は、前記患者識別データと共に操作者識別用の操作者識別データを入力可能に構成されており、前記第２送信手段は、前記入力手段により入力された操作者識別データを前記患者識別データと共に送信し、前記第１受信手段は、前記送信された操作者識別データを前記患者識別データと共に受信し、前記選択手段は、前記受信された患者識別データの示す患者について前記受信された操作者識別データの示す操作者に対し参照可能として予め設定された種類の医療行為を示す医療行為データのみを前記医療データ記憶手段から選択することを特徴とする。
　【００１９】
　請求項６に記載の医療計画支援システムによれば、医師、看護婦等の操作者の操作により入力手段を介して、患者識別データと共に操作者識別用の操作者識別データが入力されると、第２送信手段により、該入力された操作者識別データが、患者識別データと共に送信され、第１受信手段により受信される。すると、選択手段により、該受信された患者識別データの示す患者について、該受信された操作者識別データの示す操作者に対し参照可能として予め設定された種類の医療行為を示す医療行為データのみが、医療データ記憶手段から選択される。この結果、出力手段により、参照可能として設定された種類の医療行為データのみを含む表が画像出力される。
　【００２０】
　請求項７に記載された医療計画支援システムは、上述した請求項１から６に記載の医療計画支援システムにおいて、前記入力手段は、前記医療行為データと共に操作者識別用の操作者識別データを入力可能に構成されており、前記第２送信手段は、前記入力手段により入力された操作者識別データを前記医療行為データと共に送信し、前記第１受信手段は、前記送信された操作者識別データを前記医療行為データと共に受信し、前記医療データ記憶手段は、前記受信された操作者識別データの示す操作者に対し入力可能として予め設定された種類の医療行為を示す前記受信された医療行為データのみを記憶することを特徴とする。
　【００２１】
　請求項７に記載の医療計画支援システムによれば、医師、看護婦等の操作により入力手段を介して医療行為データと共に操作者識別用の操作者識別データが入力されると、第２送信手段により該入力された操作者識別データが医療行為データと共に送信され、第１受信手段により受信される。すると、医療データ記憶手段では、該受信された操作者識別データの示す操作者に対し入力可能として予め設定された種類の医療行為を示す該受信された医療行為データのみが記憶される。
　【００２２】
　請求項８に記載された医療計画支援システムは、上述した請求項１から７に記載の医療計画支援システムにおいて、前記入力手段は、前記患者識別データが記録された記録媒体から前記患者識別データを読み取る読み取り装置を備えたことを特徴とする。
　【００２３】
　請求項８に記載の医療計画支援システムによれば、患者識別データが記録された記録媒体から患者識別データを読み取る読み取り装置から、患者識別データが入力される。この場合、記録媒体としては、患者識別データが電磁気学的又は光学的に記録された磁気カード、ＩＣカード等のカード状のものが便利であり、また、読み取り装置としては、記録媒体に対応して電磁気学的又は光学的に読み取る置が用いられる。尚、操作者識別データについても、患者識別データの場合と同様に磁気カード等に記録して読み取るようにしてもよく、更に、患者識別データ及び操作者識別データを同一の読み取り装置から入力するようにしてもよい。
　【００２４】
　請求項９に記載された医療計画支援システムは、上述した請求項１から８に記載の医療計画支援システムにおいて、前記入力手段は、前記医療行為データが記録された記録媒体から前記医療行為データを読み取る読み取り装置を備えた装置を備えたことを特徴とする。
　【００２５】
　請求項９に記載の医療計画支援システムによれば、医療行為データが記録された記録媒体から医療行為データを読み取る読み取り装置から医療行為データが入力される。この場合、記録媒体としては、例えば各患者、各日付け及び各種類の医療行為を示す医療行為データが電磁気学的又は光学的に記録された磁気ディスク、光ディスク、ＲＯＭ、ＩＣカード、磁気テープ等の周知の記録媒体を用いることができ、読み取り装置としては、記録媒体に対応して、例えば電磁気学的又は光学的に読み取る読み取り装置が用いられる。
　【００２６】
　請求項１０に記載された医療計画支援システムは、上述した請求項１から９に記載の医療計画支援システムにおいて、前記表は、前記日付け毎に区分された列と前記複数種類別に区分された行とからなることを特徴とする。
　【００２７】
　請求項１０に記載の医療計画支援システムによれば、出力手段により、日付け毎に区分された列と複数種類別に区分された行とからなる表が画像出力される。
　請求項１１に記載された医療計画支援システムは、上述した請求項１から１０に記載の医療計画支援システムにおいて、前記複数種類の医療行為は、治療、処置、注射、検査、対診、評価、投薬、食事、活動制限、観察、リハビリテーション、コーディネーション、入退院
及び患者家族の教育のうちの
並びに医師の記録及び看護の記録
　【００２８】
　請求項１１に記載の医療計画支援システムによれば、出力手段により、治療、処置、注射、検査、対診、評価、投薬、食事、活動制限、観察、リハビリテーション、コーディネーション、入退院
及び患者家族の教育のうちの
並びに医師の記録及び看護の記録
　【００２９】
　請求項１２に記載された医療計画支援システムは、上述した請求項１から１１に記載の医療計画支援システムにおいて、前記第２医療計画支援装置は、日をカウントするカウント手段を更に備えており、前記出力データ生成手段は該カウントされた日に基づいて本日と一致する日にかかる画像出力部分が他の画像出力部分と異なる方法で出力されるように前記表示データを生成することを特徴とする。
　【００３０】
　請求項１２に記載の医療計画支援システムによれば、カウント手段により、日がカウントされ、出力データ生成手段により、該カウントされた日に基づいて本日と一致する日にかかる画像出力部分が他の画像出力部分と異なる方法で出力されるように表示データが生成される。ここに、「異なる方法での出力」とは、例えば、明度、色彩、字体、線の種類、濃度、編みかけなどを出力画像上で異ならせて表示する方法がある。この結果、出力手段により、本日と一致する日にかかる画像出力部分が他の画像出力部分と異なる方法で出力された表が画像出力される。
　【００３１】
　請求項１３に記載された医療計画支援システムは、上述した請求項１から１２に記載の医療計画支援システムにおいて、前記医療行為データには、
前記
いる
　【００３２】
　請求項１３に記載の医療計画支援システムによれば、出力データ生成手段により、
医療行為データに付けられた
る。
　【００３３】
　請求項１４に記載された医療計画支援システムは、上述した請求項１から１３に記載の医療計画支援システムにおいて、前記第２医療計画支援装置のうち少なくとも一つは、前記第２受信手段により受信された医療行為データを用いて診療簿を画像出力するための出力データを生成可能に構成された出力データ生成手段を備えた診療用装置であることを特徴とする。
　【００３４】
　請求項１４に記載の医療計画支援システムによれば、第２医療計画支援装置のうち少なくとも一つにおいては、出力データ生成手段により、第２受信手段により受信された医療行為データを用いて診療簿を画像出力するための出力データが生成され、この結果、出力手段により、診療簿が画像出力される。
　【００３５】
　請求項１５に記載された医療計画支援システムは、上述した請求項１から１４に記載の医療計画支援システムにおいて、前記第２医療計画支援装置のうち少なくとも一つは、前記第２受信手段により受信された医療行為データを用いて医療会計用の演算を行うと共に該演算結果に基づいて医療会計簿を画像出力するための出力データを生成可能に構成された出力データ生成手段を備えた会計用装置であることを特徴とする。
　【００３６】
　請求項１５に記載の医療計画支援システムによれば、第２医療計画支援装置のうち少なくとも一つにおいては、出力データ生成手段により、第２受信手段により受信された医療行為データを用いて医療会計用の演算が行われ、更に、該演算結果に基づいて医療会計簿を画像出力するための出力データが生成され、この結果、出力手段により、医療会計簿が画像出力される。
　【００３７】
　請求項１６に記載された医療計画支援システムは、上述した請求項１から１５に記載の医療計画支援システムにおいて、前記第２医療計画支援装置のうち少なくとも一つは、前記第２受信手段により受信された医療行為データを用いて薬剤リストを画像出力するための出力データを生成可能に構成された出力データ生成手段を備えた薬剤用装置であることを特徴とする。
　【００３８】
　請求項１６に記載の医療計画支援システムによれば、第２医療計画支援装置のうち少なくとも一つにおいては、出力データ生成手段により、第２受信手段により受信された医療行為データを用いて薬剤リストを画像出力するための出力データが生成され、この結果、出力手段により、薬剤リストが画像出力される。
　【００３９】
　請求項１７に記載された医療計画支援システムは、上述した請求項１から１６に記載の医療計画支援システムにおいて、前記医療データ記憶手段は、少なくとも一部の医療行為データについては前記日付けと共に時刻毎に記憶し、前記出力データ生成手段は、前記少なくとも一部の医療行為データに対しては、前記表の各枠の中で更に各医療行為を時刻毎に並べて画像出力するための出力データを、前記時刻毎の医療行為データに基づいて生成することを特徴とする。
　請求項１７に記載の医療計画支援システムによれば、医療データ記憶手段により、少なくとも一部の医療行為データについては日付けと共に時刻毎に記憶されており、出力データ生成手段により、少なくとも一部の医療行為データに対しては、表の各枠の中で更に各医療行為を時刻毎に並べて画像出力するための出力データが生成される。この結果、出力手段により、少なくとも一部の医療行為については、各枠の中で更に時刻毎に並べられた表が画像出力される。
　【００４０】
　請求項１８に記載された医療計画支援システムは、上述した請求項１から１６に記載の医療計画支援システムにおいて、前記医療データ記憶手段は、少なくとも一部の医療行為データについては前記日付けと共に時刻毎に記憶し、前記出力データ生成手段は、前記少なくとも一部の医療行為データに対しては、前記日付け毎に並べる代わりに、前記医療行為データを所定時間単位にまとめて該所定時間毎に並べた表として画像出力するための出力データを生成することを特徴とする。
　【００４１】
　　請求項１８に記載の医療計画支援システムによれば、医療データ記憶手段により、少なくとも一部の医療行為データについては日付けと共に時刻毎に記憶され、出力データ生成手段により、少なくとも一部の医療行為データに対しては日付け毎に並べる代わりに医療行為データを所定時間単位にまとめて該所定時間毎に並べた表として画像出力するための出力データが生成される。この結果、出力手段により、少なくとも一部の医療行為については、６時間、１２時間等の所定時間単位毎に並べた表が画像出力される。
　【００４２】
　請求項１９に記載された医療計画支援システムは、上述した請求項１から１６に記載の医療計画支援システムにおいて、前記出力データ生成手段は、少なくとも一部の医療行為データについては前記日付け毎に並べる代わりに、前記医療行為データを連続した複数日単位にまとめて該複数日毎に並べた表形式のフォーマットにより画像出力するための出力データを生成することを特徴とする。
　【００４３】
　請求項１９に記載の医療計画支援システムによれば、出力データ生成手段により、少なくとも一部の医療行為データについては日付け毎に並べる代わりに医療行為データを連続した複数日単位にまとめて該複数日毎に並べた表形式のフォーマットにより画像出力するための出力データが生成される。この結果、出力手段により、少なくとも一部の医療行為については、１週間、１月等の複数日単位毎に並べた表が画像出力される。
　【００４４】
　請求項２０に記載された医療計画支援システムは、上述した請求項１から１９に記載の医療計画支援システムにおいて、前記１医療計画支援装置は、前記入力手段、前記出力データ生成手段及び前記出力手段を更に備え、前記第１送信手段及び第１受信手段は、前記第２送信手段及び第２受信手段としても夫々機能し、前記第２医療計画支援装置は、前記医療データ記憶手段及び前記選択手段を更に備え、前記第２送信手段及び第２受信手段は、前記第１送信手段及び第１受信手段としても夫々機能し、前記第１及び第２医療計画支援装置は相互に同一な構成を有することを特徴とする。
　【００４５】
　請求項２０に記載の医療計画支援システムによれば、相互に同一な構成を有する第１及び第２医療計画支援装置において、夫々の出力手段により同じ表が出力されたり、入力手段を介して医療行為データが入力されたりする。
　【００４６】
　尚、第１医療計画支援装置は通信手段により第２医療計画支援装置と結ばれ巨大容量の医療データ記憶手段を備えた一つの医療計画支援センターであり、第２医療計画支援装置は夫々、医療データ記憶手段を持たない比較的簡易に構成された個人用装置であるようにシステムを構成してもよいのは言うまでもない。
　【００４７】
　請求項２１に記載された医療計画支援システムは、上述した請求項１から２０に記載の医療計画支援システムにおいて、前記医療データ記憶手段は、
前記
し、前記
表示
受信された
生成する
　【００４８】
　請求項２１に記載の医療計画支援システムによれば、医療データ記憶手段により、夫々の前記医療行為データの示す医療行為と関連する詳細医療データが、夫々の前記医療行為データと対応付けられて記憶される。選択手段により、第２受信手段により受信された患者識別データの示す患者についての詳細医療データが、医療行為データと共に選択され、第１送信手段により、該選択された詳細医療データが医療行為データと共に通信手段を介して送信され、第２受信手段により受信される。この際、医師、看護婦等の操作者の操作により入力手段を介して、
所望の
表示
　【００４９】
　この場合、特に請求項２に記載された医療計画支援システムにおいて、詳細医療データを用いた特殊なリスト、グラフ、チャート等を出力するための特種フォーマットを規定するフォーマット情報を予めフォーマット記憶手段に記憶しておき、入力手段によりこの特種フォーマットが指定された際に、出力データ生成手段がこの指定されたフォーマットにより医療行為データと共に詳細医療データを用いて又は医療行為データに代えて詳細医療データのみを用いて、リスト、グラフ、チャート等の画像出力するための出力データを生成するようにすれば、表に代えてこれらの出力
が得られる。
　【００５０】
　請求項２２に記載された医療計画支援システムは、上述した請求項２１に記載の医療計画支援システムにおいて、前記詳細医療データは、複数の日付けについて夫々記録された所定の医療行為に関連する数値データを含み、前記出力データ生成手段は、出力画像の一部分に前記表を画像出力すると共に前記数値データを前記出力画像の他の部分に前記表の日付けの並びに対応した軸を持つグラフとして画像出力するための出力データを、前記数値データに基づいて更に生成し、前記出力手段は、該生成された出力データを画像出力することを特徴とする。
　【００５１】
　請求項２２に記載の医療計画支援システムによれば、出力データ生成手段により、出力画像の一部分に表を画像出力すると共に詳細医療データに含まれる数値データを出力画像の他の部分に表の日付けの並びに対応した軸を持つグラフとして画像出力するための出力データが更に生成される。この結果、出力手段により、出力画像の一部分に表が画像出力され、他の部分に表の日付けの並びに対応した軸を持ち数値データを示すグラフが画像出力される。
　【００５２】
　請求項２３に記載された医療計画支援装置は、複数の患者夫々に対する複数種類の既に実行された医療行為
を示す医療行為データ及び計画した将来実行される医療行為を示す医療行為データを含む複数の
前記出力データ生成手段は、前記医療行為データが示す医療行為が既に実行されたか否かを示す結果フラグに基づいて、既に実行された医療行為に対応する画像出力部分とまだ実行されていない医療行為に対応する画像出力部分とが異なる方法で出力されるように前記出力データを生成し、
　【００５３】
　請求項２３に記載の医療計画支援装置によれば、
入力手段により指定された医療行為データに関連する詳細医療データを表示する作用を除き、
　請求項２４に記載された医療計画支援方法は、複数の患者夫々に対する複数種類の既に実行された医療行為
を示す医療行為データ及び計画した将来実行される医療行為を示す医療行為データを含む複数の
前記医療行為データが示す医療行為が既に実行されたか否かを示す結果フラグに基づいて、既に実行された医療行為に対応する画像出力部分とまだ実行されていない医療行為に対応する画像出力部分とが異なる方法で出力されるように前記出力データを生成するステップと、
と
　【００５４】
　請求項２４に記載の医療計画支援方法によれば、上述の請求項２３に記載した医療計画支援装置と同様に作用する。
　本発明のこのような作用及び他の利得は次に説明する実施の形態から明らかにされよう。
　【００５５】
　【本発明の実施の形態】
　以下、本発明の実施の形態を図面に基づいて説明する。
第１の実施の形態
　図１は、第１の実施の形態としての医療計画支援システムのブロック図である。
　【００５６】
　図１において、医療計画支援システム１は、第１医療計画支援装置の一例としての医療計画支援センター装置１０１と、医療計画支援センター装置１０１と通信手段の一例としての回線２を介して結ばれる、第２医療計画支援装置の一例としての複数の医療計画支援操作装置２０１とを備えて構成されている。
　【００５７】
　医療計画支援センター装置１０１は、複数の患者夫々に対する複数種類の医療行為を示す医療行為データを各医療行為の実行にかかる少なくとも日付け毎に記憶する医療データ記憶手段の一例としての記憶装置１０２と、複数の患者のうち任意の一人を示す患者識別データを回線２を介して受信する第１受信手段の一例を構成する通信部１０３と、該受信された患者識別データの示す患者についての医療行為データを記憶装置１０２から選択する選択手段の一例としての制御部１０４とを備えて構成されている。通信部１０３は、該選択された医療行為データを回線２を介して送信する第１送信手段の一例をも構成している。
　【００５８】
　医療計画支援操作装置２０１は夫々、患者識別データを入力するための入力手段の一例を構成する入力装置２０２と、該入力装置２０２により入力された患者識別データを回線２を介して通信部１０３に送信すると共に通信部１０３から送信された医療行為データを回線２を介して受信する第１及び２受信手段の一例を構成する通信部２０３と、該受信された医療行為データの示す医療行為を複数種類別に日付け毎に並べた表として画像出力するための出力データを、該表の枠組みを規定する所定のフォーマット情報及びこの受信された医療行為データに基づいて生成する出力データ生成手段の一例としての制御部２０４と、該生成された出力データを表示出力する表示手段の一例としての表示装置２０５と、該生成された出力データを印刷出力する印刷手段の一例としての印刷装置２０６とを備えて構成されている。
　【００５９】
　入力装置２０２は、各患者、各日付け及び各種類についての医療行為データを入力可能に構成されており、通信部２０３は、入力装置２０２により入力された医療行為データを回線２を介して通信部１０３に更に送信するように構成されている。更に、通信部１０３は、送信された医療行為データを受信し、記憶装置１０２は、制御部１０４による制御の下で、この受信された医療行為データを記憶するように構成されている。
　【００６０】
　次に、図１に示した各構成要素について、図１から図９を参照して更に詳細に説明する。
　図１において、回線２は、例えば、ＬＡＮ（ローカルエリアネットワーク）を構築する専用回線であるが、他のタイプの専用回線でもよく、またコネクタケーブル、電話回線、光ファイバーケーブル等の有線方式であってもよく、更に衛星回線などの無線方式によるものでもよい。
　【００６１】
　図１において、記録装置１０２は、各患者、各日付け及び各種類の医療行為（例えば、検査、処置、注射、対診、評価、投薬など）を示す医療行為データ並びに各医療行為に関連する詳細医療データ（体温データ、血圧データ、血液成分データなど）を記憶する装置であり、磁気ディスク装置、光ディスク装置等の周知の大容量記憶装置から構成されている。記憶装置１０２に記憶される医療行為データは、既に実行された医療行為及び将来実行される医療行為の両方を含む。
　【００６２】
　図２（ａ）に示すように、記憶装置１０２内には、例えば、医療行為データ及びこれに付随する詳細医療データを患者別にまとめて格納する複数の第１階層ファイル１０２ａが論理的に構築されている。具体的には、各患者に割り当てられた患者コードが各ファイルのヘッダ部分に付けられている。複数の第１階層ファイル１０２ａには夫々、医療行為データ及びこれに付随する詳細医療データを日付けデータの日付け別にまとめて格納する複数の第２階層ファイル１０２ｂが論理的に構築されている。具体的には、各日付けに割り当てられた日付けコードが各各ブロック（各ファイル１０２ｂ）のヘッダ部分に付けられている。このようにファイルを論理的に階層構造とすると、制御部１０４により患者識別データの示す患者についての医療行為データを選択することが迅速にでき、更に、通信部１０３及び１０４により第１階層ファイルごとまとめて通信回線２を介して送受信でき、制御部２０４により受信された第１階層ファイルを第２階層ファイルの順に並べれば迅速に表を構成する出力データを生成できる。また、図２（ｂ）に示すように、複数の第１階層ファイル１０２ｃには夫々、医療行為データ及びこれに付随する詳細医療データを複数種類別にまとめて格納する複数の第２階層ファイル１０２ｄが論理的に構築されるようにしてもよい。このようにファイルを論理的に構成すると、図２（ａ）の場合と同じように迅速に選択、送受信及び出力データ生成動作を行える。尚、本実施の形態では、特に、各医療行為を既に実行したか否かを示す即ち各医療行為についての結果を示す詳細医療データが存在するか否かを示す結果フラグが、各医療行為データに付けられている。
　【００６３】
　図３に示すように、入力装置２０２は、患者識別データ、各患者、各日付け及び各種類についての医療行為データ並びにこれに付随する詳細医療データを手動により入力可能な入力操作装置２０２ａを備えている。本実施の形態では特に、医療行為の結果として得られる詳細医療データが入力されると、当該医療行為が既に実行されたことを示す結果フラグが立てられるように構成されている。入力操作装置２０２ａとしては、キーボード、テンキースイッチ、マウス、トラックボール、入力ペン、入力タブレット等の周知の入力操作装置が挙げられる。本実施の形態では、このような入力操作装置２０２ａにより、表示装置２０５の画面上に表示された表の各項目を追加、変更及び削除可能に構成されている。
　【００６４】
　図３において、入力装置２０２は、入力操作装置２０２ａの他に、患者識別データが記録された記録媒体から患者識別データを読み取る読み取り装置２０２ｂを備えて構成されている。この場合、記録媒体としては、患者識別データが電磁気学的又は光学的に記録された磁気カード、ＩＣカード等のカード状のものが便利であり、また、読み取り装置としては、記録媒体に対応して電磁気学的又は光学的に読み取る読み取り装置が用いられる。入力装置２０２は更に、医療行為データが記録された記録媒体から医療行為データを読み取る読み取り装置２０２ｃを備えて構成されている。この場合、記録媒体としては、例えば各患者、各日付け及び各種類の医療行為を示す医療行為データが電磁気学的又は光学的に記録された磁気ディスク、光ディスク、ＲＯＭ、ＩＣカード、磁気テープ等の周知の記録媒体を用いることができ、読み取り装置２０２ｃとしては、記録媒体に対応して、例えば電磁気学的又は光学的に読み取る装置が用いられる。
　【００６５】
　再び、図１において、通信部２０３は、医療計画支援センター装置１０１から送信された一定量の医療行為データ及びこれに付随する詳細医療データを格納するＲＡＭ等から構成されたバッファメモリを備えている。通信部２０３のバッファメモリに格納された医療行為データ及びこれに付随する詳細医療データを用いて、制御部２０４は、出力データを生成する。通信部２０３は、入力装置２０２から入力された、各患者、各日付け及び各種類についての医療行為データを、回線２を介して通信部１０３に更に送信するように構成されている。通信部２０３は更に、図３に示した入力操作装置２０２ａにより、表示装置２０５の画面上で追加、変更及び削除されて生成された新たな医療行為データ及びこれに付随する詳細医療データや、読み取り装置２０２ｂ及び２０２ｃから入力された患者識別データ、医療行為データ等をも送信するように構成されている。通信部１０３は、このようにして送信された医療行為データを受信し、記憶装置１０２は、受信された医療行為データ及びこれに付随する詳細医療データを記憶するように構成されている。
　【００６６】
　図１において、医療計画支援操作装置２０１は、表の枠組みを規定するフォーマット情報を含む複数の画像出力用のフォーマットを示すフォーマット情報を記憶するフォーマット記憶手段の一例としての記憶装置２０７を更に備えており、入力装置２０２は、該複数のフォーマットのうち一つを指定可能に構成されている。制御部２０４は、入力装置２０２により指定されたフォーマットにより医療行為データを画像出力するための出力データを生成するように構成されている。制御部２０４は、入力装置２０２により表のフォーマットが指定されると、日付け毎に区分された列と複数種類別に区分された行とからなる表として画像出力するための出力データを、記憶装置２０７に予め記憶された該表の枠組みを規定する所定のフォーマット情報及びこの受信された医療行為データに基づいて生成する。
　【００６７】
　より具体的には例えば、制御部２０４は、通信部２０３で受信された文字・制御コード及び図形データなどのコードデータ、イメージデータ、数値データ等を含む通信用フォーマットをもつ医療行為データを、先ず、ビットマップ展開しやすい中間データに変換する。中間データとしては、例えば、文字や記号の輪郭を表すアウトラインデータ、表の各枠に対応する部分的なビットマップデータ等でよい。他方、制御部２０４は、出力しようとする表の枠組みを規定するフォーマット情報を記憶装置２０７のフォーマット情報記憶領域から読み出し、中間データに変換された医療行為データの各種類及び各日付けについてのデータ量から、このフォーマットにより表を作成した場合の各枠に入るデータ量を計算して、各枠の大きさを決定する。更に、各枠内に表示及び印字される文字、記号等のフォントサイズを計算すると共に各文字や記号の各枠内における表示及び印字位置を決定する。この際、表全面について同一のフォントサイズで文字、記号等を表示及び印字するように出力データを生成してもよいし、各枠毎や各文字毎に異なるフォントサイズで表示及び印字するように出力データを生成してもよい。より好ましくは、各枠毎に、例えば表示文字数が多い枠については標準サイズよりも小さいフォントを用いて、表示文字数が少ない枠については標準サイズのフォントを用いるというように出力データを生成する。更に、各枠毎に、例えば表示文字数が多い枠については表示すべき内容を予め定めた一定基準に従って、表示文字を省略するように中間データに修正を加えるようにしてもよい。
　【００６８】
　制御部２０４は、このように指定された表の枠組に対し、表示すべき中間データ（医療行為データ）に対応するフォントのサイズ及び位置を決定すると、次に、表の枠組みを示すフォーマット情報及び決定したフォントのサイズ及び位置を、表示装置２０５及び印刷装置２０６により即時出力可能なビットマップデータに展開する。即ち、制御部２０４は、一つの表を構成する中間データを、記憶装置２０７の画像用メモリ領域に又は表示装置２０５や印刷装置２０６の内蔵する出力バッファメモリに、表単位でビットマップ展開する。尚、中間データとして、アウトラインデータを用いると、任意の表の枠組みの大きさに対し、表示及び印字文字、記号等の倍率を任意に変更できるので有利であるが、制御部２０４の構成を簡素化すべく、アウトラインデータを用いることなく、予め設定した複数種類のサイズのみのフォントデータを、ビットマップデータを作成する前段階の中間データとして用いるようにしてもよい。
　【００６９】
　以上のように構成された制御部２０４により出力データが生成されると、これを受けて、ＣＲＴ表示装置、液晶ディスプレイ装置等から構成された表示装置２０５、及びレーザビームプリンタ、インクジェットプリンタ等から構成された印刷装置２０６により、例えば図４に示すような表１０が出力される。
　【００７０】
　図４に示すように、表１０は、医療行為の種類別に区分された行１１と日付け毎に区分された列１２とからなり、各行１１を構成する複数種類の医療行為は、医師や看護の記録、処置、注射、検査、対診、評価、投薬、食事、活動制限、観察、リハビリテーション、コーディネーション、入退院、患者家族の教育等からなる。これらの項目については、使用環境に応じて任意の項目を設定できるが、使用可能性がある複数種類のフォーマットが予め図１に示した記憶装置２０７に記憶されており、このうち所望の一つを選択できるように構成されているので便利である。尚、このようなフォーマットの選択は、フォーマット選択メニューを表示装置２０５に表示して選択するようにしてもよい。この場合、各医療行為を示す医療行為データとしては、各行為を文章で表したデータであってもよく、各行為の内容を特定の規約に従ってコード化したデータであってもよい。特に、医師の記録や看護の記録を示す医療行為データには、患者の病状を文章で表したデータや、患者の病状の内容を特定の規約に従ってコード化したデータを含めてもよく、更に、医療結果を文章で表したデータや、医療結果の内容を特定の規約に従ってコード化したデータを含めてもよい。図４に示すように従来は別々の台帳等に記録されていた医師による記録と看護婦による記録とが同一の表示画面やプリント出力上に表示されるので、医師と看護婦との意志の疎通と連係作業が極めて良好に図られるという効果が得られる。本実施の形態では、「記録」という医療行為に関連するより詳細な記録を示す詳細医療データは、表には見えないが、表示された医療行為データにデータ構造上ぶら下がった形式で、記憶装置２０７に記憶されており、例えば、図３に示した入力操作装置２０２ａのマウスをクリックすると表とは異なるフォーマットでこの詳細医療データが画面に表示されるように構成されている。そして、このような「記録」にかかる医療行為データや詳細医療データには、記録する度に、タイムスタンプが打たれるので即ち、記録された日時が詳細医療データとして記録されるように構成されているので、医師と看護婦とは当該表を用いて会話的に情報を共有できるという効果も得られる。
　【００７１】
　このような表１０が表示装置２０５の画面上に表示されると、入力装置２０２は、表の各枠の出力データを追加、変更及び削除可能に構成されており、通信部２０３は、制御部２０４による制御の下でこのように追加、変更及び削除された出力データに対応する新たな医療行為データ及びこれに付随する詳細医療データを回線２を介して通信部１０３に送信する。記憶装置１０２は、制御部１０４による制御の下で通信部１０３により受信された新たな医療行為データ及びこれに付随する詳細医療データを用いて、記憶内容を更新する。このように構成されているので、当初は、空白だらけの図４に示したような表や、所定基準に従い初期設定された画一的な医療計画を示す医療行為データのみを含む図４に示したような表を表示装置２０５に表示するようにし、担当の医師等が図３に示した入力操作装置２０２ａを用いて手動入力により新規入力したり、変更、追加、削除したりでき便利である。更に、過去の患者に対して好適に行われた医療計画を示す医療行為データを格納するフロッピーディスク等から図３に示した読み取り装置２０２ｃを介して、表に示された医療行為データを全部又は部分的に変更することもでき、便利である。
　【００７２】
　尚、医療計画支援操作装置２０１は、日をカウントするカウント手段の一例としての時計を内部に備え、制御部２０４は該カウントされた日に基づいて本日と一致する日にかかる画像出力部分が他の画像出力部分と異なる方法で出力されるように表示データを生成するように構成してもよい。異なる方法での出力とは、例えば、明度、色彩、字体、線の種類、濃度、編みかけなどを出力画像上で異ならせて表示する方法がある。
　【００７３】
　図１において、入力装置２０２は、表示装置２０５の画面に表示された出力データの示す日付けに含まれる任意の日及び複数種類に含まれる任意の種類の少なくとも一方を指定可能に構成されており、制御部２０４は、入力装置２０２により指定された日及び種類の少なくとも一方にかかる医療行為データを表とは異なるフォーマットにより、これに付随する詳細医療データと共に表示装置２０５の画面に表示するための出力データを生成するように構成されている。即ち、制御部２０４は、図４に示すような表１０として画面に表示された複数の日付けのうち指定された日及び種類にかかる医療行為データのみをこれに付随する詳細医療データと共に用いて、図５に示すようなリスト形式で、より詳細な情報を画面一杯に表示したり、画面上で拡大表示したりするための出力データを生成する。図４に示した表の表示から図５に示したリストの表示への画面の切り替えは、例えば、図３に示した入力操作装置２０２ａにより、図４に示した表１０中の所望の項目にカーソルがを移動されて、マウスのクリックがされることにより行われる。即ち、図４の表示画面の上でカーソルの位置する項目に対応する医療行為データに関連する詳細医療データを用いて、図５に示したようなリストが表示されるようにする。この場合更に、図４のような表の上にウインドウを開いて図５のようなリストを表示するようにしてもよい。尚、図４に示した表による表示を省略して、図５に示したような詳細情報表示や拡大表示を行うようにしてもよい。
　【００７４】
　更に、入力装置２０２は、表示装置２０５により一つの表に含まれるべき日数を指定可能に構成されており、制御部２０４は、表の各枠を埋める出力データの少なくとも一部をフォントから構成すると共に該フォントのサイズを入力装置２０２により指定された日数に応じて定まる表を構成する各枠に見合ったサイズとするように構成されている。即ち、例えば、７月１日から７月１４日までというように表に含まれる日数として１４日を指定した場合には、表の各枠が比較的小さくなるので、この小さい枠に見合った小さいサイズのフォントを用いて出力データを生成する。一方、例えば、７月１日から７月３日までというように表に含まれる日数として３日を指定した場合には、表の枠が比較的大きくなるので、この大きい枠に見合った大きいサイズのフォントを用いて出力データを生成する。
　【００７５】
　本実施の形態の場合、医療行為データには、医療行為データが示す医療行為が既に実行されたか否かを示す結果フラグが付けられている。制御部２０４は、この結果フラグに基づいて既に実行された医療行為に対応する画像出力部分とまだ実行されていない医療行為に対応する画像出力部分とが異なる方法で出力されるように表示データを生成するように構成されている。例えば、実行されていない行為については青色の文字を出力し、実行された行為については黒色の文字を出力し、更に、異なるフォーマットで表示可能な例えば、血液中成分データ等の数値データを伴う医療行為データについては赤色の文字を出力するように制御部２０４は構成されている。色彩以外にも、明度、字体、線の種類、濃度、編みかけなどを出力画像上で異ならせるように構成してもよい。このように、結果フラグに応じて表示方法を変えれば、表の各医療行為について詳細医療データが有るのか無いのかが一目瞭然であり、大変便利である。
　【００７６】
　図６に、本実施の形態において表示装置２０５及び印刷装置２０６により、出力可能な表の他の例を示す。この場合には、記憶装置１０２は、少なくとも一部の医療行為データについては日付けと共に時刻までも含めた日時毎に記憶するように構成されている。制御部２０４は、少なくとも一部の医療行為データに対しては、表の各枠の中で更に各医療行為を時刻毎に並べて画像出力するための出力データを生成する。これを受けて、表示装置２０５及び印刷装置２０６は、図６に示すように、一つの枠２１の内部が時間毎のリストに分けられた表２０を出力する。このように構成すると、例えば、記録や計画すべき医療行為が大い入院時等には、表の各枠の中で時間毎に各医療行為が並べられるので、一日に行われる医療行為の様子を見易くなり便利である。
　【００７７】
　図７に、本実施の形態において表示装置２０５及び印刷装置２０６により、出力可能な表の他の例を示す。この場合には、記憶装置１０２は、少なくとも一部の医療行為データについては日付けと共に時刻までも含めた日時毎に記憶するように構成されている。制御部２０４は、少なくとも一部の医療行為データに対しては、日付け毎に並べる代わりに、医療行為データを所定時間単位にまとめて該所定時間毎に並べた表として画像出力するための出力データを生成するように構成されている。これを受けて、表示装置２０５及び印刷装置２０６は、図７に示すように、例えば、６時間毎の医療行為を一つの枠内にまとめて、６時間毎に並べた表３０を出力する。このように構成すると、例えば、記録や計画すべき医療行為が大い入院時等には、細かな時間毎のスケジュールを計画、記録できる。６時間の他に、１、２、３、４、８又は１２時間といった２４時間を区分しやすい時間を単位とするのが好ましいが、昼を長くし夜を短くするなど任意の長さの時間に区分することが可能である。このような単位毎に並べた表３０として画像出力すれば、一日に行われる医療行為の様子を見易くなり便利である。
　【００７８】
　図８に、本実施の形態において表示装置２０５及び印刷装置２０６により、出力可能な表の他の例を示す。この場合には、制御部２０４は、少なくとも一部の医療行為データについては日付け毎に並べる代わりに、医療行為データを連続した複数日単位にまとめて該複数日毎に並べた表形式のフォーマットにより画像出力するための出力データを生成するように構成されている。これを受けて、表示装置２０５及び印刷装置２０６は、図８に示すように、例えば、１箇月毎の医療行為を一つの枠４１内にまとめて、１箇月毎に並べた表４０を出力する。１箇月の他に、３日、１週間、１年又は１０年といった分かりやすい期間を単位とするのが好ましいが、入院の間は単位となる期間を短くし通院の間は期間を長くするなど任意の長さの期間に区分することが可能である。このように医療行為の少なさに応じて医療行為データをまとめれば、長期間に亘る医療行為の様子を見易くなり便利である。
　【００７９】
　図９に、本実施の形態において表示装置２０５及び印刷装置２０６により、出力可能な表の他の例を示す。この場合には、詳細医療データは、複数の日付けについて記録された所定の医療行為に関連する数値データ（例えば、日毎に測定された体温データ、血圧データ、血液中の所定成分濃度データなど）を含んでいるものとする。制御部２０４は、表示装置２０５の画面５１の一部分に表５２を表示すると共に数値データを画面５１の他の部分に表５２の日付けの並びに対応した軸を持つグラフとして表示するための出力データを生成するように構成されている。この結果、図９に示すように、表示画面５１の下部には、表５２が表示され、この上部余白には、Ａ項目（例えば、体温）についての数値データを示す折れ線グラフ５３及びＢ項目（例えば、血圧）についての数値データを示す折れ線グラフ５４が表５２の日付けを時間軸として表示される。このように、表５２の日付けと対応して数値データがグラフで示されるので、実行された医療行為と、患者の体の状態等を示す数値データとの対応が視覚的にできるようになり、大変便利である。図９に示した例のように、数値データが日に何回か測定されたデータである場合には、一日を表す表５２の各枠の幅を２４時間に換算して表５２の上部の線を時間軸としてグラフを書けば、時間情報と表５２の対比が理解しやすくなり有利である。他方、数値データが各日について存在しない場合にも、グラフを作成可能なことは言うまでもないことである。
　【００８０】
　尚、以上に説明した図４から図９に示した表等の表示フォーマットを示すフォーマット情報は、記憶装置２０７に予め記憶されており、フォーマット選択用のメニュー画面等により自由に選択できるように構成されている。
　【００８１】
　次に、以上のように構成された本実施の形態の動作について、説明する。先ず、表を参照する際の動作について、図１０のフローチャートを用いて説明する。
　【００８２】
　図１０において、参照処理が開始されると、先ず医療計画支援操作装置２０１の側において、制御部２０４により、入力装置２０２での患者識別データの入力の有無がチェックされる（ステップＳ１）。入力装置２０２から入力があると（ステップＳ１：ＹＥＳ）、入力された患者識別データが通信部２０３により回線２を介して送信される（ステップＳ２）。これを受けて、医療計画支援センター装置１０１の側では、通信部１０３により、この回線２を介して送信された患者識別データが受信される（ステップＳ３）。この受信された患者識別データに対応する医療行為データ及びこれに付随する詳細医療データが記憶装置１０２から選択される（ステップＳ４）。尚、この選択は、図２に示したような記憶装置１０２内に構築された患者別のファイルのヘッダ情報の検索により迅速に行われる。次に、このように選択された医療行為データが、通信部１０３により回線２を介して送信される（ステップＳ５）。これを受けて、医療行為計画支援操作装置２０１の側では、通信部２０３により、この回線２を介して送信された医療行為データ及びこれに付随する詳細医療データが受信される（ステップＳ６）。制御部２０４により、この受信された医療行為データ及び記憶装置２０７に予め記憶されたフォーマット情報に基づいて表を出力するための出力データが生成される（ステップＳ７）。最後に、表示装置２０５や印刷装置２０６から出力データが表示や印刷され（ステップＳ８）、参照処理が終了される。
　【００８３】
　次に、医療行為データを入力する際の動作について、図１１のフローチャートを用いて説明する。
　図１１において、入力処理が開始されると、先ず医療計画支援操作装置２０１の側において、制御部２０４により、入力装置２０２での医療行為データ及びこれに付随する詳細医療データの入力の有無がチェックされる（ステップＳ１１）。入力装置２０２から入力があると（ステップＳ１１：ＹＥＳ）、入力された医療行為データや詳細医療データが、通信部２０３により回線２を介して送信される（ステップＳ１２）。これを受けて、医療計画支援センター装置１０１の側では、通信部１０３により、この回線２を介して送信された医療行為データや詳細医療データが受信される（ステップＳ１３）。この受信された医療行為データや詳細医療データが、記憶装置１０２の各患者及び各日付けの医療行為データ用領域に格納され（ステップＳ１４）、参照処理が終了される。尚、この格納先は、図２に示したような記憶装置１０２内に患者別及び日付け又は行為の種類別に階層構造に構築されたファイルに対し迅速に決定される。
第２の実施の形態
　第２の実施の形態によれば、図１において入力装置２０２は、患者識別データと共に操作者識別用の操作者識別データを入力可能に構成されており、通信部２０３は、入力手段により入力された操作者識別データを患者識別データと共に送信するように構成されている。通信部１０３は、送信された操作者識別データを患者識別データと共に受信し、制御部１０４は、受信された患者識別データの示す患者について受信された操作者識別データの示す操作者に対し参照可能として予め設定された種類の医療行為を示す医療行為データのみを記憶装置１０２から選択するように構成されている。例えば、記録装置１０２に医師、研修医師、研修医学生、看護婦、準看護婦、調理師、運転手等に対し、医療行為の種類毎に参照可能であるか又はないかを示すテーブルが記憶されており、このテーブルを参照することにより、受信した操作者識別データに対し参照可能である種類の医療行為を迅速に抽出できる。
　【００８４】
　次に、以上のように構成された本実施の形態の動作について、説明する。
　先ず、表を参照する際の動作について、図１０及び図１２のフローチャートを用いて説明する。
　【００８５】
　図１０において、参照処理が開始されると、先ず医療計画支援操作装置２０１の側において、制御部２０４により、入力装置２０２での操作者識別データ及び患者識別データの入力の有無がチェックされる（ステップＳ１）。入力装置２０２から入力があると（ステップＳ１：ＹＥＳ）、入力された操作者識別データ及び患者識別データが通信部２０３により回線２を介して送信される（ステップＳ２）。これを受けて、医療計画支援センター装置１０１の側では、通信部１０３により、この回線２を介して送信された操作者識別データ及び患者識別データが受信される（ステップＳ３）。ここで、図１２に示した選択処理が行われる（ステップＳ４）
　図１２において、この受信された操作者識別データの示す操作者が、医師、看護婦、薬剤師等のどの職種分類に属するか否かや当該患者識別データの示す患者の担当であるか否か等が判定され、これにより、当該操作者が参照可能である範囲が特定される（ステップＳ４１）。この特定は、例えば上述のテーブルを参照することにより迅速に行われる。
　【００８６】
　次に、患者識別データに対応する医療行為の１番目の種類についての医療行為データが判定対象として選ばれ（ステップＳ４２）、該判定対象として選ばれた医療行為データが参照可能であるか否かがステップＳ４１で特定した参照可能範囲に属するか否かに基づいて判定される（ステップＳ４３）。その種類が、参照可能な範囲に属していれば（ステップＳ４３：ＹＥＳ）、その種類についての医療行為データ及びこれに付随する詳細医療データが、選択された医療行為データとして記憶装置１０２から読み出され（ステップＳ４４）、最後の種類であるか否かが判定される（ステップＳ４５）。また、ステップＳ４３において、その種類が参照可能な範囲に属していなければ（ステップＳ４３：ＮＯ）、その種類についての医療行為データ及びこれに付随する詳細医療データは、記憶装置１０２から読み出されることはなく、そのままステップＳ４５の処理が行われる。ステップＳ４５において、最後の種類の医療行為ではないと判定されると（ステップＳ４５：ＮＯ）、次の種類の医療行為について、同様の処理が繰り返し実行される（ステップＳ４６からＳ４５）。ステップＳ４５で、最後の種類であると判定されると（ステップＳ４５：ＹＥＳ）、選択処理を終了する。尚、これらの「１番目の種類」、「次の種類」及び「最後の種類」とは、医療行為の種類毎に適当な番号を１からｎ（自然数）まで順に割り当てて、これに従って専用のカウンタによりカウントされるものである。
　【００８７】
　再び、図１０において、このように選択された医療行為データが、通信部１０３により回線２を介して送信される（ステップＳ５）。これを受けて、医療行為計画支援操作装置２０１の側では、通信部２０３により、この回線２を介して送信された医療行為データ及びこれに付随する詳細医療データが受信される（ステップＳ６）。制御部２０４により、この受信された医療行為データ及び記憶装置２０７に予め記憶されたフォーマット情報に基づいて表を出力するための出力データが生成される（ステップＳ７）。最後に、表示装置２０５や印刷装置２０６から出力データが表示や印刷される（ステップＳ８）、参照処理が終了される。
　【００８８】
　このように本実施の形態によれば、操作者に応じて予め参照可能として決められた範囲の医療行為データや詳細医療データのみ参照可能であるので、秘密情報の漏洩や患者のプライバシーの侵害などを効果的に阻止し得る。
第３の実施の形態
　第３の実施の形態によれば、入力装置２０２は、医療行為データと共に操作者識別用の操作者識別データを入力可能に構成されており、通信部２０３は、入力装置２０２により入力された操作者識別データを医療行為データと共に送信するように構成されている。通信部１０３は、送信された操作者識別データを医療行為データと共に受信し、記憶装置１０２は、受信された操作者識別データの示す操作者に対し入力可能として予め設定された種類の医療行為を示す受信された医療行為データのみを記憶するように構成されている。例えば、記録装置１０２に医師、研修医師、研修医学生、看護婦、準看護婦、調理師、運転手等に対し、医療行為の種類毎に入力可能であるか又はないかを示すテーブルが記憶されており、このテーブルを参照することにより、受信した操作者識別データに対し入力可能である種類の医療行為を迅速に抽出できる。
　【００８９】
　ここで、入力装置２０２は、表示装置２０５の画面の上に表示された出力データを追加、変更及び削除可能に構成されており、通信部２０３は、入力装置２０２により追加、変更及び削除された出力データに対応する新たな医療行為データを回線２を介して医療計画支援センター装置１０１に送信するように構成されている。記憶装置１０２は、通信部１０３により受信された新たな医療行為データが入力可能な種類についてのものであれば、この受信された医療行為データを用いて記憶内容を更新するように構成されている。
　【００９０】
　尚、上記第２及び第３の実施の形態によれば、図３に示した入力操作装置２０２ａから操作者識別データを入力可能に構成してもよい。更に、患者識別データ及び操作者識別データを同一の入力操作装置２０２ａから入力するようにしてもよい。一方、読み取り装置２０２ｂから操作者識別データを入力可能に構成してもよい。更に、患者識別データ及び操作者識別データを同一の読み取り装置２０２ｂから入力するようにしてもよい。
　【００９１】
　次に、以上のように構成された本実施の形態の動作について、説明する。
　先ず、医療行為データを入力する際の動作について、図１１及び図１３のフローチャートを用いて説明する。
　【００９２】
　図１１において、入力処理が開始されると、先ず医療計画支援操作装置２０１の側において、制御部２０４により、入力装置２０２での医療行為データ及びこれに付随する詳細医療データ並びに操作者識別データの入力の有無がチェックされる（ステップＳ１１）。入力装置２０２から入力があると（ステップＳ１１：ＹＥＳ）、入力された医療行為データや詳細医療データ並びに操作者識別データが、通信部２０３により回線２を介して送信される（ステップＳ１２）。これを受けて、医療計画支援センター装置１０１の側では、通信部１０３により、この回線２を介して送信された医療行為データや詳細医療データ並びに操作者識別データが受信される（ステップＳ１３）。ここで、図１３に示した格納処理が行われる（ステップＳ１４）
　図１３において、この受信された操作者識別データの示す操作者が、医師、看護婦、薬剤師等のどの職種分類に属するか否かや当該患者識別データの示す患者の担当であるか否か等が判定され、これにより、当該操作者が入力可能である範囲が特定される（ステップＳ５１）。この特定は、例えば上述のテーブルを参照することにより迅速に行われる。
　【００９３】
　次に、患者識別データに対応する医療行為の１番目の種類についての医療行為データが判定対象として選ばれ（ステップＳ５２）、該判定対象として選ばれた医療行為データが入力可能であるか否かがステップＳ５１で特定した入力可能範囲に属するか否かに基づいて判定される（ステップＳ５３）。その種類が、入力可能な範囲に属していれば（ステップＳ５３：ＹＥＳ）、その種類について受信された医療行為データ及びこれに付随する詳細医療データが、新たな医療行為データとして記憶装置１０２に格納され（ステップＳ５４）、最後の種類であるか否かが判定される（ステップＳ５５）。ここで、最後の種類の医療行為ではないと判定されると（ステップＳ５５：ＮＯ）、次の種類の医療行為について、同様の処理が繰り返し実行される（ステップＳ５６からＳ５５）。ステップＳ５５で、最後の種類であると判定されると（ステップＳ５５：ＹＥＳ）、当該格納処理を終了する。尚、これらの「１番目の種類」、「次の種類」及び「最後の種類」とは、医療行為の種類毎に適当な番号を１からｎ（自然数）まで順に割り当てて、これに従って専用のカウンタによりカウントされるものである。また、ステップＳ５３において、その種類が入力可能な範囲に属していなければ（ステップＳ５３：ＮＯ）、その種類についての医療行為データ及びこれに付随する詳細医療データが、記憶装置１０２に格納されることはなく、制御部１０４は、エラーメッセージを示すメッセージデータを生成して、通信部１０３から送信し、これを受けて、表示装置２０５には、「その項目は入力できません！」などといったエラーメッセージが表示出力され、操作者に入力できない旨を伝え（ステップＳ５７）、当該格納処理を終了する。
　【００９４】
　再び、図１１において、以上のように格納処理が終了すると（ステップＳ１４）、入力処理が終了される。尚、この格納先は、図２に示したような記憶装置１０２内に患者別及び日付け又は行為の種類別に階層構造に構築されたファイルに対し迅速に決定される。
　【００９５】
　尚、制御部２０４による制御の下、医療計画支援操作装置２０１の側に予め操作者毎に入力可能な医療行為の種類と入力不可能な種類とを示すテーブル等を設定しておき、このデーブル等に従って、操作が行われた際に、通信を行う前に制御部２０４により操作者識別データをチェックして入力不可能な操作者であれば、通信部２０３により送信を行うことなく、「その項目は入力できません！」などのエラーメッセージ等を表示装置２０５に表示して、入力動作を中止するように構成してもよい。このように構成すれば、医療計画支援操作装置２０１の負担は増加するものの、操作者の無駄な時間及び装置の無駄な動作（図１１のステップＳ１２からＳ１４等）を低減することができる。
　【００９６】
　このように本実施の形態によれば、操作者に応じて予め入力可能として決められた範囲の医療行為データや詳細医療データのみ入力可能であるので、誤ったデータが医療データ記憶装置に格納されたり、医療データ記憶装置に蓄積されて医療計画を構成する医療行為データ等が人的ミスにより破壊される事態を効果的に阻止し得る。
第４の実施の形態
　図１４において、病院内に配備された回線２により構築されたネットワークには、医療計画支援センター装置１０１、複数の診療用装置２０１ａ、会計用装置２０１ｂ及び薬剤用装置２０１ｃが接続されることにより、第４の実施の形態の医療計画支援システムが構成されている。
　【００９７】
　医療計画支援操作装置２０１の一例としての診療用装置２０１ａは、図１に示した医療計画支援装置２０１の構成に加えて、医療計画支援センター装置１０１からネットワークを介して受信された医療行為データを用いて診療簿を画像出力するための出力データを生成可能に構成された制御部２０４を備えて構成されている。診療用装置２０１ａは、診察を行う夫々の医師の側に好適に配置される。これにより、医師は、診療簿を画像データとして表示装置２０５及び出力装置２０６により出力することができ、表示画面を切り替えることにより、図４に示したような表を表示や印字できる。この場合、画面等に表を表示して患者に治療プロセスを説明できるが、特に、患者には秘密にしておくべき医療行為データや詳細医療データが存在する場合には、患者に見せてよいデータのみを表示するフォーマットを記憶装置２０７から選択して表示できるので、大変便利である。
　【００９８】
　医療計画支援操作装置２０１の他の例としての会計用装置２０１ｂは、図１に示した医療計画支援装置２０１の構成に加えて、医療計画支援センター装置１０１からネットワークを介して受信された医療行為データを用いて受信された医療行為データを用いて医療会計用の演算を行うと共に該演算結果に基づいて医療会計簿を画像出力するための出力データを生成可能に構成された制御部２０４を備えている。会計用装置２０１ａは、記憶装置２０７に登録された各患者の保険の種類等に基づいて各医療行為に対応する点数計算や薬剤の総額などの計算を自動的に行うように構成されており、会計を行う事務員の側に好適に配置される。この場合、診療用装置２０１ａは、ネットワークを介して会計用装置に医療会計用の演算を行うように命令する命令手段を更に備えるようにしてもよい。このようにすれば、診療を終えた患者は、迅速に会計を済ませることができるようになる。
　【００９９】
　医療計画支援操作装置２０１の他の一例としての薬剤用装置２０１ｃは、図１に示した医療計画支援装置２０１の構成に加えて、前記受信された医療行為データを用いて薬剤リストを画像出力するための出力データを生成可能に構成された制御部２０４を備えて構成されている。この場合、診療用装置２０１ａは、ネットワークを介して薬剤用装置に薬剤リストを画像出力するように命令する命令手段を更に備えるようにしてもよい。このようにすれば、診療を終えた患者は、迅速に薬剤給付を済ませることができるようになる。
第５の実施の形態
　上述の実施の形態においては、第１医療計画支援装置は、大容量の記憶装置１０２を備えた一つの医療計画支援センター装置１０１であり、医療計画支援操作装置２０１は夫々、大容量の記憶装置１０２を持たない比較的簡易に構成された個人用装置であるが、本実施の形態では、全ての医療計画支援装置は、同一のコンピュータユニットから構成されている。
　【０１００】
　即ち、図１５に示すように、各医療計画支援装置３０１は、通信部、制御部、入力装置、表示装置及び印刷装置の他に記憶装置３０２を夫々備えて構成されている。
　【０１０１】
　特に、この場合、各医療計画支援装置３０１において行われる新たな医療行為データの入力や追加、変更、削除などの後に、各医療計画支援装置で表示や印刷される医療計画の内容に相異が生じては不都合である。このため、夫々の医療計画支援装置３０１が備えた記憶装置３０２に記憶された医療行為データが相互に同一になるように、各入力装置で新たな医療行為データを入力したり、追加、変更及び削除等する度に、全ての医療計画支援装置３０１にその新たな医療行為データが通信部により送受信され、各記憶装置３０２の記憶内容が更新されるようにするのが好ましい。但し、例えば、始業時、終業時等や定期的に全ての記憶装置３０２の記憶内容を最新のデータに統一したり、予め定めた優先順位の高い医療計画支援装置３０２で入力されたデータに統一するようにしてもよい。
　【０１０２】
　最後に、以上の実施の形態において用いられた医療計画支援システムの機能を図１６に概念的に示す。
　図１６に示すように、医療計画支援システム１の機能は、図１に示した表示装置２０５、入力装置２０２等により実現される画面操作機能３、表示装置２０５等により実現される表示機能４並びに通信部２０３、制御部２０４等により実現される各システムのインタフェース機能５を統合するものである。画面操作機能３は、新規入力機能３ａ、追加・変更入力機能３ｂ及び削除機能３ｃを統合するものである。また、表示機能４は、医療行為データを用いて表を表示する機能４ａ、詳細医療データを用いて結果を表示する結果表示機能４ｂ、詳細医療データを用いてグラフを表示するグラフ機能４ｃ及び表示装置２０５の画面倍率を変更するための画面倍率変更表示機能４ｄを統合するものである。更に、各システムインターフェース機能５は、各医療計画支援装置間で命令を出すための各種オーダー機能５ａ、診療用装置で用いられる電子カルテ機能５ｂ及び会計用装置で用いられる医事会計システム５ｃを統合するものである。このように、機能が階層構造で統合されているので、当該医療計画支援システム１により、各機能を効率良く呼び出せると共に相互の機能を有機的に組み合わせて実行することもでき便利である。
　【０１０３】
　以上詳細に説明したように本実施の形態によれば、病院の全スタッフが同じ表を同時に見れるので、患者の状態に関する情報を全スタッフで共有できる。更に、各スタッフが表を見ながら適宜計画を追加、変更、削除したり、その計画により実行された結果データを表を見ながら適宜入力したりできる。従って、病気の治療等の医療目標に向かって、適宜修正を加えながら、各患者に最も適した医療計画を医療データ記憶装置の中に累積的に構築することができると共に、このように立てられた医療計画を構成する医療行為データ及びこれに付随する詳細医療データを極めて標準化された形式の記録として残すこともできる。更にまた、操作者毎に参照可能な種類や入力可能な種類が予め定められているので、秘密情報が漏れたり、誤った計画が立てられることを有効に防止できる。
　【０１０４】
　【発明の効果】
　請求項１に記載の医療計画支援システムによれば、第２医療計画支援装置の側において、
既に実行された医療行為を示す医療行為データ及び計画した将来実行される医療行為を示す医療行為データを含む複数の医療行為データを
　また、入力手段を用いて表示手段の画面上に表示された出力データを追加、変更及び削除するという、簡単明朗な入力操作により、医療データ記憶手段の記憶内容を更新できる。
　更に、医師、看護婦等の操作者が入力手段により日や種類を指定するだけで、その日や種類にかかる医療行為データが表とは異なる、例えばリストなどのフォーマットにより画像出力されるので、多種多様な医療行為データや詳細医療データを簡単にそのデータに適した画像として得られる。
　
更にまた、医師、看護婦等の操作者が、表に示された既に実行された所望の医療行為を入力手段を介して指定すれば、この医療行為についての結果を示す詳細医療データが、表とは別の画像出力により又は表の上に開かれたウインドウ画像出力等により、例えば、リスト、グラフチャート等で画像出力されるので、限られた画面スペースで多種多様な情報を扱う上で、大変便利である。
　【０１０５】
　請求項２に記載の医療計画支援システムによれば、フォーマット記憶手段に記憶された複数の画像出力用のフォーマットの中から指定されたフォーマットにより、表が画像出力されるので、夫々の医療計画支援装置の使用環境や使用目的に適した表を適宜表示したり印刷したりできるので、大変便利である。
　【０１０６】
　請求項３に記載の医療計画支援システムによれば、医師、看護婦等の操作者は、画面上に表示されるフォーマット選択メニューにより簡単に所望のフォーマットを選択できる。
　【０１０７】
　請求項４に記載の医療計画支援システムによれば、医師、看護婦等の操作者は、キーボード等における各種の操作により、医療行為データを入力できる。
　【０１０８】
　請求項５に記載の医療計画支援システムによれば、医師、看護婦等の操作者が入力手段により日数を指定するだけで、その日数に応じて定まる表を構成する各枠に見合ったサイズのフォントが表中に画像出力されるので、簡単な操作により非常に見やすい表を得られる。
　【０１０９】
　請求項６に記載の医療計画支援システムによれば、医師、看護婦等の操作者毎に予め定められた参照可能な種類の医療行為を示す医療行為データのみを含む表が画像出力されるので、特定種類のスタッフには医療情報を積極的に伝えることができ、他の種類のスタッフには秘密にしておくことができ、秘密情報が漏れるのを防ぐことができる。
　【０１１０】
　請求項７に記載の医療計画支援システムによれば、医師、看護婦等の操作者毎に予め定められた入力可能な種類の医療行為を示す医療行為データのみが記憶されるので、特定種類のスタッフが積極的に医療行為データひいては医療計画の修正、変更、追加等の入力を行うことができ、他の種類のスタッフがこのように入力されたデータを破壊することを防止し得、最終的には、このように入力された医療行為データの蓄積により医療データ記憶手段の中に最適な医療計画を構築することも可能となる。
　【０１１１】
　請求項８に記載の医療計画支援システムによれば、磁気カード、ＩＣカード等の記録媒体から患者識別データを簡単に読み取ることができ、便利である。
　請求項９に記載の医療計画支援システムによれば、磁気ディスク、光ディスク等の記録媒体から医療行為データを簡単且つ大量に読み取ることができ、便利である。
　【０１１２】
　請求項１０に記載の医療計画支援システムによれば、日付け毎に区分された列と複数種類別に区分された行とからなる表が画像出力されるので、過去の治療プロセスや医療計画の日程を表から簡単に理解できるので、便利である。
　【０１１３】
　請求項１１に記載の医療計画支援システムによれば、治療、処置、注射、検査、対診、評価、投薬、食事、活動制限、観察、リハビリテーション、コーディネーション、入退院、患者家族の教育、医師の記録及び看護の記録といった各種の医療行為を示す表が画像出力されるので、各種の医療行為を日に対応付けて一目で理解できるので、便利である。
特に、従来は別々の台帳等に記録されていた医師の記録と看護婦の記録とが同一表上に表示されるので、医療計画を立てつつ医師と看護婦との意志の疎通と連係作業が極めて良好に図られるという効果も得られる。
　【０１１４】
　請求項１２に記載の医療計画支援システムによれば、本日と一致する日にかかる画像出力部分が他の画像出力部分と異なる方法で出力された表が画像出力されるので、日付け毎に並べられた表の中で、本日がどこにあるのか、即ち治療プロセスが現時点でどこまで行われたのかが一目で分かり、便利である。
　【０１１５】
　請求項１３に記載の医療計画支援システムによれば、表上で各医療行為が実行されたか否かが一目瞭然で分かるので便利であり、特に表示された医療行為データの下に医療行為の結果を示す詳細医療データが存在するのか否かも一目で理解できるので、大変便利である。
　【０１１６】
　請求項１４に記載の医療計画支援システムによれば、表と共に診療簿が画像出力されるので、診療を実際に行う医師が使用するシステムとして用いれば、大変便利である。
　【０１１７】
　請求項１５に記載の医療計画支援システムによれば、自動的に会計を行うことができ、表と共に医療会計簿が画像出力されるので、会計を行う事務員が使用するシステムとして用いれば、大変便利である。。
　【０１１８】
　請求項１６に記載の医療計画支援システムによれば、表と共に薬剤リストが画像出力されるので、薬剤師や薬配給係りの者が使用するシステムとして用いれば、大変便利である。
　【０１１９】
　請求項１７に記載の医療計画支援システムによれば、少なくとも一部の医療行為について、各枠の中で更に時刻毎に並べられた表が画像出力されるので、各表の枠の中にある各医療行為の時間的な並びを一目で理解でき便利である。
　【０１２０】
　請求項１８に記載の医療計画支援システムによれば、少なくとも一部の医療行為については、６時間、１２時間等の所定時間単位毎に並べた表が画像出力されるので、入院時など一日の中で時刻毎に緻密な医療計画を立てる場合に、便利である。
　【０１２１】
　請求項１９に記載の医療計画支援システムによれば、少なくとも一部の医療行為について、１週間、１月等の複数日単位毎に並べた表が画像出力されるので、例えば入院からかなりの期間離れた医療行為を一つの表の中に入れて見る上で、便利である。
　【０１２２】
　請求項２０に記載の医療計画支援システムによれば、相互に同一な構成を有する第１及び第２医療計画支援装置の夫々において、同じ表を出力したり、医療行為データを入力したりできるので、同一機種のパソコン等をネットワーク化することにより当該医療計画支援システムを構築できるので便利である。
　【０１２３】
　請求項２１に記載の医療計画支援システムによれば、
医療行為データと共に、医療データ記憶手段により記憶され、選択手段により選択され、第１送信手段により送信され、第２受信手段により受信された詳細医療データが、表とは別の画像出力により又は表の上に開かれたウインドウ画像出力等により画像出力されるので、限られた画面スペースで多種多様な情報を扱う上で、大変便利である。
　【０１２４】
　請求項２２に記載の医療計画支援システムによれば、日付け毎の医療行為を示す表と、該表の日付けと対応する数値データを示すグラフとが、一つの画像出力の上で示されるので、実行された医療行為と患者の体の状態等を示す数値データとの対応が視覚的に理解できるようになり、大変便利である。
　【０１２５】
　請求項２３に記載の医療計画支援装置によれば、
入力手段により指定された医療行為データに関連する詳細医療データを表示することによる効果を除き、
　請求項２４に記載の医療計画支援方法によれば、上述の請求項２３に記載した医療計画支援装置と同様の効果が得られる。
　【０１２６】
　以上の結果、本発明により、病院の全スタッフが同じ表を同時に見ることができるので同一情報を全スタッフが共有することができ、更に患者についての各種の情報が同一の表に示されているので各患者の状態が一目で理解でき、更にまた各医療行為の担当スタッフによる継続的なデータ入力によって、謂わば全スタッフの連係プレーによる医療行為データの蓄積によって医療計画を立てたり適宜変更したりできる医療計画支援システムを実現できる。
【図面の簡単な説明】
　　【図１】
　本発明の第１の実施の形態の医療計画支援システムの構成を示すブロック図である。
　　【図２】
　第１の実施の形態において用いられる医療行為データのデータ構造を示す概念図である。
　　【図３】
　第１の実施の形態における入力装置のより具体的な構成を示すブロック図である。
　　【図４】
　第１の実施の形態により画像出力される表の一例を示す平面図である。
　　【図５】
　第１の実施の形態により画像出力されるリストの一例を示す平面図である。
　　【図６】
　第１の実施の形態により画像出力される表の他の例を示す平面図である。
　　【図７】
　第１の実施の形態により画像出力される表の他の例を示す平面図である。
　　【図８】
　第１の実施の形態により画像出力される表の他の例を示す平面図である。
　　【図９】
　第１の実施の形態により画像出力される表の他の例を示す平面図である。
　　【図１０】
　本発明の第１及び第２の実施の形態の医療計画支援システムの参照処理を示すフローチャートである。
　　【図１１】
　本発明の第１及び第３の実施の形態の医療計画支援システムの入力処理を示すフローチャートである。
　　【図１２】
　第２の実施の形態の医療計画支援システムの参照処理のうち選択処理を示すフローチャートである。
　　【図１３】
　第３の実施の形態の医療計画支援システムの入力処理のうち格納処理を示すフローチャートである。
　　【図１４】
　本発明の第４の実施の形態の医療計画支援システムの構成を示すブロック図である。
　　【図１５】
　本発明の第５の実施の形態の医療計画支援システムの構成を示すブロック図である。
　　【図１６】
　本発明の医療計画支援システムにおける機能を示す概念図である。
　　【符号の説明】
　１…医療計画支援システム
　２…回線
　１０１…医療計画支援センター装置
　１０２…記憶装置
　１０３…通信部
　１０４…制御部
　２０１…医療計画支援操作装置
　２０２…入力装置
　２０３…通信部
　２０４…制御部
　２０５…表示装置
　２０６…印刷装置
　２０７…記憶装置